(57)【要約】【課題】効率的に通信を行なうこと。【解決手段】測定オブジェクト設定に含まれるキャリア周波数が所定のオペレーティングバンドに属しているとすれば、且つ、報告設定において、測定結果として、少なくともＲＳＲＱを報告することが示され、且つ、定期報告が設定されたとすれば、第１のＲＳＳＩと第２のＲＳＳＩを測定する受信部を備え、第１のＲＳＳＩは、指示されたサブフレームのすべてのＯＦＤＭシンボルから測定され、第２のＲＳＳＩは、指示されたサブフレーム以外のサブフレームのＯＦＤＭシンボルから測定され、第１のＲＳＳＩは、ＣＲＳに関するＲＳＲＱを規定するために用いられ、第２のＲＳＳＩは、ＲＳＳＩのヒストグラムを生成するために用いられる。【選択図】図４
2018148249.tif 000002
【特許請求の範囲】
【請求項１】
基地局装置と通信する端末装置であって、
測定オブジェクト設定に含まれるキャリア周波数が所定のオペレーティングバンドに属しているとすれば、且つ、報告設定において、測定結果として、少なくともＲＳＲＱ（Reference Signal Received Quality）を報告することが示され、且つ、定期報告が設定されたとすれば、
第１のＲＳＳＩ（Received Signal Strength Indicator）と第２のＲＳＳＩを測定する受信部を備え、
前記第１のＲＳＳＩは、指示されたサブフレームのすべてのＯＦＤＭ（Orthogonal Frequency Division Multiplexing）シンボルから測定され、
前記第２のＲＳＳＩは、前記指示されたサブフレーム以外のサブフレームのＯＦＤＭシンボルから測定され、
前記第１のＲＳＳＩは、ＣＲＳに関するＲＳＲＱを規定するために用いられ、
前記第２のＲＳＳＩは、ＲＳＳＩのヒストグラムを生成するために用いられる
端末装置。
【請求項２】
前記測定オブジェクト設定に、測定ＤＳ（Discovery Signal）設定が含まれる場合、
前記第２のＲＳＳＩは、前記測定ＤＳ設定に基づくＤＳオケージョンを構成するサブフレーム以外のサブフレームのＯＦＤＭシンボルから測定される
請求項１記載の端末装置。
【請求項３】
前記ヒストグラムは、前記報告間隔に基づく測定期間内に測定されたＲＳＳＩのレベル毎の専有時間（時間領域の割合）を示す
請求項１または２記載の端末装置。
【請求項４】
前記第２のＲＳＳＩは、ＯＦＤＭシンボルのそれぞれにおいて、測定される
請求項１または２記載の端末装置。
【請求項５】
前記第２のＲＳＳＩの測定に用いられるリソースは、ＰＳＳ（Primary Synchronization Signal）／ＳＳＳ（Secondary Synchronization Signal）に用いられる帯域幅の中心の６リソースブロックのうち、送信に用いられないリソースである
請求項１または２記載の端末装置。
【請求項６】
前記第２のＲＳＳＩの測定に用いられるリソースは、ガードバンドに含まれるリソースである
請求項１または２記載の端末装置。
【請求項７】
端末装置と通信する基地局装置であって、
所定のオペレーティングバンドに属するように設定したキャリア周波数を含む測定オブジェクト設定と、ＲＳＲＱ（Reference Signal Received Quality）の測定結果を報告することを示す報告設定を上位層の信号を用いて、送信する送信部と、
前記所定のオペレーティングバンドが第１のオペレーティングバンドであれば、ＲＳＲＱに対する測定結果を受信し、
前記所定のオペレーティングバンドが第２のオペレーティングバンドであれば、ＲＳＳＩ（Received Signal Strength Indicator）の各レベルに対応するヒストグラムを受信する受信部と、を備える
基地局装置。
【請求項８】
基地局装置と通信する端末装置における方法であって、
測定オブジェクト設定に含まれるキャリア周波数が所定のオペレーティングバンドに属しているとすれば、且つ、報告設定において、測定結果として、少なくともＲＳＲＱ（Reference Signal Received Quality）を報告することが示され、且つ、定期報告が設定されたとすれば、
第１のＲＳＳＩ（Received Signal Strength Indicator）と第２のＲＳＳＩを測定するステップを有し、
前記第１のＲＳＳＩは、指示されたサブフレームのすべてのＯＦＤＭシンボルから測定され、且つ、ＣＲＳに関するＲＳＲＱを規定するために用いられ、
前記第２のＲＳＳＩは、前記指示されたサブフレーム以外のサブフレームのＯＦＤＭシンボルから測定され、且つ、ＲＳＳＩのヒストグラムを生成するために用いられる
方法。
【請求項９】
端末装置と通信する基地局装置における方法であって、
所定のオペレーティングバンドに属するように設定したキャリア周波数を含む測定オブジェクト設定と、ＲＳＲＱ（Reference Signal Received Quality）の測定結果を報告することを示す報告設定を上位層の信号を用いて、送信するステップと、
前記所定のオペレーティングバンドが第１のオペレーティングバンドであれば、ＲＳＲＱに対する測定結果を受信するステップと、
前記所定のオペレーティングバンドが第２のオペレーティングバンドであれば、ＲＳＳＩ（Received Signal Strength Indicator）の各レベルに対応するヒストグラムを受信するステップと、を有する
方法。
【発明の詳細な説明】
【技術分野】
【０００１】
本発明の実施形態は、効率的な通信を実現する端末装置、基地局装置および方法の技術に関する。
【背景技術】
【０００２】
標準化プロジェクトである３ＧＰＰ（3rd General Partnership Project）において、ＯＦＤＭ（Orthogonal Frequency Division Multiplexing）通信方式やリソースブロックと呼ばれる所定の周波数・時間単位の柔軟なスケジューリングの採用によって、高速な通信を実現させたＥＵＴＲＡ（Evolved Universal Terrestrial Radio Access）の標準化が行なわれた。ＥＵＴＲＡにおける標準化技術を採用した通信全般をＬＴＥ（Long Term Evolution）通信と称する場合もある。
【０００３】
また、３ＧＰＰでは、より高速なデータ伝送を実現し、ＥＵＴＲＡに対して上位互換性を持つＡ−ＥＵＴＲＡ（Advanced EUTRA）の検討を行なっている。ＥＵＴＲＡでは、基地局装置がほぼ同一のセル構成（セルサイズ）から成るネットワークを前提とした通信システムであったが、Ａ−ＥＵＴＲＡでは、異なる構成の基地局装置（セル）が同じエリアに混在しているネットワーク（異種無線ネットワーク、ヘテロジニアスネットワーク）を前提とした通信システムの検討が行なわれている。
【０００４】
３ＧＰＰでは、ＬＴＥで規定された免許要の周波数（ライセンスバンド）を用いて免許不要の周波数（アンライセンスバンド）における通信を可能にするＬＡＡ（Licensed Assisted Access）通信の検討が行なわれている（非特許文献１）。
【０００５】
非特許文献１において、効果的な通信を行なうために、干渉や雑音に関するＲＳＳＩ（Received Signal Strength Indicator）の測定方法が検討されている。
【先行技術文献】
【非特許文献】
【０００６】
【非特許文献１】R2-152480, Ericsson, 3GPP TSG RAN WG2 Meeting #90, 25th-29th May 2015.
【発明の概要】
【発明が解決しようとする課題】
【０００７】
通信装置（端末装置および／または基地局装置）において、従来の測定および報告の方法だけでは効率的な通信を行なうことができない場合がある。
【０００８】
本発明は上記の点に鑑みてなされたものであり、その目的は、効率的に通信を行なうための、測定および報告を行なうことができる端末装置、基地局装置および方法を提供することである。
【課題を解決するための手段】
【０００９】
（１）上記の目的を達成するために、本発明は、以下のような手段を講じた。すなわち、本発明の一様態による端末装置は、基地局装置と通信する端末装置であって、測定オブジェクト設定に含まれるキャリア周波数が所定のオペレーティングバンドに属しているとすれば、且つ、報告設定において、測定結果として、少なくともＲＳＲＱ（Reference Signal Received Quality）を報告することが示され、且つ、定期報告が設定されたとすれば、第１のＲＳＳＩ（Received Signal Strength Indicator）と第２のＲＳＳＩを測定する受信部を備え、前記第１のＲＳＳＩは、指示されたサブフレームのすべてのＯＦＤＭ（Orthogonal Frequency Division Multiplexing）シンボルから測定され、前記第２のＲＳＳＩは、前記指示されたサブフレーム以外のサブフレームのＯＦＤＭシンボルから測定され、前記第１のＲＳＳＩは、ＣＲＳに関するＲＳＲＱを規定するために用いられ、前記第２のＲＳＳＩは、ＲＳＳＩのヒストグラムを生成するために用いられる。
【００１０】
（２）また、本発明の一様態による基地局装置は、端末装置と通信する基地局装置であって、所定のオペレーティングバンドに属するように設定したキャリア周波数を含む測定オブジェクト設定と、ＲＳＲＱ（Reference Signal Received Quality）の測定結果を報告することを示す報告設定を上位層の信号を用いて、送信する送信部と、前記所定のオペレーティングバンドが第１のオペレーティングバンドであれば、ＲＳＲＱに対する測定結果を受信し、前記所定のオペレーティングバンドが第２のオペレーティングバンドであれば、ＲＳＳＩ（Received Signal Strength Indicator）の各レベルに対応するヒストグラムを受信する受信部と、を備える。
【００１１】
（３）また、本発明の一様態による方法は、基地局装置と通信する端末装置における方法であって、測定オブジェクト設定に含まれるキャリア周波数が所定のオペレーティングバンドに属しているとすれば、且つ、報告設定において、測定結果として、少なくともＲＳＲＱ（Reference Signal Received Quality）を報告することが示され、且つ、定期報告が設定されたとすれば、第１のＲＳＳＩ（Received Signal Strength Indicator）と第２のＲＳＳＩを測定するステップを有し、前記第１のＲＳＳＩは、指示されたサブフレームのすべてのＯＦＤＭシンボルから測定され、且つ、ＣＲＳに関するＲＳＲＱを規定するために用いられ、前記第２のＲＳＳＩは、前記指示されたサブフレーム以外のサブフレームのＯＦＤＭシンボルから測定され、且つ、ＲＳＳＩのヒストグラムを生成するために用いられる。
【００１２】
（４）また、本発明の一様態による方法は、端末装置と通信する基地局装置における方法であって、所定のオペレーティングバンドに属するように設定したキャリア周波数を含む測定オブジェクト設定と、ＲＳＲＱ（Reference Signal Received Quality）の測定結果を報告することを示す報告設定を上位層の信号を用いて、送信するステップと、前記所定のオペレーティングバンドが第１のオペレーティングバンドであれば、ＲＳＲＱに対する測定結果を受信するステップと、前記所定のオペレーティングバンドが第２のオペレーティングバンドであれば、ＲＳＳＩ（Received Signal Strength Indicator）の各レベルに対応するヒストグラムを受信するステップと、を有する。
【発明の効果】
【００１３】
この発明によれば、基地局装置と端末装置が通信する無線通信システムにおいて、伝送効率を向上させることができる。
【図面の簡単な説明】
【００１４】
【図１】第１の実施形態に係る下りリンクの無線フレーム構成の一例を示す図である。
【図２】第１の実施形態に係る上りリンクの無線フレーム構成の一例を示す図である。
【図３】第１の実施形態に係る基地局装置のブロック構成の一例を示す図である。
【図４】第１の実施形態に係る端末装置のブロック構成の一例を示す図である。
【図５】第１の実施形態に係る測定ポイントの概要を示す図である。
【発明を実施するための形態】
【００１５】
＜第１の実施形態＞
本発明の第１の実施形態について以下に説明する。基地局装置（基地局、ノードＢ、ｅＮＢ（EUTRAN NodeB））と端末装置（端末、移動局、ユーザ装置、ＵＥ（User equipment））とが、セルにおいて通信する通信システムを用いて説明する。
【００１６】
ＥＵＴＲＡおよびＡ−ＥＵＴＲＡで使用される主な物理チャネル、および物理信号について説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、および、Ａ−ＥＵＴＲＡにおいて、今後追加、または、その構造やフォーマット形式が変更または追加される可能性があるが、変更または追加された場合でも本発明の各実施形態の説明には影響しない。
【００１７】
ＥＵＴＲＡおよびＡ−ＥＵＴＲＡでは、物理チャネルまたは物理信号のスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。なお、１サブフレームは、１リソースブロックペアと称されてもよい。
【００１８】
ＨＤ−ＦＤＤには２つのタイプがある。タイプＡ・ＨＤ−ＦＤＤオペレーションに対しては、ガードピリオドは、同じ端末装置からの上りリンクサブフレームの直前の下りリンクサブフレームの最後尾部分（最後尾のシンボル）を受信しないことによって端末装置によって生成される。タイプＢ・ＨＤ−ＦＤＤオペレーションに対しては、ＨＤガードサブフレームとして参照された、ガードピリオドは、同じ端末装置からの上りリンクサブフレームの直前の下りリンクサブフレームを受信しないことによって、および、同じ端末装置からの上りリンクサブフレームの直後の下りリンクサブフレームを受信しないことによって端末装置によって生成される。つまり、ＨＤ−ＦＤＤオペレーションにおいて、端末装置が下りリンクサブフレームの受信処理を制御することによってガードピリオドを生成している。なお、シンボルは、ＯＦＤＭシンボルまたはＳＣ−ＦＤＭＡシンボルのいずれかを含んでもよい。
【００１９】
フレーム構造タイプ２は、ＴＤＤを適用できる。各無線フレームは、２つのハーフフレームで構成される。各ハーフフレームは、５つのサブフレームで構成される。あるセルにおけるＵＬ−ＤＬ設定は、無線フレーム間で変化するかもしれないし、上りリンクまたは下りリンク送信におけるサブフレームの制御は、最新の無線フレームにおいて生じるかもしれない。最新の無線フレームにおけるＵＬ−ＤＬ設定は、ＰＤＣＣＨまたは上位層シグナリングを介して取得することができる。なお、ＵＬ−ＤＬ設定は、ＴＤＤにおける、上りリンクサブフレーム、下りリンクサブフレーム、スペシャルサブフレームの構成を示す。スペシャルサブフレームは、下りリンク送信が可能なＤｗＰＴＳ、ガードピリオド（ＧＰ）、上りリンク送信が可能なＵｐＰＴＳから構成される。スペシャルサブフレームにおけるＤｗＰＴＳとＵｐＰＴＳの構成はテーブル管理されており、端末装置は、上位層シグナリングを介して、その構成を取得することができる。なお、スペシャルサブフレームが下りリンクから上りリンクへのスイッチングポイントとなる。
【００２０】
本発明に係るＬＡＡ通信に用いられる端末装置は、携帯電話などの端末装置と区別するために、ＬＡＡ端末と称されてもよい。なお、本発明において、端末装置はＬＡＡ端末を含んでいる。ＬＡＡ端末は、特定の機能に特化／限定したＬＴＥ端末である。ここでは、従来のＬＴＥ端末、すなわち、ＬＡＡに関する機能がサポートされていないＬＴＥ端末を単にＬＴＥ端末と称する。同様に、基地局装置もＬＡＡ機能がサポートされている基地局装置をＬＡＡ基地局と称し、ＬＡＡ機能がサポートされていない基地局装置をＬＴＥ基地局と称してもよい。
【００２１】
ＬＡＡ通信を行なう端末装置および基地局装置は、免許不要の周波数帯で通信を行なってもよい。
【００２２】
ＬＡＡ通信が可能な周波数は、オペレーティングバンドとして設定されてもよい。例えば、オペレーティングバンドは、インデックスと対応する周波数（上りリンク周波数および／または下りリンク周波数）の範囲（つまり、周波数帯）とデュプレックスモードが紐付けられている。つまり、これらのパラメータはテーブルで管理されてもよい。オペレーティングバンドは、さらに中心周波数（キャリア周波数）を決定するオフセット値とも紐付けられてもよい。端末装置は、オフセット値に基づいて、どのバンドのインデックスに属するどの周波数であるかを判断することができる。例えば、インデックス３３の場合、対応する周波数の範囲は、１９００ＭＨｚから１９２０ＭＨｚであり、デュプレックスモードはＴＤＤである。オフセット値に基づいて、０．１ＭＨｚ刻みで中心周波数をセットすることができる。
【００２３】
ＬＡＡに対応するオペレーティングバンドは、ＥＵＴＲＡオペレーティングバンドのテーブルとともに管理されてもよい。例えば、ＥＵＴＲＡオペレーティングバンドのインデックスは、１〜４４で管理され、ＬＡＡ（またはＬＡＡの周波数）に対応するオペレーティングバンドのインデックスは、２５２〜２５５で管理されてもよい。例えば、インデックス２５２〜２５５では、下りリンクの周波数帯のみが規定されてもよい。また、一部のインデックスにおいては、上りリンクの周波数帯が予約または将来規定されるものとして予め確保されてもよい。また、対応するデュプレックスモードは、ＦＤＤやＴＤＤとは異なるデュプレックスモードであってもよいし、ＦＤＤやＴＤＤであってもよい。ＬＡＡ通信が可能な周波数は、５ＧＨｚ以上であることが好ましいが、５ＧＨｚ以下であってもよい。つまり、ＬＡＡに対応するオペレーティングバンドとして、対応付けられた周波数において、ＬＡＡ通信が行なわれる。
【００２４】
ＬＡＡに対応するオペレーティングバンドは、ＥＵＴＲＡオペレーティングバンドのテーブルとは異なるテーブルで管理されてもよい。対応する周波数（上りリンク周波数および／または下りリンク周波数）の範囲（つまり、周波数帯）とデュプレックスモードもＥＵＴＲＡオペレーティングバンドのインデックスとは個別に紐付けられてもよい。さらに、中心周波数を決定するためのオフセット値もＥＵＴＲＡオペレーティングバンドに対応するオフセット値とは個別に設定されてもよい。
【００２５】
ＬＡＡ通信を実現するために、通信装置（端末装置および／または基地局装置、デバイス、モジュール）に備えられる各種処理部（送信部や受信部、制御部など）の数や機能は従来のＬＴＥ端末と比較して拡張されてもよい。例えば、送信部や受信部に用いられるＲＦ（Radio Frequency）部やＩＦ（Intermediate Frequency）部、ベースバンド部は複数のバンドで同時に送受信できるように拡張されてもよい。送信部や受信部に用いられるフィルタ部やＳＣ−ＦＤＭＡ（Single Carrier-Frequency Division Multiple Access）信号送信部／受信部、ＯＦＤＭ信号送信部／受信部、上りリンクサブフレーム生成部、下りリンクサブフレーム生成部などが対応する帯域幅（リソースブロックの数やサブキャリア（リソースエレメント）の数）は拡張されてもよい。
【００２６】
ＬＡＡ端末は、ＬＴＥ端末と比較して、送信部（送信回路）や受信部（受信回路）の構成が複雑化されてもよい。例えば、ＲＦ部（ＲＦ回路）や送信アンテナ／受信アンテナ（アンテナポート）の数などがＬＴＥ端末と比較して、多くてもよい。また、ＬＡＡ端末は、ＬＴＥ端末と比較して、サポートしている機能が拡張されてもよい。また、ＬＡＡ端末は、サポートしている帯域幅（送受信帯域幅、測定帯域幅、チャネル帯域幅）がＬＴＥ端末と比較して、広く設定されてもよい。例えば、ＬＡＡ端末は、フィルタリングに関する機能が拡張されてもよい。
【００２７】
基地局装置は、ＣＣＣＨ（Common Control Channel）に対するＬＣＩＤ（Logical Channel ID）と端末装置の機能情報（性能情報）に基づいて端末装置がＬＡＡデバイスであることを決定してもよい。
【００２８】
Ｓ１シグナリングがページングに対する端末無線機能情報を含んで拡張している。このページング固有の機能情報が基地局装置によってＭＭＥ（Mobility Management Entity）に提供されると、ＭＭＥからのページング要求がＬＡＡ端末に関することを基地局装置に指示するために、ＭＭＥはこの情報を用いられてもよい。識別子は、ＩＤ（Identity, Identifier）と称されてもよい。
【００２９】
端末装置の機能情報（UE radio access capability, UE EUTRA capability）は、基地局装置（ＥＵＴＲＡＮ）が端末装置の機能情報が必要な時、接続モードの端末装置に対する手順を開始する。基地局装置は、端末装置の機能情報を問い合わせ、その問い合わせに応じて端末装置の機能情報を送信する。基地局装置は、その機能情報に対応しているか否かを判断し、対応している場合には、その機能情報に対応した設定情報を、上位層シグナリングなどを用いて端末装置へ送信する。端末装置は、機能情報に対応する設定情報が設定されたことによって、その機能に基づく送受信が可能であると判断する。
【００３０】
図１は、本実施形態に係る下りリンクの無線フレーム構成の一例を示す図である。下りリンクはＯＦＤＭアクセス方式が用いられる。下りリンクでは、ＰＤＣＣＨ（Physical Downlink Control Channel）、ＥＰＤＣＣＨ（Enhanced PDCCH）、ＰＤＳＣＨ（Physical Downlink Shared Channel）などが割り当てられる。下りリンクの無線フレームは、下りリンクのリソースブロック（ＲＢ）ペアから構成されている。この下りリンクのＲＢペアは、下りリンクの無線リソースの割り当てなどの単位であり、予め決められた幅の周波数帯（ＲＢ帯域幅）および時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィックス（NCP: Normal CP）が付加される場合には７個、通常よりも長いサイクリックプレフィックス（ECP: Extended CP）が付加される場合には６個のＯＦＤＭシンボルから構成される。周波数領域において１つのサブキャリア、時間領域において１つのＯＦＤＭシンボルにより規定される領域をリソースエレメント（ＲＥ）と称する。ＰＤＣＣＨ／ＥＰＤＣＣＨは、端末装置識別子、ＰＤＳＣＨのスケジューリング情報、ＰＵＳＣＨ（Physical Uplink Shared Channel）のスケジューリング情報、変調方式、符号化率、再送パラメータなどの下りリンク制御情報（ＤＣＩ）が送信される物理チャネルである。なお、ここでは１つのコンポーネントキャリア（ＣＣ）における下りリンクサブフレームを記載しているが、ＣＣ毎に下りリンクサブフレームが規定され、下りリンクサブフレームはＣＣ間でほぼ同期している。
【００３１】
なお、ここでは図示していないが、下りリンクサブフレームには、ＳＳ（Synchronization Signal）やＰＢＣＨ（Physical Broadcast Channel）やＤＬＲＳ（Downlink Reference Signal）が配置されてもよい。ＤＬＲＳとしては、ＰＤＣＣＨと同じアンテナポート（送信ポート）で送信されるＣＲＳ（Cell-specific Reference Signal）、チャネル状態情報（ＣＳＩ）の測定に用いられるＣＳＩ−ＲＳ（Channel State Information Reference Signal）、一部のＰＤＳＣＨと同じアンテナポートで送信されるＵＥＲＳ（UE-specific Reference Signal）、ＥＰＤＣＣＨと同じ送信ポートで送信されるＤＭＲＳ（Demodulation Reference Signal）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部のアンテナポート（例えば、アンテナポート０だけ）あるいは全部のアンテナポートに対応する信号と同様の信号（拡張同期信号と呼称する）を挿入することができる。ここで、アンテナポートは送信ポートと称されてもよい。ここで、“物理チャネル／物理信号がアンテナポートで送信される”とは、アンテナポートに対応する無線リソースやレイヤを用いて物理チャネル／物理信号が送信されるという意味を含む。例えば、受信部は、アンテナポートに対応する無線リソースやレイヤから物理チャネルや物理信号を受信することを意味する。
【００３２】
図２は、本実施形態に係る上りリンクの無線フレーム構成の一例を示す図である。上りリンクはＳＣ−ＦＤＭＡ方式が用いられる。上りリンクでは、ＰＵＳＣＨ（Physical Uplink Shared Channel）、ＰＵＣＣＨ（Physical Uplink Control Channel）などが割り当てられる。また、ＰＵＳＣＨやＰＵＣＣＨとともに、ＵＬＲＳ（Uplink Reference Signal）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数領域（ＲＢ帯域幅）および時間領域（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィックス（Normal CP）が付加される場合には７個、通常よりも長いサイクリックプレフィックス（Extended CP）が付加される場合には６個のＳＣ−ＦＤＭＡシンボルから構成される。なお、ここでは１つのＣＣにおける上りリンクサブフレームを記載しているが、ＣＣ毎に上りリンクサブフレームが規定される。
【００３３】
次に、本実施形態に係る物理チャネルおよび物理信号について説明する。基本的に、物理チャネルおよび／または物理信号の設定に関するパラメータは上位層パラメータとして上位層シグナリングを介して端末装置に設定されてもよい。一部の物理チャネルおよび／または物理信号の設定に関するパラメータはＤＣＩフォーマットやグラントなど、Ｌ１シグナリング（物理層シグナリング、例えば、ＰＤＣＣＨ）を介して端末装置に設定されてもよい。上位層シグナリングは、ＲＲＣメッセージや報知情報、システムインフォメーションなど、対応する設定によって、その設定を通知するために用いられるシグナリング／メッセージの種類は異なってもよい。
【００３４】
同期信号は、３種類のＰＳＳ（Primary Synchronization Signal）と、周波数領域で互い違いに配置される３１種類の符号から構成されるＳＳＳ（Secondary Synchronization Signal）とで構成され、ＰＳＳとＳＳＳの組み合わせによって、基地局装置を識別する５０４通りのセル識別子（物理セルＩＤ（ＰＣＩ））と、無線同期のためのフレームタイミングが示される。端末装置は、セルサーチによって受信した同期信号の物理セルＩＤを特定する。ＰＳＳ／ＳＳＳは、送信帯域幅（またはシステム帯域幅）の中心の６ＲＢｓ（つまり、７２ＲＥｓ、７２サブキャリア）を用いて割り当てられる。ただし、ＰＳＳ／ＳＳＳの系列が割り当てられない６ＲＢｓの両端の数サブキャリアについては、ＰＳＳ／ＳＳＳがマップされなくてもよい。つまり、端末装置は、ＰＳＳ／ＳＳＳの系列が割り当てられていないリソースについてもＰＳＳ／ＳＳＳのリソースとみなして処理を行なう。言い換えると、中心の６ＲＢｓにおいて、ＰＳＳ／ＳＳＳが送信されないリソースが存在してもよい。
【００３５】
ＰＢＣＨ（Physical Broadcast Channel）は、セル内の端末装置で共通に用いられる制御パラメータ（報知情報、システムインフォメーション（ＳＩ））を通知（設定）するために用いられる。ＰＤＣＣＨで報知情報が送信される無線リソースがセル内の端末装置に対して通知され、ＰＢＣＨで通知されない報知情報は、通知された無線リソースにおいて、ＰＤＳＣＨによって報知情報を通知するレイヤ３メッセージ（システムインフォメーション）が送信される。ＢＣＨ（Broadcast Channel）がマッピングされたＰＢＣＨのＴＴＩ（繰り返しレート）は４０ｍｓである。
【００３６】
ＰＢＣＨは、送信帯域幅（またはシステム帯域幅）の中心の６ＲＢｓ（つまり、７２ＲＥｓ、７２サブキャリア）を用いて割り当てられる。また、ＰＢＣＨは、ＳＦＮ（システムフレーム番号、無線フレーム番号）ｍｏｄ４＝０を満たす無線フレームから始まる４つ連なる無線フレームで送信される。ＰＢＣＨのスクランブルシーケンスは、ＳＦＮ（無線フレーム番号）ｍｏｄ４＝０を満たす各無線フレームにおいて、ＰＣＩを用いて初期化される。ＰＢＣＨのアンテナポートの数は、ＣＲＳのアンテナポートの数と同じである。ＰＤＳＣＨは、ＰＢＣＨやＣＲＳと重複するリソースで送信されない。つまり、端末装置は、ＰＢＣＨやＣＲＳと同じリソースにＰＤＳＣＨがマップされていると期待しない。また、基地局装置は、ＰＢＣＨやＣＲＳと同じリソースにＰＤＳＣＨをマップして送信しない。
【００３７】
ＰＢＣＨは、システム制御情報（マスターインフォメーションブロック（ＭＩＢ））を報知するために用いられる。
【００３８】
ＭＩＢはＢＣＨで送信されるシステムインフォメーションを含んでいる。例えば、ＭＩＢに含まれるシステムインフォメーションには、下りリンク送信帯域幅やＰＨＩＣＨ設定、システムフレーム番号が含まれる。また、ＭＩＢには、１０ビットのスペアビット（ビット列）が含まれる。なお、下りリンク送信帯域幅は、モビリティ制御情報に含まれてもよい。モビリティ制御情報は、ＲＲＣ接続再設定に関する情報に含まれてもよい。つまり、下りリンク送信帯域幅は、ＲＲＣメッセージ／上位層シグナリングを介して、設定されてもよい。
【００３９】
なお、本発明において、ビット列はビットマップと称されてもよい。ビット列は、１つ以上のビットで構成されてもよい。
【００４０】
ＭＩＢ以外で送信されるシステムインフォメーションは、システムインフォメーションブロック（ＳＩＢ）で送信される。システムインフォメーションメッセージ（ＳＩメッセージ）は、１つ以上のＳＩＢを伝送するために用いられる。ＳＩメッセージに含まれるすべてのＳＩＢは同じ周期で送信される。また、すべてのＳＩＢは、ＤＬ−ＳＣＨ（Downlink Shared Channel）で送信される。なお、ＤＬ−ＳＣＨは、ＤＬ−ＳＣＨデータやＤＬ−ＳＣＨトランスポートブロックと称されてもよい。なお、本発明において、トランスポートブロックはトランスポートチャネルと同義である。
【００４１】
ＳＩメッセージがマップされたＤＬ−ＳＣＨが伝送されるＰＤＳＣＨのリソース割り当ては、ＳＩ−ＲＮＴＩでスクランブルされたＣＲＣを伴うＰＤＣＣＨを用いて示される。ＳＩ−ＲＮＴＩでスクランブルされたＣＲＣを伴うＰＤＣＣＨのサーチスペースは、ＣＳＳである。
【００４２】
ランダムアクセスレスポンスに関する情報がマップされたＤＬ−ＳＣＨが伝送されるＰＤＳＣＨのリソース割り当ては、ＲＡ−ＲＮＴＩでスクランブルされたＣＲＣを伴うＰＤＣＣＨを用いて示される。ＲＡ−ＲＮＴＩでスクランブルされたＣＲＣを伴うＰＤＣＣＨのサーチスペースは、ＣＳＳである。
【００４３】
ページングメッセージがマップされたＰＣＨが伝送されるＰＤＳＣＨのリソース割り当ては、Ｐ−ＲＮＴＩでスクランブルされたＣＲＣを伴うＰＤＣＣＨを用いて示される。Ｐ−ＲＮＴＩでスクランブルされたＣＲＣを伴うＰＤＣＣＨのサーチスペースは、ＣＳＳである。なお、ＰＣＨは、ＰＣＨデータやＰＣＨトランスポートブロックと称されてもよい。本発明において、ページングメッセージとＰＣＨは同義であってもよい。
【００４４】
ＳＩＢはタイプ毎に送信可能なシステムインフォメーションが異なる。つまり、タイプ毎に示される情報が異なる。
【００４５】
例えば、システムインフォメーションブロックタイプ１（ＳＩＢ１）は、端末装置があるセルにアクセスする際の推定（評価、測定）に関連する情報を含み、他のシステムインフォメーションのスケジューリングを定義する。例えば、ＳＩＢ１は、ＰＬＭＮ識別子リストやセル識別子、ＣＳＧ識別子などのセルアクセスに関連する情報やセル選択情報、最大電力値（P-Max）、周波数バンドインディケータ、ＳＩウインドウ長、ＳＩメッセージに対する送信周期、ＴＤＤ設定などを含んでいる。
【００４６】
ブロードキャストを介して、または、専用シグナリングを介して、ＳＩＢ１を受信すると、端末装置は、Ｔ３１１が起動している間のアイドルモードまたは接続モードであるとすれば、そして、端末装置がカテゴリー０端末であるとすれば、そして、カテゴリー０端末がセルへのアクセスを許可されていることを指示する情報（category0Allowed）がＳＩＢ１に含まれていないとすれば、セルへのアクセスが禁止されているとみなす。すなわち、カテゴリー０端末は、ＳＩＢ１において、カテゴリー０端末がセルへのアクセスを許可されていないとすれば、そのセルへアクセスすることはできない。
【００４７】
例えば、システムインフォメーションブロックタイプ２（ＳＩＢ２）は、すべての端末装置に対して共通である無線リソース設定情報を含んでいる。例えば、ＳＩＢ２は、上りリンクキャリア周波数や上りリンク帯域幅などの周波数情報や時間調整タイマーに関する情報などを含んでいる。また、ＳＩＢ２は、ＰＤＳＣＨやＰＲＡＣＨ、ＳＲＳ、上りリンクＣＰ長などの物理チャネル／物理信号の設定に関する情報などを含んでいる。また、ＳＩＢ２は、ＲＡＣＨやＢＣＣＨなど上位層のシグナリングの設定に関する情報を含んでいる。
【００４８】
例えば、システムインフォメーションブロックタイプ３（ＳＩＢ３）は、周波数内、周波数間、ＲＡＴ（Radio Access Technology）間のセル再選択に対して共通の情報（パラメータ、パラメータの値）を含んでいる。
【００４９】
１７タイプのＳＩＢが用意されているが、用途によって新たに追加／定義されてもよい。
【００５０】
ＳＩメッセージは、ＳＩＢ１以外のＳＩＢが含まれる。
【００５１】
ＰＢＣＨは、４０ｍｓ間隔内の４サブフレームにおいて、符号化されたＢＣＨトランスポートブロックがマップされる。ＰＢＣＨの４０ｍｓタイミングはブラインド検出される。つまり、４０ｍｓタイミングを指示するための明示的なシグナリングはない。各サブフレームはセルフ復号が可能であると仮定される。つまり、ＢＣＨは、かなり良いチャネル状態と仮定され、１回の受信で復号されることができる。
【００５２】
ＭＩＢ（またはＰＢＣＨ）は、４０ｍｓ周期で、４０ｍｓ内で繰り返される固定のスケジュールを用いる。ＭＩＢの最初の送信はシステムフレーム番号（ＳＦＮ）を４で割った余りが０（ＳＦＮ  ｍｏｄ  ４＝０）となる無線フレームのサブフレーム＃０でスケジュールされ、他のすべての無線フレームのサブフレーム＃０で繰り返しがスケジュールされる。つまり、ＭＩＢに含まれる情報は、４０ｍｓ周期で更新されることがある。なお、ＳＦＮは、無線フレーム番号と同義である。
【００５３】
ＳＩＢ１は、８０ｍｓ周期で、８０ｍｓ内で繰り返される固定のスケジュールを用いる。ＳＩＢ１の最初の送信は、ＳＦＮを８で割った余りが０（ＳＦＮ  ｍｏｄ  ８＝０）となる無線フレームのサブフレーム＃５でスケジュールされ、ＳＦＮを２で割った余りが０（ＳＦＮ  ｍｏｄ  ２＝０）となる他のすべての無線フレームのサブフレーム＃５で繰り返しがスケジュールされる。
【００５４】
ＳＩメッセージは、ダイナミックスケジューリング（ＰＤＣＣＨスケジューリング、ＳＩ−ＲＮＴＩ（System Information Radio Network Temporary Identifier）がスクランブルされたＣＲＣを伴うＰＤＣＣＨ）を用いて周期的に生じる時間領域ウインドウ（ＳＩウインドウ）内に送信される。各ＳＩメッセージはＳＩウインドウと関連付けられ、異なるＳＩメッセージのＳＩウインドウは重複しない。１つのＳＩウインドウ内において、対応するＳＩだけが送信される。ＳＩウインドウの長さは、すべてのＳＩメッセージに対して共通であり、設定可能である。ＳＩウインドウ内において、ＭＢＳＦＮ（Multimedia Broadcast multicast service Single Frequency Network）サブフレーム、ＴＤＤの上りリンクサブフレーム、ＳＦＮを２で割った余りが０（ＳＦＮ  ｍｏｄ  ２＝０）となる無線フレームのサブフレーム＃５以外のサブフレームにおいて何度でも送信されることができる。端末装置は、ＰＤＣＣＨのＳＩ−ＲＮＴＩをデコードすることによって詳細な時間領域スケジューリング（および、周波数領域スケジューリングや使用されたトランスポートフォーマットなどの他の情報）を捕捉する。なお、ＳＩメッセージにはＳＩＢ１以外のＳＩＢが含まれる。
【００５５】
端末装置は、ＥＵＴＲＡＮによって報知されたＡＳおよびＮＡＳのシステムインフォメーションを捕捉するためにシステムインフォメーション捕捉手順を適用する。この手順は、アイドルモード（アイドル状態、ＲＲＣ＿ＩＤＬＥ）および接続モード（接続状態、ＲＲＣ＿ＣＯＮＮＥＣＴＥＤ）の端末装置に適用される。
【００５６】
端末装置は、必要なシステムインフォメーションの有効なバージョンを持つ必要がある。
【００５７】
アイドルモードであれば、関連するＲＡＴのサポートに依存するシステムインフォメーションブロックタイプ８（ＳＩＢ８）やＲＡＮ（Radio Access Network）がアシストするＷＬＡＮ（Wireless Local Area Network）インターワーキングのサポートに依存するシステムインフォメーションブロックタイプ１７を介して、ＳＩＢ２だけでなく、ＭＩＢやＳＩＢ１も必要である。つまり、端末装置がサポートしている機能に応じて、必要なＳＩＢも異なる場合がある。
【００５８】
接続モードであれば、ＭＩＢ、ＳＩＢ１、ＳＩＢ２、ＳＩＢ１７が必要になる。
【００５９】
端末装置は、保持したシステムインフォメーションが有効であると確認してから３時間後にそのシステムインフォメーションを削除する。つまり、端末装置は、一度保持したシステムインフォメーションを永久に保持し続けるわけではない。端末装置は、所定の時間が経過すれば、保持したシステムインフォメーションを削除する。
【００６０】
端末装置は、ＳＩＢ１に含まれるシステムインフォメーションバリュータグが保持されたシステムインフォメーションの１つと異なるとすれば、システムインフォメーションブロックタイプ１０（ＳＩＢ１０）、システムインフォメーションブロックタイプ１１（ＳＩＢ１１）、システムインフォメーションブロックタイプ１２（ＳＩＢ１２）、システムインフォメーションブロックタイプ１４（ＳＩＢ１４）を除く、保持されたシステムインフォメーションを無効であるとみなす。
【００６１】
ＰＢＣＨは、周波数領域においては下りリンク帯域幅設定における中心の６ＲＢｓ（７２ＲＥｓ）に割り当てられ、時間領域においてはサブフレーム０（無線フレーム内の１番目のサブフレーム、サブフレームのインデクス０）のスロット１（サブフレーム内の２番目のスロット、スロットインデクス１）のインデクス（ＯＦＤＭシンボルのインデクス）０〜３に割り当てられる。なお、下りリンク帯域幅設定は、サブキャリアの数で表された、周波数領域におけるリソースブロックサイズの倍数で表される。また、下りリンク帯域幅設定は、あるセルで設定された下りリンク送信帯域幅である。つまり、ＰＢＣＨは、下りリンク送信帯域幅の中心の６ＲＢｓを用いて送信される。
【００６２】
ＰＢＣＨは、ＤＬＲＳに対してリザーブされたリソースを用いて送信されない。つまり、ＰＢＣＨは、ＤＬＲＳのリソースを避けてマッピングされる。ＰＢＣＨのマッピングは、実際の設定に係らず、存在しているアンテナポート０〜３に対するＣＲＳを仮定して行なわれる。また、アンテナポート０〜３のＣＲＳのリソースエレメントは、ＰＤＳＣＨ送信に対して利用されない。
【００６３】
報知情報として、セル個別の識別子を示すセルグローバル識別子（ＣＧＩ）、ページングによる待ち受けエリアを管理するトラッキングエリア識別子（ＴＡＩ）、ランダムアクセス設定情報（送信タイミングタイマーなど）、当該セルにおける共通無線リソース設定情報、周辺セル情報、上りリンクアクセス制限情報などが通知される。
【００６４】
ＤＬＲＳは、その用途によって複数のタイプに分類される。例えば、ＣＲＳは、セル毎に所定の電力で送信されるパイロット信号であり、所定の規則に基づいて周波数領域および時間領域で周期的に繰り返されるＤＬＲＳである。端末装置は、ＣＲＳを受信することでセル毎の受信品質（ＲＳＲＰ（Reference Signal Received Power）、ＲＳＲＱ（Reference Signal Received Quality））を測定する。また、端末装置は、ＣＲＳと同時に送信されるＰＤＣＣＨ、または、ＰＤＳＣＨの復調のための参照用の信号としてもＣＲＳを使用してもよい。ＣＲＳに使用される系列は、セル毎に識別可能な系列が用いられる。つまり、ＣＲＳに使用される系列は、セルＩＤに基づいて設定されてもよい。
【００６５】
また、ＤＬＲＳは、下りリンクの伝搬路変動の推定（チャネル推定）にも用いられる。伝搬路変動（チャネル状態）の推定に用いられるＤＬＲＳのことをＣＳＩ−ＲＳと称する。また、端末装置に対して個別に設定されるＤＬＲＳは、ＵＥＲＳ、ＤＭＲＳまたはＤｅｄｉｃａｔｅｄ  ＲＳと称され、ＥＰＤＣＣＨまたはＰＤＳＣＨを復調するときのチャネルの伝搬路補償処理のために参照される。ＤＭＲＳは、下りリンクと上りリンクの両方にそれぞれある。識別を容易にするため、本発明では、下りリンクに対するＤＭＲＳをＵＥＲＳまたはＤＬ  ＤＭＲＳと称し、上りリンクに対するＤＭＲＳを単にＤＭＲＳまたはＵＬ  ＤＭＲＳと称する。
【００６６】
ＣＳＩは、受信品質指標（ＣＱＩ）、プレコーディング行列指標（ＰＭＩ）、プレコーディングタイプ指標（ＰＴＩ）、ランク指標（ＲＩ）を含み、それぞれ、好適な変調方式および符号化率、好適なプレコーディング行列、好適なＰＭＩのタイプ、好適なランクを指定する（表現する）ために用いられることができる。なお、各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１のＰＭＩと第２のＰＭＩの２種類のＰＭＩを用いて１つの好適なプレコーディング行列を表現するタイプのＰＭＩが存在する。なお、ＣＳＩは、ＰＵＣＣＨまたはＰＵＳＣＨを用いて報告される。端末装置は、ＣＳＩ−ＲＳに関するパラメータが設定されていない、または、ＣＳＩ−ＲＳを受信／測定する機能を有さない場合には、ＣＲＳに基づいて、ＣＳＩを測定してもよい。
【００６７】
ＣＳＩ−ＩＭ（Channel State Information - Interference Measurement）は、ゼロ電力のＣＳＩ−ＲＳリソースに基づいて行なわれる。ＣＳＩ−ＩＭに用いられるゼロ電力のＣＳＩ−ＲＳは、ＣＳＩを測定する場合とは異なり、接続している基地局装置（セル）からＣＳＩ−ＲＳは送信されない。つまり、端末装置は、ＣＳＩ−ＲＳがマップされていないリソースを用いて隣接セルの干渉電力や雑音電力（つまり、隣接セル（非サービングセル）に属する基地局装置および／または端末装置から送信される信号の電力や雑音電力）を測定する。ＣＳＩを測定する場合には、非ゼロ電力のＣＳＩ−ＲＳリソースを用いて行なわれる。ゼロ電力のＣＳＩ−ＲＳリソースと非ゼロ電力のＣＳＩ−ＲＳリソースは個別に上位層パラメータを用いて設定される。なお、リソースは、１リソースブロック内のどのリソースエレメントを用いて行なうかを示すインデックスと送信サブフレームおよび送信周期（測定サブフレームおよび測定周期）またはサブフレームパターンに基づいて設定される。なお、サブフレームパターンの場合、１６ビットのビット列が用いられることによってゼロ電力のＣＳＩ−ＲＳリソースが割り当てられるサブフレームが示される。ゼロ電力のＣＳＩ−ＲＳリソースが割り当てられるサブフレームに対して、“１”がセットされる。なお、端末装置は、ゼロ電力および非ゼロ電力のＣＳＩ−ＲＳリソースがＰＭＣＨ（Physical Multicast Channel）とあるサービングセルの同じサブフレームで設定されることを期待しない。なお、ゼロ電力のＣＳＩ−ＲＳリソースに関する設定は、ＣＳＩ−ＩＭ以外の用途として用いられるために設定されてもよい。
【００６８】
また、サブフレームパターンにおいて、フレーム構造タイプ１のサービングセルに対して、端末装置は、ＮＣＰに対して１６ビットの下位６ビットのうち、いずれか１つが“１”にセットされ、ＥＣＰに対して１６ビットの下位８ビットのうち、いずれか１つが“１”にセットされることを期待しない。また、フレーム構造タイプ２のサービングセルで４ＣＲＳポートに対して、端末装置は、ＮＣＰに対して１６ビットの下位６ビットのうち、いずれか１つが“１”にセットされ、ＥＣＰに対して１６ビットの下位８ビットのうち、いずれか１つが“１”にセットされることを期待しない。
【００６９】
ＤＳ（Discovery Signal(s)）は、ＤＳに関するパラメータが設定された周波数において、時間周波数同期やセル識別、ＲＲＭ（Radio Resource Management）測定（イントラおよび／またはインター周波数測定）に用いられる。また、ＤＳは複数の信号から構成され、それらの信号が同じ周期で送信される。ＤＳは、ＰＳＳ／ＳＳＳ／ＣＲＳのリソースを用いて構成され、さらに、ＣＳＩ−ＲＳのリソースを用いて構成されてもよい。ＤＳにおいて、ＣＲＳやＣＳＩ−ＲＳがマップされるリソースを用いて、ＲＳＲＰやＲＳＲＱが測定されてもよい。ＤＳを測定するタイミング（測定サブフレームおよび測定周期）は、ＤＭＴＣ（DS Measurement Timing Configuration）に含まれるパラメータに基づいて決定される。ＤＳの測定周期は、４０ｍｓ、８０ｍｓ、１２０ｍｓと４０ｍｓの倍数で設定される。また、ＤＳの測定サブフレームは、測定周期（送信周期）と紐付いて、周期とは個別のパラメータとして設定されてもよい。また、測定サブフレームは、システムフレーム番号０のサブフレーム０に対するサブフレームのオフセットであってもよい。また、測定サブフレームは、測定周期内のサブフレーム０に対応するサブフレームとのサブフレームオフセットに基づいて設定されてもよい。なお、ＲＲＭ測定は、ＲＳＲＰ、ＲＳＲＱ、ＲＳＳＩの測定を少なくとも１つは含んでいる。なお、ＤＳは、ＤＲＳ（Discovery Reference Signal(s)）と称されてもよい。なお、ＤＭＴＣ（サブフレームオフセットおよび周期の設定）に関するパラメータは、測定ＤＳ設定に含まれる。
【００７０】
端末装置は、ＤＭＴＣの設定により、ＤＳが送信される可能性のあるＤＳオケージョンの開始位置（サブフレームの開始位置）が分かる。ＤＳオケージョンの長さは、固定である（例えば、６サブフレーム）。ＤＳオケージョン内のサブフレームにおいて、実際にＤＳが送信されるサブフレームの期間は、ＤＳ継続期間（ＤＳオケージョン継続期間）として測定ＤＳ設定に設定される。ＤＳに含まれるＣＲＳはＤＳ継続期間内のすべてのサブフレームで送信されてもよい。さらに、測定ＤＳ設定に、ＣＳＩ−ＲＳに関するパラメータが含まれている場合には、端末装置は、ＣＳＩ−ＲＳＲＰを測定することができる。なお、測定ＤＳ設定は、測定オブジェクト設定に含まれてもよい。つまり、測定オブジェクト設定に、測定ＤＳ設定が含まれる場合には、端末装置は、ＤＳをＤＭＴＣに基づいて測定することができる。ＤＳ継続期間に基づいて、端末装置は、ＤＳオケージョンの先頭のサブフレームからＤＳのモニタリングを行なう。端末装置は、ＤＳに含まれるＰＳＳ／ＳＳＳを検出したサブフレームから継続期間に基づいて、対応するＤＳ（ＣＲＳおよびＣＳＩ−ＲＳ）をモニタする。
【００７１】
ＤＳに含まれるＣＲＳは継続期間内のすべてのサブフレームにマップされてもよい。
【００７２】
ＤＳに含まれるＣＳＩ−ＲＳは０以上のリソースが設定されてもよい。ＤＳに含まれるＣＳＩ−ＲＳは、リスト化されて管理されてもよい。リストに含まれるＩＤとＣＳＩ−ＲＳのリソースの設定が紐付けられてもよい。つまり、１つのＤＳ（１つの継続期間）に含まれるＣＳＩ−ＲＳは複数であってもよい。
【００７３】
ＤＳは、活性化／非活性化（オン／オフ）可能なセルを構成する基地局装置から（つまり、活性化／非活性化（オン／オフ）可能なセルの周波数を用いて）送信されてもよい。
【００７４】
なお、本発明において、継続期間は、１つ以上の連続するサブフレームまたはシンボルであることと同義である。また、継続期間は、バーストと称されてもよい。つまり、バーストも１つ以上の連続するサブフレームまたはシンボルであることと同義である。継続期間に用いられる単位（dimension）は、設定されたパラメータに基づいて決定されてもよい。
【００７５】
測定周期および測定サブフレームは、端末装置における測定に関するパラメータであるが、同時に、基地局装置における送信に関するパラメータでもある。また、端末装置における受信に関するパラメータは、同時に、基地局装置における送信に関するパラメータであってもよい。つまり、基地局装置は、端末装置に設定したパラメータに基づいて、対応する下りリンク信号を送信してもよい。また、端末装置における送信に関するパラメータは、基地局装置における受信または測定に関するパラメータであってもよい。つまり、基地局装置は、端末装置に設定したパラメータに基づいて、対応する上りリンク信号を受信してもよい。
【００７６】
測定ＤＳ設定に含まれるＣＳＩ−ＲＳの設定には、測定されるＣＳＩ−ＲＳに紐付けられたＩＤ（測定ＣＳＩ−ＲＳのＩＤ）、系列生成に用いられる物理層セルＩＤおよびスクランブリングＩＤ、ＣＳＩ−ＲＳの時間周波数リソース（リソースエレメントのペア）を決定するリソース設定、ＳＳＳとのサブフレームオフセットを示すサブフレームオフセット、ＣＳＩ−ＲＳに個別で設定される電力オフセットがある。
【００７７】
測定ＤＳ設定には、ＣＳＩ−ＲＳの設定に対応するＩＤの追加変更リストと削除リストが含まれる。端末装置は、追加変更リストにセットされた測定ＣＳＩ−ＲＳのＩＤと関連するＣＳＩ−ＲＳのリソースを測定する。また、端末装置は、削除リストにセットされた測定ＣＳＩ−ＲＳのＩＤと関連するＣＳＩ−ＲＳのリソースの測定をやめる。
【００７８】
あるセル（周波数）に対するＤＳオケージョンは、フレーム構造タイプ１に対しては１から５の連続するサブフレームの継続期間を伴う周期と、フレーム構造タイプ２に対しては２から５の連続するサブフレームの継続期間を伴う周期から構成される。その周期および継続期間において、端末装置はＤＳの存在を仮定し、測定を行なう。
【００７９】
ＤＳを構成する（またはＤＳオケージョンのサブフレームに含まれる）ＣＲＳは、その期間のすべての下りリンクサブフレームおよびスペシャルサブフレームのＤｗＰＴＳにおいて、アンテナポート０のリソースにマップされる。なお、「ＤＳを構成する」は、「ＤＳオケージョンのサブフレームに含まれる」と同義であってもよい。
【００８０】
ＤＳに含まれるＰＳＳは、フレーム構造タイプ１に対しては、その期間の第１のサブフレームに、フレーム構造タイプ２に対しては、その期間の第２のサブフレームにマップされる。
【００８１】
ＤＳに含まれるＳＳＳは、その期間の第１のサブフレームにマップされる。
【００８２】
なお、ＤＳがＬＡＡ周波数に対する測定オブジェクトに含まれる場合、対応するＤＳのＰＳＳ／ＳＳＳのリソースは周波数方向にシフトされ、マップされてもよい。シフト量は、セルＩＤなどの所定のＩＤまたは上位層によって設定された値に基づいて決定されてもよい。また、ＤＳがＬＡＡ周波数に対する測定オブジェクトに含まれる場合、対応するＤＳのＰＳＳ／ＳＳＳのリソースおよび系列は、測定帯域幅に基づいて拡張されてもよい。
【００８３】
ＤＳに含まれるＣＳＩ−ＲＳは、非ゼロ電力のリソースが、その期間の０以上のサブフレームにマップされる。
【００８４】
端末装置は、ＤＭＴＣの周期毎に１つのＤＳオケージョンがあると仮定して、測定を行なってもよい。
【００８５】
ＬＡＡ周波数においては、さらに、基地局装置および／または端末装置から初期信号と予約信号が送信されてもよい。
【００８６】
初期信号は、データ信号（ＰＤＳＣＨやＰＵＳＣＨ）や制御信号（ＰＤＣＣＨやＰＵＣＣＨ）、参照信号（ＤＬＲＳやＵＬＲＳ）の送信開始位置を示すために用いられる信号である。初期信号はプリアンブルとも称される。つまり、端末装置または基地局装置は、初期信号を受信すれば、その後に続くデータ信号や制御信号を受信することができる。
【００８７】
予約信号は、ＬＢＴを行ない、チャネルがクリアであると判断した場合に、他の基地局装置や端末装置に、割り込まれないように、そのチャネルを専有していることを示す、閾値以上のエネルギーで信号を送信する。予約信号そのものにはデータをマップする必要はない。
【００８８】
初期信号は、予約信号の役割を果たす場合がある。また、初期信号に制御情報をマップしてもよい。また、初期信号は、時間周波数の同期やセル識別に用いられてもよい。
【００８９】
初期信号および／または予約信号は、ＡＧＣ（Auto Gain Control）の設定に用いられてもよい。
【００９０】
端末装置は、基地局装置において、ＬＢＴが行なわれるか否かに基づいて、周期的にＤＳおよびＰＳＳ／ＳＳＳ／ＣＲＳ／ＣＳＩ−ＲＳ（ＤＳ以外の周期的に送信される信号）が送信されるか否かを判断してもよい。端末装置は、基地局装置において、ＬＢＴが行なわれる場合、ＤＳが周期的に送信されないと推定し、ＤＳの測定を行なう。
【００９１】
基地局装置は、ＬＡＡ周波数において、ＤＳを送信する場合、ＤＳオケージョン内にデータ情報および／または制御情報をマップしてもよい。そのデータ情報および／または制御情報には、ＬＡＡセルに関する情報が含まれてもよい。例えば、そのデータ情報および／または制御情報には、ＬＡＡセルが属する周波数、セルＩＤ、負荷や混雑状況、干渉／送信電力、チャネルの専有時間や送信データに関するバッファの状況が含まれてもよい。
【００９２】
ＬＡＡ周波数において、ＤＳが測定される場合、ＤＳに含まれる各信号に用いられるリソースは拡張されてもよい。例えば、ＣＲＳは、アンテナポート０だけでなく、アンテナポート２や３などに対応するリソースが用いられてもよい。また、ＣＳＩ−ＲＳも、アンテナポート１５だけでなく、アンテナポート１６や１７などに対応するリソースが用いられてもよい。
【００９３】
ＰＤＣＣＨは、各サブフレームの先頭からいくつかのＯＦＤＭシンボル（例えば、１〜４ＯＦＤＭシンボル）で送信される。ＥＰＤＣＣＨは、ＰＤＳＣＨが配置されるＯＦＤＭシンボルに配置されるＰＤＣＣＨである。ＥＰＤＣＣＨに関するパラメータは、上位層パラメータとしてＲＲＣメッセージ（上位層シグナリング）を介して設定されてもよい。ＰＤＣＣＨまたはＥＰＤＣＣＨは、端末装置に対して基地局装置のスケジューリングに従った無線リソース割り当て情報や、送信電力の増減の調整量を指示する情報、その他の制御情報を通知する目的で使用される。つまり、ＰＤＣＣＨ／ＥＰＤＣＣＨは、ＤＣＩ（または、少なくとも１つのＤＣＩで構成されたあるＤＣＩフォーマット）を送信するために使用される。本発明の各実施形態において、単にＰＤＣＣＨと記載した場合、特に明記がなければ、ＰＤＣＣＨとＥＰＤＣＣＨの両方の物理チャネルを意味する。
【００９４】
ＰＤＣＣＨは、ＰＣＨ（Paging Channel）とＤＬ−ＳＣＨのリソース割り当ておよびＤＬ−ＳＣＨに関するＨＡＲＱ情報（ＤＬ  ＨＡＲＱ）を端末装置（ＵＥ）と中継局装置（ＲＮ）に通知するために用いられる。また、ＰＤＣＣＨは、上りリンクスケジューリンググラントやサイドリンクスケジューリンググラントを送信するために用いられる。つまり、ＰＤＣＣＨは、ＰＣＨおよび／またはＤＬ−ＳＣＨのリソース割り当てを示すＤＣＩ（ＰＤＳＣＨに対するリソース割り当て）と、ＰＣＨおよび／またはＤＬ−ＳＣＨに対するＨＡＲＱ−ＡＣＫを示すＤＣＩを送信するために用いられる。端末装置は、それらのＤＣＩに基づいて、ＰＣＨまたはＤＬ−ＳＣＨがマップされたＰＤＳＣＨを検出する。
【００９５】
ＰＣＨおよび／またはＤＬ−ＳＣＨのリソース割り当てを示すＤＣＩには、ＰＤＳＣＨのリソース配置に関する情報／仮想リソース配置に関する情報（リソースブロック割り当てに関する情報）やＰＤＳＣＨの復調に用いられるＵＥＲＳまたはＤＭＲＳのアンテナポートおよびレイヤの数に関する情報などが含まれてもよい。
【００９６】
ＰＣＨおよび／またはＤＬ−ＳＣＨに対するＨＡＲＱ−ＡＣＫを示すＤＣＩには、変調符号化方式に関する情報、ＰＣＨまたはＤＬ−ＳＣＨトランスポートブロックの初送か再送を示す情報、サーキュラバッファにおけるスタートポイント（格納されたデータ（ＨＡＲＱソフトバッファ）の読み込み開始位置）を示す情報（Redundancy Version）、ＡＣＫの誤送信やＰＤＣＣＨの検出ミスなどのＨＡＲＱプロトコルエラーの可能性を考慮した、ＴＤＤのＨＡＲＱ−ＡＣＫ手順に用いられる、ＤＡＩ（Downlink Assignment Index）に関する情報（ＰＵＳＣＨ（ＵＬ−ＳＣＨ）に対するＨＡＲＱ−ＡＣＫのサブフレームに関する情報、ＰＤＳＣＨ（ＰＣＨまたはＤＬ−ＳＣＨ）に対するＨＡＲＱ−ＡＣＫのサブフレームに関する情報）などが含まれてもよい。
【００９７】
ＥＰＤＣＣＨは、ＤＬ−ＳＣＨのリソース割り当ておよびＤＬ−ＳＣＨに関するＨＡＲＱ情報を端末装置（ＵＥ）に通知するために用いられる。また、ＥＰＤＣＣＨは、上りリンクスケジューリンググラントやサイドリンクスケジューリンググラントを送信するために用いられる。
【００９８】
ＰＤＣＣＨは、１つまたはいくつかの連続するＣＣＥ（Control Channel Element）を集約して送信される。なお、１つのＣＣＥは、９つのリソースエレメントグループ（ＲＥＧ）に相当する。システムで利用可能なＣＣＥの数は、物理制御フォーマットインディケータチャネル（ＰＣＦＩＣＨ（Physical Control Format Indicator Channel）やＰＨＩＣＨ（Physical HARQ Indicator Channel）を除いて決定される。ＰＤＣＣＨは、複数のフォーマット（ＰＤＣＣＨフォーマット）をサポートしている。各ＰＤＣＣＨフォーマットは、ＣＣＥの数やＲＥＧの数、ＰＤＣＣＨビットの数が定義されている。１つのＲＥＧは、４ＲＥｓで構成される。つまり、１ＰＲＢで３ＲＥＧｓまで含めてもよい。ＰＤＣＣＨフォーマットは、ＤＣＩフォーマットのサイズなどに応じて決定される。
【００９９】
複数のＰＤＣＣＨは、まとめて変調符号化処理された後、下りリンク送信帯域幅全体にマッピングされるため、端末装置は自装置宛のＰＤＣＣＨを検出するまでデコードし続ける。つまり、端末装置は、一部の周波数領域のみを受信して復調復号化処理をしてもＰＤＣＣＨを検出することはできない。端末装置は、下りリンク送信帯域幅全体にマッピングされたＰＤＣＣＨをすべて受信してからでないと、自装置宛のＰＤＣＣＨ（ＰＤＣＣＨ候補）を正しく検出することはできない。
【０１００】
複数のＰＤＣＣＨは、１つのサブフレームで送信されてもよい。また、ＰＤＣＣＨは、ＰＢＣＨと同じセットのアンテナポートで送信される。ＥＰＤＣＣＨは、ＰＤＣＣＨとは異なるアンテナポートから送信される。
【０１０１】
端末装置は、下りリンクデータ（ＤＬ−ＳＣＨ）や上位層制御情報であるレイヤ２メッセージおよびレイヤ３メッセージ（ページング、ハンドオーバコマンドなど）を送受信する前に、自装置宛のＰＤＣＣＨを監視（モニタ）し、自装置宛のＰＤＣＣＨを受信することで、送信時には上りリンクグラント、受信時には下りリンクグラント（下りリンクアサインメント）と呼ばれる無線リソース割り当て情報をＰＤＣＣＨから取得する必要がある。なお、ＰＤＣＣＨは、上述したＯＦＤＭシンボルで送信される以外に、基地局装置から端末装置に対して個別に割り当てられるリソースブロックの領域で送信されるように構成することも可能である。
【０１０２】
ＤＣＩは、特定のフォーマットで送信される。上りリンクグラントと下りリンクグラントを示すフォーマットは異なるフォーマットで送信される。例えば、端末装置は、ＤＣＩフォーマット０から上りリンクグラントを取得し、ＤＣＩフォーマット１Ａから下りリンクグラントを取得することができる。また、ＰＵＳＣＨまたはＰＵＣＣＨに対する送信電力制御コマンドを示すＤＣＩのみを含むＤＣＩフォーマット（ＤＣＩフォーマット３／３Ａ）やＵＬ−ＤＬ設定を示すＤＣＩを含むＤＣＩフォーマット（ＤＣＩフォーマット１Ｃ）などがある。例えば、ＰＵＳＣＨやＰＤＳＣＨに対する無線リソース割り当て情報は、ＤＣＩの一種である。
【０１０３】
端末装置は、検出したＤＣＩ（検出したＤＣＩのフィールドにセットされた値）に基づいて、対応する上りリンク信号や下りリンク信号の種々のパラメータを設定し、送受信を行なうことができる。例えば、ＰＵＳＣＨのリソース割り当てに関するＤＣＩを検出した場合、端末装置は、そのＤＣＩに基づいて、ＰＵＳＣＨのリソース割り当てを行ない、送信することができる。また、ＰＵＳＣＨに対する送信電力制御コマンド（ＴＰＣコマンド）を検出した場合、端末装置は、そのＤＣＩに基づいて、ＰＵＳＣＨの送信電力の調整を行なうことができる。また、ＰＤＳＣＨのリソース割り当てに関するＤＣＩを検出した場合、端末装置は、そのＤＣＩに基づいて示されたリソースからＰＤＳＣＨを受信することができる。
【０１０４】
端末装置は、各種ＤＣＩ（ＤＣＩフォーマット）を特定のＲＮＴＩ（Radio Network Temporary Identifier）によってスクランブルされたＣＲＣ（Cyclic Redundancy Check）を伴うＰＤＣＣＨを復号することによって取得（判別）することができる。どのＲＮＴＩによってスクランブルされたＣＲＣを伴うＰＤＣＣＨを復号するかは上位層によって設定される。
【０１０５】
どのＲＮＴＩによってスクランブルされるかによって、そのＰＤＣＣＨに対応するＤＬ−ＳＣＨまたはＰＣＨで送信される制御情報は異なる。例えば、Ｐ−ＲＮＴＩ（Paging RNTI）によってスクランブルされた場合は、そのＰＣＨでページングに関する情報が送信される。また、ＳＩ−ＲＮＴＩ（System Information RNTI）によってスクランブルされた場合は、そのＤＬ−ＳＣＨを用いてシステムインフォメーションが送信されてもよい。
【０１０６】
また、ＤＣＩフォーマットは、特定のＲＮＴＩによって与えられたサーチスペース（ＣＳＳ（Common Search Space）、ＵＥＳＳ（UE-specific SS））にマップされる。また、サーチスペースは、モニタするＰＤＣＣＨ候補のセットとして定義されている。つまり、本発明の各実施形態において、サーチスペースをモニタすることとＰＤＣＣＨをモニタすることは同義である。なお、ＰＣｅｌｌにおけるＣＳＳとＵＥＳＳは重複することがある。ＥＰＤＣＣＨにおいては、ＵＥＳＳのみ定義されている場合がある。
【０１０７】
ＣＲＣをスクランブルするＲＮＴＩには、ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、Ｍ−ＲＮＴＩ、Ｐ−ＲＮＴＩ、ＳＩ−ＲＮＴＩがある。ＲＡ−ＲＮＴＩ、Ｃ−ＲＮＴＩ、ＳＰＳ  Ｃ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを介して、基地局装置から端末装置に設定される。Ｍ−ＲＮＴＩ、Ｐ−ＲＮＴＩ、ＳＩ−ＲＮＴＩは１つの値に対応している。例えば、Ｐ−ＲＮＴＩは、ＰＣＨおよびＰＣＣＨに対応し、ページングとシステムインフォメーションの変更を通知するために用いられる。ＳＩ−ＲＮＴＩは、ＤＬ−ＳＣＨ、ＢＣＣＨに対応し、システムインフォメーションの報知に用いられる。ＲＡ−ＲＮＴＩは、ＤＬ−ＳＣＨに対応し、ランダムアクセスレスポンスに用いられる。ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを用いて設定される。Ｍ−ＲＮＴＩ、Ｐ−ＲＮＴＩ、ＳＩ−ＲＮＴＩは所定の値が定義されている。
【０１０８】
各ＲＮＴＩによってスクランブルされたＣＲＣを伴うＰＤＣＣＨは、ＲＮＴＩの値によって、対応するトランスポートチャネルや論理チャネルが異なる場合もある。つまり、ＲＮＴＩの値によって、示される情報が異なる場合もある。
【０１０９】
１つのＳＩ−ＲＮＴＩは、すべてのＳＩメッセージと同様にＳＩＢ１にアドレスするために用いられる。
【０１１０】
ＰＨＩＣＨは、上りリンク送信に応えるＨＡＲＱ−ＡＣＫ／ＮＡＣＫ（ＮＡＫ）を送信するために用いられる。
【０１１１】
ＰＣＦＩＣＨは、ＰＤＣＣＨに用いられるＯＦＤＭシンボルの数に関して端末装置と中継局装置に通知するために用いられる。また、ＰＣＦＩＣＨは、下りリンクサブフレームまたはスペシャルサブフレーム毎に送信される。
【０１１２】
ＰＤＳＣＨは、下りリンクデータ（ＤＬ−ＳＣＨデータ、ＤＬ−ＳＣＨトランスポートブロック）の他、ＰＣＨやＰＢＣＨで通知されない報知情報（システムインフォメーション）をレイヤ３メッセージとして端末装置に通知するために用いられる。ＰＤＳＣＨの無線リソース割り当て情報は、ＰＤＣＣＨを用いて示される。ＰＤＳＣＨはＰＤＣＣＨが送信されるＯＦＤＭシンボル以外のＯＦＤＭシンボルに配置されて送信される。すなわち、ＰＤＳＣＨとＰＤＣＣＨは１サブフレーム内で時分割多重（ＴＤＭ）されている。ただし、ＰＤＳＣＨとＥＰＤＣＣＨは１サブフレーム内で周波数分割多重（ＦＤＭ）されている。
【０１１３】
また、ＰＤＳＣＨはシステム制御情報を報知するために用いられてもよい。
【０１１４】
また、ＰＤＳＣＨはネットワークが端末装置の位置セルを知らない時のページングとして用いられてもよい。つまり、ＰＤＳＣＨはページング情報やシステムインフォメーション変更通知を送信するために用いられてもよい。
【０１１５】
また、ＰＤＳＣＨはネットワークとのＲＲＣ接続を持たない端末装置（アイドルモードの端末装置）に対して、端末装置とネットワーク間の制御情報を送信するために用いられてもよい。
【０１１６】
また、ＰＤＳＣＨはＲＲＣ接続を持つ端末装置（接続モードの端末装置）に対して、端末装置とネットワーク間の専用制御情報を送信するために用いられてもよい。
【０１１７】
ＰＤＳＣＨは、ＰＤＣＣＨに付加されたＲＮＴＩに対応するトランスポートブロックを送信するために用いられる。例えば、ＲＡ−ＲＮＴＩによってスクランブルされたＣＲＣを伴うＰＤＣＣＨによってリソース割り当てが示されたＰＤＳＣＨには、ランダムアクセスレスポンスに関するＤＬ−ＳＣＨがマップされている。また、Ｐ−ＲＮＴＩによってスクランブルされたＣＲＣを伴うＰＤＣＣＨによってリソース割り当てが示されたＰＤＳＣＨには、ページング情報に関するＰＣＨがマップされている。また、ＳＩ−ＲＮＴＩによってスクランブルされたＣＲＣを伴うＰＤＣＣＨによってリソース割り当てが示されたＰＤＳＣＨには、ＳＩＢと関連するＤＬ−ＳＣＨがマップされている。また、テンポラリーＣ−ＲＮＴＩによってスクランブルされたＣＲＣを伴うＰＤＣＣＨによってリソース割り当てが示されたＰＤＳＣＨには、ＲＲＣメッセージに関するＤＬ−ＳＣＨがマップされてもよい。
【０１１８】
ＰＵＣＣＨは、ＰＤＳＣＨで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ（またはＡＣＫ／ＮＡＫ）；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクのＣＳＩの報告、上りリンクの無線リソース割り当て要求（無線リソース要求、スケジューリングリクエスト（ＳＲ））を行なうために用いられる。つまり、ＰＵＣＣＨは、下りリンク送信に応えるＨＡＲＱ−ＡＣＫ／ＮＡＣＫやＳＲ、ＣＳＩ報告を送信するために用いられる。ＰＵＣＣＨは、送信するＨＡＲＱ−ＡＣＫやＣＳＩ、ＳＲなどの上りリンク制御情報（ＵＣＩ）の種類に応じて複数のフォーマットがサポートされている。ＰＵＣＣＨは、フォーマット毎にリソース割り当て方法や送信電力制御方法が定義されている。ＰＵＣＣＨは、１サブフレームの２つのスロットのそれぞれにおける１ＲＢを用いる。つまり、ＰＵＣＣＨは、フォーマットに因らず、１ＲＢで構成される。また、ＰＵＣＣＨは、スペシャルサブフレームのＵｐＰＴＳで送信されなくてもよい。
【０１１９】
ＰＵＣＣＨがＳＲＳサブフレームで送信される場合には、短縮フォーマットが適用されるＰＵＣＣＨフォーマット（例えば、フォーマット１、１ａ、１ｂ、３）では、ＳＲＳが割り当てられる可能性のある最後尾の１シンボルまたは２シンボル（そのサブフレームにおける２番目のスロットの最後尾の１シンボルまたは２シンボル）を空にする。
【０１２０】
各スロットの１ＲＢは、ＰＵＣＣＨフォーマット１／１ａ／１ｂとＰＵＣＣＨフォーマット２／２ａ／２ｂのミックスをサポートしてもよい。つまり、端末装置は、１ＲＢでＰＵＣＣＨフォーマット１／１ａ／１ｂとＰＵＣＣＨフォーマット２／２ａ／２ｂを送信してもよい。
【０１２１】
ＰＵＳＣＨは、主に上りリンクデータ（ＵＬ−ＳＣＨデータ、ＵＬ−ＳＣＨトランスポートブロック）と制御データを送信し、ＣＳＩやＡＣＫ／ＮＡＣＫ（ＨＡＲＱ−ＡＣＫ）、ＳＲなどの上りリンク制御情報（ＵＣＩ）を含めることも可能である。また、上りリンクデータの他、上位層制御情報であるレイヤ２メッセージおよびレイヤ３メッセージを端末装置から基地局装置に通知するためにも使用される。また、下りリンクと同様にＰＵＳＣＨの無線リソース割り当て情報は、ＰＤＣＣＨ（ＤＣＩフォーマットを伴うＰＤＣＣＨ）で示される。ＰＵＳＣＨはＳＲＳサブフレームで送信される場合、ＰＵＳＣＨリソースがＳＲＳ帯域幅と重複するとすれば、ＳＲＳが割り当てられる可能性のある最後尾の１シンボルまたは２シンボル（そのサブフレームにおける２番目のスロットの最後尾の１シンボルまたは２シンボル）を空にする。
【０１２２】
ＵＬＲＳ（Uplink Reference Signal）は、基地局装置が、ＰＵＣＣＨおよび／またはＰＵＳＣＨを復調するために使用するＤＭＲＳ（Demodulation Reference Signal）と、基地局装置が、主に、上りリンクのチャネル状態または送信タイミングを推定／測定するために使用するＳＲＳ（Sounding Reference Signal）が含まれる。また、ＳＲＳには、周期的に送信されるＰ−ＳＲＳ（Periodic SRS）と、基地局装置から指示されたときに送信されるＡ−ＳＲＳ（Aperiodic SRS）とがある。なお、Ｐ−ＳＲＳはトリガタイプ０ＳＲＳ、Ａ−ＳＲＳはトリガタイプ１ＳＲＳと称される。ＳＲＳは、サブフレームの最後尾のシンボルに１シンボルまたは２シンボルで割り当てられる。ＳＲＳが送信されるサブフレームは、ＳＲＳサブフレームと称されてもよい。ＳＲＳサブフレームは、セル固有のサブフレーム設定と端末装置固有のサブフレーム設定に基づいて決定される。セル内のすべての端末装置は、セル固有のサブフレーム設定にセットされたサブフレームにおいて、ＰＵＳＣＨを送信する場合には、そのサブフレームの最後尾のシンボルにＰＵＳＣＨのリソースを割り当てない。ＰＵＣＣＨの場合、短縮フォーマットが適用されたとすれば、セル固有のサブフレーム設定に基づいてセットされたＳＲＳサブフレームにおいて、そのサブフレームの最後尾のシンボルにＰＵＣＣＨのリソースを割り当てない。ただし、ＰＵＣＣＨフォーマットによっては短縮フォーマットが適用されない場合もある。その場合は、ＰＵＣＣＨはノーマルフォーマットで（つまり、ＳＲＳシンボルにＰＵＣＣＨリソースを割り当てて）送信されてもよい。ＰＲＡＣＨの場合、ＰＲＡＣＨの送信が優先される。ＳＲＳシンボルがＰＲＡＣＨのガードタイム上にある場合には、ＳＲＳは送信されてもよい。なお、ＵＬＲＳは、上りリンクのパイロットチャネルやパイロット信号と称されてもよい。
【０１２３】
Ｐ−ＳＲＳは、Ｐ−ＳＲＳに関する上位層パラメータが設定された場合に、送信されるのに対して、Ａ−ＳＲＳは、Ａ−ＳＲＳに関する上位層パラメータが設定され、且つ、ＤＣＩフォーマットに含まれるＳＲＳ（Ａ−ＳＲＳ）の送信を要求するＳＲＳリクエストにセットされた値に基づいて、ＳＲＳリクエストを受信した下りリンクサブフレームから所定のサブフレーム後の直近のＳＲＳサブフレームにおいて、Ａ−ＳＲＳを送信するか否かが決定される。
【０１２４】
ＰＲＡＣＨ（Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。ＰＲＡＣＨは、端末装置の基地局装置へのアクセス手段（初期アクセスなど）として用いられる。ＰＲＡＣＨは、ランダムアクセスプリアンブルを送信するために用いられる。
【０１２５】
端末装置は、ＳＲに対するＰＵＣＣＨ未設定時の上りリンクの無線リソース要求のため、または、上りリンク送信タイミングを基地局装置の受信タイミングウィンドウに合わせるために必要な送信タイミング調整情報（タイミングアドバンス（ＴＡ）コマンドとも呼ばれる）を基地局装置に要求するためなどにＰＲＡＣＨを用いる。また、基地局装置は、端末装置に対してＰＤＣＣＨを用いてランダムアクセス手順の開始を要求することもできる（ＰＤＣＣＨオーダーと称する）。
【０１２６】
次に、本実施形態に係るセルサーチについて説明する。
【０１２７】
セルサーチは、端末装置があるセルの時間周波数同期を行ない、且つ、そのセルのセルＩＤを検出するための手順である。ＥＵＴＲＡセルサーチは、７２サブキャリア以上に対応する拡大縮小可能な全送信帯域幅をサポートする。ＥＵＴＲＡセルサーチは下りリンクにおいて、ＰＳＳとＳＳＳに基づいて行なわれる。ＰＳＳとＳＳＳは各無線フレームの第１のサブフレームと第６のサブフレームの帯域幅の中心の７２サブキャリアを用いて送信される。隣接のセルサーチは初期セルサーチとして同じ下りリンク信号に基づいて行なわれる。
【０１２８】
次に、本実施形態に係る物理層の測定について説明する。
【０１２９】
例えば、物理層の測定は、イントラ周波数およびインター周波数のＥＵＴＲＡＮ内の測定（ＲＳＲＰ／ＲＳＲＱ）と、端末装置の受信送信の時間差、端末装置のポジショニングに用いられる参照信号時間差に関する測定（ＲＳＴＤ）と、ＲＡＴ間（ＥＵＴＲＡＮ−ＧＥＲＡＮ／ＵＴＲＡＮ）に関する測定と、システム間（ＥＵＴＲＡＮ−非３ＧＰＰ  ＲＡＴ）に関する測定などがある。なお、物理層の測定は、モビリティをサポートするために行なわれる。また、ＥＵＴＲＡＮ測定には、アイドルモードの端末装置によって行なわれる測定や接続モードの端末装置によって行なわれる測定がある。端末装置は、適切な測定ギャップにおいてＥＵＴＲＡＮ測定を行ない、ＥＵＴＲＡＮ測定をしたセルに同期している。なお、これらの測定は、端末装置で行なわれるため、端末装置の測定と称されてもよい。
【０１３０】
端末装置は、ＥＵＴＲＡＮ内の測定に対して、少なくとも２つの物理量（ＲＳＲＰ、ＲＳＲＱ）がサポートされてもよい。さらに、端末装置は、ＲＳＳＩに関する物理量がサポートされてもよい。端末装置は、上位層パラメータとして設定された物理量に関するパラメータに基づいて対応する測定を行なってもよい。
【０１３１】
物理層の測定は、モビリティをサポートするために行なわれる。例えば、イントラ周波数およびインター周波数のＥＵＴＲＡＮ内の測定（ＲＳＲＰ／ＲＳＲＱ）と、端末装置の受信送信の時間差、端末装置のポジショニングに用いられる参照信号時間差に関する測定（ＲＳＴＤ）と、インターＲＡＴ（ＥＵＴＲＡＮ−ＧＥＲＡＮ／ＵＴＲＡＮ）に関する測定と、システム間（ＥＵＴＲＡＮ−非３ＧＰＰ  ＲＡＴ）に関する測定などがある。例えば、物理層の測定は、イントラおよびインター周波数ハンドオーバに対する測定やインターＲＡＴハンドオーバに対する測定、タイミング測定、ＲＲＭに対する測定、ポジショニングがサポートされていればポジショニングに関する測定が含まれる。なお、インターＲＡＴハンドオーバに対する測定は、ＧＳＭ（登録商標）、ＵＴＲＡ  ＦＤＤ、ＵＴＲＡ  ＴＤＤ、ＣＤＭＡ２０００、１ｘＲＴＴ、ＣＤＭＡ２０００  ＨＲＰＤ、ＩＥＥＥ８０２．１１へのハンドオーバのサポートにおいて定義されている。また、ＥＵＴＲＡＮ測定は、モビリティをサポートするために用いられる。また、ＥＵＴＲＡＮ測定には、アイドルモードの端末装置によって行なわれる測定や接続モードの端末装置によって行なわれる測定がある。例えば、ＲＳＲＰやＲＳＲＱは、イントラおよびインター周波数のそれぞれに対してどちらのモードの端末装置であっても測定されてもよい。端末装置は、適切な測定ギャップにおいてＥＵＴＲＡＮ測定を行ない、ＥＵＴＲＡＮ測定をしたセルに同期している。
【０１３２】
物理層の測定は、無線特性が端末装置および基地局装置のよって測定され、ネットワークの上位層に報告されることを含んでいる。
【０１３３】
ＲＳＲＰは、測定オブジェクト設定において設定されたキャリア周波数および測定帯域幅（測定周波数帯域幅）内の、ＣＲＳを伝送するリソースエレメントの電力の線形平均値として規定される。ＲＳＲＰの決定に対して、ＣＲＳがマップされるリソースＲ０が用いられる。端末装置が、Ｒ１が利用可能であることが正確に検出できれば、ＲＳＲＰを決定するためにＲ０に加え、Ｒ１を用いてもよい。なお、Ｒ０はＣＲＳのアンテナポート０のリソース（リソースエレメント）を示し、Ｒ１はＣＲＳのアンテナポート１のリソース（リソースエレメント）を示す。リソースエレメント毎の電力は、ＣＰを除くシンボルの有用な部分間で受信されたエネルギーから決定されてもよい。
【０１３４】
なお、リソースおよび無線リソースは、リソースエレメントと同義であってもよいし、リソースブロックと同義であってもよいし、サブフレーム／スロット内および帯域幅内のリソースエレメントおよび／またはリソースブロックであってもよい。
【０１３５】
ＲＳＲＰは、上位層がＤＳに基づく測定を指示すれば、端末装置は、設定されたＤＳオケージョン内のサブフレーム（ＤＳオケージョンを構成するサブフレーム内）におけるＲＳＲＰを測定する。端末装置は、他のサブフレーム（つまり、ＤＳオケージョン以外のサブフレーム）において、ＣＲＳがあることを正確に検出できるとすれば、端末装置はＲＳＲＰを決定するために、それらのサブフレームにおけるＣＲＳのリソースエレメントを用いてもよい。つまり、ＤＳ内のＣＲＳを用いてＲＳＲＰの測定が指示されたとすれば、端末装置は、ＤＳ内（ＤＳオケージョン内）とＤＳ外（ＤＳオケージョン外）のサブフレームにマップされたＣＲＳのリソースを用いて、ＲＳＲＰを測定してもよい。
【０１３６】
なお、ＲＳＲＰに対する参照ポイントは、端末装置のアンテナコネクタが好ましい。受信ダイバーシティが端末装置によって使用されるとすれば、報告された値は、個別のダイバーシティブランチのいずれかに対応するＲＳＲＰよりも低くはならない。また、ＲＳＲＰの測定に用いられる、測定帯域幅および測定周期内のリソースエレメントの数は、必要な測定精度を満たせば、端末装置によって決定されてもよい。また、リソースエレメント毎の電力は、ＣＰを除くシンボルの有効な部分で受信されたエネルギーから決定される。なお、ＲＳＲＰの単位は、ｄＢｍまたはＷである。
【０１３７】
ＲＳＲＱは、ＲＳＳＩの測定帯域幅に相当するリソースブロックの数における、ＲＳＲＰとＲＳＳＩの電力比である。なお、ＲＳＲＰとＲＳＳＩの測定帯域幅は、同じセットのリソースブロックから構成される。なお、ＲＳＲＱの算出に用いられるＲＳＳＩとヒストグラムまたは測定報告されるＲＳＳＩは、個別に測定されてもよい。
【０１３８】
ＲＳＳＩは、測定帯域幅および測定サブフレームの特定のＯＦＤＭシンボルにおいて得られ、線形平均された総受信電力を含んでいる。測定帯域幅は、すべてのソースから端末装置によるリソースブロックの数Ｎである。また、すべてのソースは、共有チャネルのサービングセルおよび非サービングセル、隣接チャネル干渉、熱雑音などを含んでもよい。つまり、ＲＳＳＩは、干渉電力や雑音電力を含んで測定されてもよい。
【０１３９】
ＲＳＳＩは、上位層による指示がなければ、測定サブフレームのアンテナポート０に対する参照シンボルを含むＯＦＤＭシンボルから測定される。上位層がＲＳＲＱ測定をすべてのＯＦＤＭシンボルを用いて行なうことを指示すれば、ＲＳＳＩは測定サブフレームのＤＬ部分（下りリンクサブフレームおよびＤｗＰＴＳ）のすべてのＯＦＤＭシンボルから測定される。上位層がＲＳＲＱ測定を特定のＯＦＤＭシンボルを用いて行なうことを指示すれば、ＲＳＳＩは指示されたサブフレームのＤＬ部分（下りリンクサブフレームおよびＤｗＰＴＳ）のすべてのＯＦＤＭシンボルから測定される。つまり、ＲＳＳＩ測定に用いられるＯＦＤＭシンボルは、上位層からの指示／設定に基づいて、決定される。
【０１４０】
上位層がＤＳに基づく測定を指示すれば、ＲＳＳＱは設定されたＤＳオケージョン内のサブフレームのＤＬ部分のすべてのＯＦＤＭシンボルから測定される。ＲＳＲＱに対する参照ポイントは、端末装置のアンテナコネクタである。受信ダイバーシティが端末装置によって使用されるとすれば、報告された値は、個別のダイバーシティブランチのいずれに対応するＲＳＲＱよりも低くはならない。なお、ＲＳＲＱの単位は、ｄＢである。
【０１４１】
ＲＳＲＰは、ＣＳＩ−ＲＳのリソースを用いて行なわれる場合、ＣＳＩ−ＲＳＲＰと称されてもよい。なお、ＣＳＩ−ＲＳＲＰは、設定されたＤＳオケージョン内のサブフレームの測定帯域幅内のＣＳＩ−ＲＳを伝送するリソースエレメントの電力における線形平均値として定義される。ＣＳＩ−ＲＳＲＰの決定に対して、ＣＳＩ−ＲＳがマップされるリソースＲ１５（アンテナポート１５のリソース）が用いられる。つまり、端末装置は、ＣＳＩ−ＲＳＲＰを測定する場合、Ｒ１５がマップされるリソースにおける電力を測定し、線形平均を行なう。また、ＣＳＩ−ＲＳＲＰの参照ポイントは、端末装置のアンテナコネクタである。受信ダイバーシティが端末装置によって使わされるとすれば、報告される値は、個別のダイバーシティブランチのいずれに対応するＣＳＩ−ＲＳＲＰよりも低い値にはならない。ＣＳＩ−ＲＳＲＰを決定するために用いられる、測定周期内と測定帯域幅内のリソースエレメントの数は、対応する測定精度を満たせば、端末装置の実装であってもよい。つまり、端末装置は、測定精度を満たすように、測定周期内と測定帯域幅内のリソースエレメントを選択し、測定してもよい。
【０１４２】
物理層（第１層）における測定結果を上位層へ出力する場合、周波数方向（１サブフレーム／１スロット内の測定帯域幅内（または１リソースブロック毎）の周波数リソース）の平均および／またはサブフレーム／スロット内（１サブフレーム／１スロット内の測定帯域幅内における時間リソース）における時間平均など、物理層においてフィルタリングされてもよい。物理層（第１層）におけるフィルタリングを第１層フィルタリングと称する。例えば、物理層におけるフィルタリングには、複数の入力値の平均、重み付けの平均、チャネル特定に追従した平均などが適用されてもよい。さらに、物理層でフィルタリングされた測定結果を上位層（第３層、ＲＲＣ層）において、さらに、フィルタリングされてもよい。上位層（第３層）におけるフィルタリングを第３層フィルタリングと称する。第３層フィルタリングは、物理層から入力された各測定結果をフィルタ係数に基づいて、算出される。フィルタ係数は、上位層パラメータとして設定される。フィルタ係数は、ＲＳＲＰ、ＲＳＲＱ、ＣＳＩ−ＲＳＲＰのそれぞれに対応して設定されてもよい。フィルタ係数は、物理量設定のパラメータの１つとして設定されてもよい。端末装置においてＲＳＳＩ測定に関する上位層パラメータが設定されるとすれば、ＲＳＳＩに関するフィルタ係数が設定されてもよい。また、ＲＳＳＩに関するフィルタ係数は、物理量設定のパラメータの１つとして設定されてもよい。なお、フィルタ係数は、フィルタリング係数と称されてもよい。
【０１４３】
ＬＡＡセルにおいて、ＬＢＴ（Listen Before Talk）を行なってから、通信を開始することがある。ＬＢＴとは、基地局装置および／または端末装置がＬＡＡセルに対応する周波数において送信（通信）を行なう前に、干渉電力（干渉信号、受信電力、受信信号、雑音電力、雑音信号）などのエネルギー（または信号）を検出し、そのエネルギーの値（信号の電力値）が所定の閾値を超えるか否かに基づいて、その周波数がアイドル状態（空いている状態（クリア状態）、混雑していない状態、他の信号に専有されていない状態、他の信号が存在していない状態）であるかビジー状態（空いていない状態、混雑している状態、他の信号に専有されている状態、他の信号が存在している状態）であるかを判断（識別、検出）する。ＬＢＴに基づいて、その周波数がアイドル状態であると判断した場合には、ＬＡＡセルに属する基地局装置または端末装置は、所定のタイミングで信号を送信することができる。また、ＬＢＴに基づいて、その周波数がビジー状態であると判断すれば、ＬＡＡセルに属する基地局装置または端末装置は、所定のタイミングで信号を送信しない。なお、ＬＢＴに関する測定をＣＣＡ（Clear Channel Assessment）と称してもよい。つまり、本発明において、ＬＢＴとＣＣＡは同義であってもよい。
【０１４４】
次に、ＣＣＡの一例を示す。
【０１４５】
第１のＣＣＡは、ある測定期間（ＬＢＴおよび／またはＣＣＡを行なう期間）において、検出したエネルギーの値と所定の閾値を比較することでそのチャネル（周波数またはセル）がクリアか否かを判断する。第１のＣＣＡは、ＥＤ（Energy Detection）型ＣＣＡと称されてもよい。
【０１４６】
第２のＣＣＡは、ある測定期間において、所定の変調方式や系列生成方法が適用された信号が検出されたか否かに基づいてそのチャネルがクリアか否かを判断する。第２のＣＣＡは、ＣＳ（Carrier Sense）型ＣＣＡと称されてもよい。
【０１４７】
第３のＣＣＡは、ある測定期間において、所定の変調方式や系列生成方法（所定の符号化変調方式）が適用された信号が検出され、且つ、検出された信号のエネルギーの値が所定の閾値を超えるか否かに基づいてそのチャネルがクリアか否かを判断する。第３のＣＣＡはハイブリッド型ＣＣＡと称されてもよい。
【０１４８】
ＬＡＡセルに属する端末装置および／または基地局装置は、ある測定期間において、ＬＡＡに関する信号を検出した場合には、そのチャネルがクリアであると判断し、信号の送信を行なってもよい。
【０１４９】
上記の第１のＣＣＡから第３のＣＣＡとは別に、最初の１度だけＣＣＡチェックを行なうＩＣＣＡ（Initial CCA, LBT category 2, single sensing, Frame-based equipment（FBE））と所定の回数のＣＣＡチェックを行なうＥＣＣＡ（Extended CCA, LBT category 3 or 4, multiple sensing, Load based equipment（LBE））がある。ＩＣＣＡとＥＣＣＡは、第１のＣＣＡから第３のＣＣＡのいずれかと組み合わせて用いられてもよい。ＩＣＣＡとＥＣＣＡは、ＣＣＡチェックを行なう期間（つまり、測定期間）を示し、第１のＣＣＡから第３のＣＣＡは、チャネルがクリアか否かを判断するための基準（つまり、閾値、受信電力（エネルギー）値）を示す。ＩＣＣＡとＥＣＣＡはそれぞれ、個別に測定期間が設定／規定されてもよい。ＩＣＣＡは１つの測定期間から構成され、ＥＣＣＡは複数の測定期間から構成される。１つの測定期間を１つの測定スロットと称してもよい。例えば、ＩＣＣＡの測定スロットの長さ（サイズ）は３４マイクロ秒であってもよい。また、ＥＣＣＡの測定スロットの長さは９マイクロ秒であってもよい。また、そのチャネル（周波数、セル）において、ビジー状態からアイドル状態に遷移した後にＣＣＡチェックを行なう期間をｄｅｆｅｒ期間と称されてもよい。その期間の長さは３４マイクロ秒であってもよい。端末装置がＣＣＡ（ＬＢＴ）を行なう場合には、基地局装置から上位層シグナリングを介してどのＣＣＡを用いるかが設定されてもよい。ＣＣＡチェックを行なう期間（ＣＣＡチェック期間）を、ＬＡＡ衝突窓と称されてもよい。衝突窓のサイズは、ＥＣＣＡスロットで定義されてもよい。また、衝突窓のサイズは、ＸとＹのＥＣＣＡスロットの間で、バックオフによって変更されてもよい。また、バックオフの値は、動的または準静的に変更されてもよい。つまり、バックオフの値は、ＤＣＩフォーマット内の１つのフィールドとして設定されてもよいし、上位層パラメータとして設定されてもよい。
【０１５０】
ＣＣＡチェックを行なう期間は、ＬＡＡ衝突窓と称されてもよい。衝突窓のサイズは、ＥＣＣＡスロットで定義されてもよい。また、衝突窓のサイズは、ＸとＹのＥＣＣＡスロットの間で、バックオフによって変更されてもよい。また、バックオフの値は、動的または準静的に変更されてもよい。つまり、バックオフの値は、ＤＣＩフォーマット内の１つのフィールドとして設定されてもよいし、上位層パラメータとして設定されてもよい。
【０１５１】
次に、本実施形態に係る報告設定および測定報告について説明する。
【０１５２】
報告設定は、測定した結果が報告されるための所定の条件を示す設定であり、測定報告は、測定した結果が対応する報告設定に示された条件を満たした場合に基地局装置へその測定結果を報告する。なお、報告される測定結果は、特に上位層からの指示／設定がなければ、第３層フィルタリングを行なった後の測定結果である。
【０１５３】
報告設定は、報告設定識別子と対応付けられたＥＵＴＲＡにおける報告設定が含まれる。報告設定識別子はＲＡＴ毎に規定されてもよい。つまり、ＥＵＴＲＡにおける報告設定と、ＵＴＲＡにおける報告設定にはそれぞれ、報告設定識別子が対応付けられる。
【０１５４】
報告設定は、イベントＩＤと、イベントＩＤに対応するイベントトリガ条件、トリガ物理量、ヒステリシス、トリガするための時間（ＴＴＴ）、報告量物理量、最大報告セル数、報告間隔、報告回数などが含まれる。
【０１５５】
所定のイベントＩＤと所定のイベントトリガ条件は関連付けられる。イベントＩＤが１で、イベントトリガ条件はＡ１というように対応付けられてもよい。これらの対応関係は基地局装置によって設定され、上位層パラメータとして端末装置に設定されてもよい。
【０１５６】
イベントトリガ条件には、さらに、対応する閾値が設定されてもよい。端末装置は、報告設定に対応する測定オブジェクトにおいて測定した結果とイベントトリガ条件に含まれる閾値を比較することによって、測定結果を報告するか否かを決定する。なお、イベントトリガ条件は、単にイベントやイベントタイプ、トリガタイプと称されてもよい。
【０１５７】
トリガ物理量は、イベントトリガ条件で用いられる測定結果の種類を規定するために用いられる。例えば、トリガ物理量にＲＳＲＰが設定されているとすれば、その閾値も電力値とみなし、ＲＳＲＱが設定されているとすれば、その閾値も電力比とみなされる。つまり、トリガ物理量は、何れの測定結果に基づいてイベントトリガ条件を満たしているか否かを判断するために用いられる。
【０１５８】
報告物理量は、イベントトリガ条件を満たした場合に、報告される測定結果の種類を規定するために用いられる。報告される測定結果は少なくともトリガ物理量で設定された測定結果が含まれる。さらに加えて、異なる種類の測定結果を報告することが報告物理量によって設定されてもよい。
【０１５９】
ＴＴＴは、測定報告をトリガするために、そのイベントに対する特定の基準が満たされる必要がある期間を示す。
【０１６０】
最大報告セル数は、ＣＲＳに関する測定報告に含まれる、サービングセルを除く、セルの最大数を示す。つまり、最大報告セル数は、セルに対応する測定結果の最大数を示している。最大報告セル数は、ＣＳＩ−ＲＳに関する測定報告に含まれるＣＳＩ−ＲＳの最大ＣＳＩ−ＲＳリソース数を示してもよい。
【０１６１】
閾値は、ＲＳＲＰおよびＲＳＲＱのそれぞれに対して設定されてもよい。さらに、ＲＳＳＩの測定が指示された場合には、ＲＳＳＩに関する閾値が設定されてもよい。
【０１６２】
報告間隔は、定期報告（periodical）およびイベントに基づく報告を行なう間隔を規定する。なお、定期的に報告される測定報告をトリガタイプ定期の測定報告と称し、イベントに基づく測定報告をトリガタイプイベントの測定報告と称してもよい。
【０１６３】
報告回数には、定期報告（トリガタイプ定期）だけでなくイベントに基づく報告（トリガタイプイベント）に対して適用される測定報告の回数を規定する。
【０１６４】
なお、閾値と比較される測定結果は、第３層フィルタリングを行なった後の測定結果である。しかし、ＲＳＳＩの測定結果が比較される場合には（つまり、ＲＳＳＩに関するイベントにおいては）、第３層フィルタリングが適用されてなくてもよい。
【０１６５】
イベントには２つの条件（entering condition (entry condition), leaving condition）が規定されている。１つ（entering condition）は、条件を満たした場合、測定報告を行なう（測定報告手順を開始する）条件であり、もう１つ（leaving condition）は、条件を満たした場合、測定報告を行なう測定結果のリストからその測定結果を削除する条件である。
【０１６６】
イベントにはＣＲＳに関する測定報告に対するイベントとインターＲＡＴに関する測定報告に対するイベントとＣＳＩ−ＲＳに関する測定報告に対するイベントがあり、イベント毎に閾値などのトリガ条件を示すパラメータが設定される。
【０１６７】
ＲＳＳＩに関する測定報告を行なう場合には、イベントにＲＳＳＩに関する測定報告に対するイベントが追加されてもよい。ＲＳＳＩに関する測定報告を行なう場合には、ＲＳＳＩに関する測定報告に対するイベントを含むイベントが、設定されてもよい。つまり、報告設定に、ＲＳＳＩに関する測定報告に対するイベントが含まれてもよい。その際、トリガ物理量や報告物理量、閾値、最大報告セル数、報告間隔、報告回数、ＴＴＴなどは、個別のパラメータ（つまり、ＲＳＳＩに関する測定報告にのみ用いられるパラメータ）として設定されてもよい。
【０１６８】
次に、本実施形態に係るＲＳＳＩに関する測定報告に対するイベントについて説明する。なお、ＲＳＳＩは、ＲＳＳＩの測定値を含む。
【０１６９】
図５は、本実施形態に係る報告設定の概要を示す図である。縦軸はＲＳＳＩを示し、横軸は時間を示す。なお、ＲＳＳＩは、図のように、測定された電力（受信電力、ＲＳＳＩ値）に基づいてレベル分けされてもよい（例えば、図のＬｖ．１〜Ｌｖ．４）。これらのレベルを電力レベルと称する。なお、これらのレベルは、ＲＳＳＩレベルや強度レベルなどと称されてもよい。測定期間または報告間隔内に所定の数の測定ポイントが上位層によって示される場合、各測定ポイントにおいて、ＲＳＳＩを測定する。所定の条件を満たした場合、端末装置は測定報告の手順を開始する。所定の条件を満たさなかった場合は、測定報告に対応する測定結果を測定報告する測定結果のリスト（基地局装置に報告する測定結果）の中に載せなくてもよい。つまり、所定の条件を満たさなかった場合には、端末装置は、その測定結果を基地局装置に報告しなくてもよい。なお、測定ポイントは、測定ビンと称されてもよい。なお、電力レベルがテーブルで管理される場合、電力レベルと紐付けられたインデックスまたは値が設定されてもよい。
【０１７０】
図５において、報告設定のパラメータとして、測定期間および／または報告間隔が設定された場合、報告設定に対応する測定オブジェクトにおいて設定されたＲＳＳＩの測定リソースに基づいて、測定期間内の測定ポイントが示されてもよい。測定ポイントは所定のビット列で示されてもよい。測定ポイントを示すビットには、“１”がセットされてもよい。各測定ポイントにおいて、ＲＳＳＩが測定されてもよい。測定ポイント毎に少なくとも１つの測定リソースが含まれている。なお、測定ポイントは１つまたは複数のサブフレームで構成されてもよい。測定ポイント内のサブフレーム毎に少なくとも１つの測定リソースが含まれてもよい。測定ポイント内で測定したＲＳＳＩは時間平均（つまり、時間領域のＲＳＳＩの平均）されてもよい。各測定ポイントにおいて、ＲＳＳＩの測定に用いられる測定リソースの総数は、ＲＳＲＰやＲＳＲＱと同様に、測定ポイントの長さ（例えば、時間長（継続期間）、時間方向の、サブフレームの数やシンボル（スロット）の数など）と測定帯域幅（例えば、周波数方向の、リソースブロックの数やリソースエレメント（サブキャリア）の数など）に基づいて決定されてもよい。つまり、測定ポイントにおいて、ＲＳＳＩの周波数平均（つまり、周波数領域のＲＳＳＩの平均）が行なわれてもよい。ただし、測定帯域幅において、複数のサブセット（サブバンド）が設定された場合は、サブバンド毎に（サブバンド内で）測定リソースの総数が決定されてもよい。つまり、端末装置は、サブバンドが設定された場合、サブバンド毎にＲＳＳＩを測定してもよい（例えば、サブバンド毎にＲＳＳＩの周波数平均が行なわれてもよい）。
【０１７１】
図５において、説明を容易にするために、測定ポイント間で間隔をあけて示しているが、測定ポイント間で間隔をあけなくてもよい。つまり、測定ポイント間は連続なサブフレーム（またはシンボル）で構成される継続期間として示されてもよい。その際、測定リソースは周期的に設定されてもよい。また、測定リソースは継続期間内の各シンボルの特定の周波数リソースであってもよい。つまり、すべてのシンボルでＲＳＳＩが測定されてもよい。
【０１７２】
なお、１つの測定ポイントの時間領域の長さ（継続期間）を測定期間として設定されてもよい。その際、時間方向で異なる測定リソースのそれぞれにおいてＲＳＳＩが測定されてもよい。また、その際、１つの測定ポイント内の各測定リソースを用いて時間平均されなくてもよい。ただし、同じ時間（シンボル）にマップされた周波数領域に異なる測定リソースについては周波数平均されてもよい。
【０１７３】
なお、測定ポイントの時間領域の設定は、測定サブフレーム（サブフレームオフセット）および周期に基づいて行なわれてもよい（なお、周期に対応するサブフレームオフセットであってもよい）。また、測定ポイントの時間領域の設定は、サブフレームパターン（所定の長さのビット列）に基づいて行なわれてもよい。また、測定ポイントの時間領域の設定は、測定期間（測定継続期間）のみであってもよい。各測定ポイントの時間長（スロット長）はＣＣＡのスロット長と同じであってもよいし、１ＯＦＤＭシンボル長と同じであってもよい。例えば、測定期間が１２０ｍｓ（１２０サブフレーム）で測定ポイントの時間長が１ＯＦＤＭシンボル（ＮＣＰ）と同じであるとすれば、その測定期間における、時間方向の測定ポイントの総数は、１２０×１４（つまり、１６８０）になる。端末装置は、ＲＳＳＩに関する測定報告を行なう際に、その１６８０ポイントを用いて、各電力レベルに対応するヒストグラムを生成してもよい。
【０１７４】
第１のイベントは、所定の測定期間において、所定の電力レベル（閾値）以上であるＲＳＳＩを測定した測定ポイントの割合が、所定の割合以上を占める場合、端末装置は、ＲＳＳＩに関する測定報告を行なってもよい。図５を用いて説明すると、例えば、測定期間において、測定したＲＳＳＩがＬｖ．３以上の電力レベル（第２の閾値以上）である測定ポイントの割合が５０％を超えた場合に、端末装置は、ＲＳＳＩに関する測定報告を行なってもよい。なお、測定ポイントは、測定ポイントで測定した時間であってもよい。
【０１７５】
第１のイベントに関するパラメータとして、所定の測定期間または所定の測定ポイント数と、閾値となる所定の電力レベル、所定の割合が設定されてもよい。
【０１７６】
第２のイベントは、所定の測定期間において、所定の電力レベル（閾値）以上のＲＳＳＩが、所定の回数（所定の時間）以上測定された場合、端末装置は、ＲＳＳＩに関する測定報告を行なってもよい。なお、所定の測定期間が無限大（無期限）を示す場合、所定の測定期間は報告設定に設定されなくてもよい。
【０１７７】
第３のイベントは、所定の測定期間において、所定の電力レベル（閾値）以上のＲＳＳＩが測定される測定ポイントの数が、所定の数以上に達した場合、端末装置は、ＲＳＳＩに関する測定報告を行なってもよい。なお、所定の測定期間が無限大（無期限）を示す場合、所定の測定期間は報告設定に設定されなくてもよい。
【０１７８】
第４のイベントは、同じ長さの測定期間において、第１の測定オブジェクト（第１の周波数、第１のセル）と第２の測定オブジェクト（第２の周波数、第２のセル）を比較して、所定の電力レベル（閾値）以上のＲＳＳＩが測定される測定ポイントの数が、第１の測定オブジェクト（または第２の測定オブジェクト）の方が多かった場合、端末装置は、ＲＳＳＩに関する測定報告を行なってもよい。
【０１７９】
第５のイベントは、所定の符号化変調方式（変調方式および系列生成方法）が適用された信号を受信した場合、端末装置は、ＲＳＳＩに関する測定報告を行なってもよい。
【０１８０】
第６のイベントは、所定の測定期間内に、所定の符号化変調方式（変調方式および系列生成方法）が適用された信号を受信した割合が所定の割合以上（例えば５０％以上や検出回数が所定の回数以上など）になる場合、端末装置は、ＲＳＳＩに関する測定報告を行なってもよい。
【０１８１】
第７のイベントは、所定の報告間隔または測定期間が経過した場合、端末装置は、ＲＳＳＩに関する測定報告を行なってもよい。つまり、報告設定に、ＲＳＳＩに対する測定期間が含まれてもよい。測定期間に対するＲＳＳＩのヒストグラムが生成されてもよい。
【０１８２】
上述したイベントにおいて所定の電力レベル以上と記載しているが、所定の電力レベル以下や未満として置き換えられてもよい。なお、所定の電力レベル内（つまり、所定の電力レベルと同じ）が含まれてもよい。
【０１８３】
報告設定に含まれる各イベントのいずれかの条件を満たした場合、端末装置は、測定結果を報告する（つまり、端末装置は測定報告手順を開始する）。
【０１８４】
なお、ＲＳＳＩに関する測定報告に対するイベントは、ＣＳＩ−ＩＭリソース（つまり、ゼロ電力のＣＳＩ−ＲＳ）に関するＥＵＴＲＡ測定報告イベントと称されてもよい。つまり、端末装置は、このイベントが設定されると、ＣＳＩ−ＩＭリソースにおいて、ＲＳＳＩを測定し、条件を満たせば、その結果（報告設定によって示された測定結果）を報告する。
【０１８５】
また、ＲＳＳＩに関する測定報告に対するイベントは、ＤＳが送信されないリソース（ＤＳオケージョン以外のサブフレームまたはシンボル）に関するＥＵＴＲＡ測定報告イベントと称されてもよい。つまり、端末装置は、このイベントが設定されると、ＤＳが送信されないリソースにおいて、ＲＳＳＩを測定し、条件を満たせば、その結果（報告設定によって示された測定結果）を報告する。
【０１８６】
また、ＲＳＳＩに関する測定報告に対するイベントは、基地局装置からの送信がないリソース（例えば、ガードタイムやガードピリオド、測定ギャップなど）に関するＥＵＴＲＡ測定報告イベントと称されてもよい。つまり、端末装置は、このイベントが設定されると、基地局装置からの送信がないことを示されたリソースにおいて、ＲＳＳＩを測定し、条件を満たせば、その結果（報告設定によって示された測定結果）を報告する。
【０１８７】
また、ＲＳＳＩに関する測定報告に対するイベントは、ＰＳＳ／ＳＳＳ（ＰＳＳ／ＳＳＳのために確保された６ＲＢｓ）内で、ＰＳＳ／ＳＳＳが送信されないリソースに関するＥＵＴＲＡ測定報告イベントと称されてもよい。つまり、端末装置は、このイベントが設定されると、ＰＳＳ／ＳＳＳが送信されないリソースにおいて、ＲＳＳＩを測定し、条件を満たせば、その結果（報告設定によって示された測定結果）を報告する。
【０１８８】
また、ＲＳＳＩに関する測定報告に対するイベントは、ガードバンド（つまり、基地局装置の送信に用いられない周波数リソース（リソースブロック））に関するＥＵＴＲＡ測定報告イベントと称されてもよい。なお、ガードバンドは、システム帯域幅と測定帯域幅／送信帯域幅の差で示される。例えば、システム帯域幅が２０ＭＨｚに対して測定帯域幅／送信帯域幅が１８ＭＨｚであれば、両端の１ＭＨｚ（合計２ＭＨｚ）がガードバンドとして用いられる。
【０１８９】
また、ＲＳＳＩに関する測定報告に対するイベントは、ゼロ電力のＣＲＳに関するＥＵＴＲＡ測定報告イベントと称されてもよい。例えば、測定オブジェクト設定に、ゼロ電力のＣＲＳとして用いられるアンテナポートが示されてもよい。ＣＲＳ（特に、アンテナポート０のリソース）は、特に制限が設けられていなければ、基地局装置からＰＤＣＣＨやＰＤＳＣＨが送信されなくても、すべてのサブフレームで送信される。そのうち、１つのアンテナポートのリソースをゼロ電力のリソースとして設定すれば、すべてのサブフレームにおいて、干渉電力や雑音電力またはＲＳＳＩを測定することができる。すべてのサブフレームで測定する必要がなければ、測定サブフレームパターンや測定周期（測定期間）などを用いて、ＲＳＳＩ測定が制限されてもよい。
【０１９０】
また、ＲＳＳＩに関する測定報告に対するイベントは、ゼロ電力のＵＥＲＳに関するＥＵＴＲＡ測定報告イベントと称されてもよい。例えば、測定オブジェクト設定に、ゼロ電力のＵＥＲＳとして用いられるアンテナポートが示されてもよい。ゼロ電力のＵＥＲＳとして用いられるアンテナポートにおいて、干渉電力や雑音電力またはＲＳＳＩが測定されてもよい。また、ＤＭＴＣおよび／またはＤＳオケージョンと重複するように周期やサブフレームオフセット、継続期間が設定されることによって、端末装置は、ＤＭＴＣおよび／またはＤＳオケージョン内で、基地局装置からの送信電力を含まない、干渉電力や雑音電力（つまり、干渉電力や雑音電力を含むＲＳＳＩ）を測定することができる。
【０１９１】
また、ＲＳＳＩに関する測定報告に対するイベントは、ゼロ電力のＰＲＳ（Positioning Reference Signal）に関するＥＵＴＲＡ測定報告イベントと称されてもよい。例えば、測定オブジェクト設定に、周波数オフセットに用いられるパラメータが含まれてもよい。ＰＲＳはＣＲＳやＣＳＩ−ＲＳと比べ、１サブフレーム内に（周波数領域および時間領域ともに）含まれるリソースの数が多い。ゼロ電力のＰＲＳリソースを用いることによって周波数領域および時間領域のそれぞれに対して万遍なく、基地局装置からの送信電力を含まない、干渉電力や雑音電力（つまり、干渉電力や雑音電力を含むＲＳＳＩ）を測定することができる。
【０１９２】
また、ＲＳＳＩに関する測定報告に対するイベントは、ゼロ電力のＯＦＤＭシンボル（または特定のＯＦＤＭシンボル）に関するＥＵＴＲＡ測定報告イベントと称されてもよい。ゼロ電力のＯＦＤＭシンボルにおいて、接続している基地局装置から下りリンク信号は送信されないので、端末装置は、基地局装置からの送信電力を含まない、干渉電力や雑音電力（つまり、干渉電力や雑音電力を含むＲＳＳＩ）を測定することができる。同時に、基地局装置において、干渉電力や雑音電力を測定することができ、端末装置からの測定結果と照合することによって隠れ端末を把握することができる。
【０１９３】
また、ＲＳＳＩに関する測定報告に対するイベントは、ゼロ電力のサブフレーム（または特定のサブフレーム）に関するＥＵＴＲＡ測定報告イベントと称されてもよい。ゼロ電力のサブフレームに含まれる各ＯＦＤＭシンボルにおいて、ＲＳＳＩを測定することで、干渉電力や雑音電力を測定することができる。同時に、基地局装置において、干渉電力や雑音電力を測定することができ、端末装置からの測定結果と照合することによって隠れ端末を把握することができる。ある程度、長い期間、ＲＳＳＩを測定することによって、隠れ端末を見逃す可能性を減少することができる。
【０１９４】
また、ＲＳＳＩに関する測定報告に対するイベントは、端末装置と基地局装置が同時にＣＣＡチェックをするスロットに関するＥＵＴＲＡ測定報告イベントと称されてもよい。なお、ＣＣＡチェックではなく、干渉や雑音の測定であってもよい。基地局装置がＣＣＡチェックしている時間は、そのセル（チャネル、周波数、コンポーネントキャリア）に対して、基地局装置から下りリンク信号は送信されない。つまり、端末装置は、その時間において、ＣＣＡチェックすることによって、基地局装置からの送信電力を含まない、干渉電力や雑音電力を測定することができる。
【０１９５】
また、ＲＳＳＩに関する測定報告に対するイベントは、ＲＳＳＩ測定のための測定ポイントに関するＥＵＴＲＡ測定報告イベントと称されてもよい。測定ポイントに関する時間／周波数リソースの設定は、測定オブジェクト設定に基づいて設定されてもよい。ＲＳＳＩ測定のための測定ポイントを規定することによって、基地局装置は、その測定ポイントにおいて、下りリンク信号を送信した場合であってもその測定ポイントの測定結果を除くことによって、隠れ端末を把握することができる。
【０１９６】
これらのリソースを、ＲＳＳＩを測定するためのリソースとすることで、端末装置と接続している基地局装置からは下りリンク信号が送信されないため、隣接セルや他のＲＡＴ、ＷｉＦｉノードなどから送信される信号の電力（つまり、干渉電力や雑音電力）を測定することができる。これらの測定結果を接続している基地局装置に報告することによって、基地局装置は、隠れ端末を把握することができる。
【０１９７】
つまり、ＲＳＳＩ関する測定報告に対するイベントは、ＲＳＳＩ（干渉および雑音）の測定に用いられたリソースに基づいて行なわれてもよい。
【０１９８】
イベントに関連するリソースは、測定オブジェクト設定に含まれるパラメータに基づいて設定されてもよい。
【０１９９】
次に、上述したイベントにおいて測定報告が生じる条件を満たした場合に、報告される測定結果について説明する。
【０２００】
報告される測定結果は、条件を満たしたことを示すパラメータ（例えば、ＴＲＵＥ）であってもよい。
【０２０１】
また、報告される測定結果は、測定期間において、各電力レベルに対応する測定ポイント（または測定時間）が占める割合であってもよい。言い換えると、測定期間において、各電力レベルに含まれるＲＳＳＩを測定した回数（測定ポイントの数）である。例えば、図５を用いて説明すると、測定期間内における、各電力レベルに対する測定ポイントの数はレベル１から順に、３、３、４、２となる。端末装置は、測定報告において、各電力レベルに対する測定ポイントの数（または各電力レベルに対応する測定ポイントの数の割合）を報告してもよい。このような、ある測定期間における、各電力レベルに対応する測定ポイントの数（割合）を示す情報をヒストグラムと称する。例えば、各電力レベルに対応する割合がそれぞれ８ビットで表現されるとすれば、各電力レベルに対応する割合は、ＣＥＩＬＩＮＧ（（２＾８−１）×各電力レベルに対応する測定ポイントの数（または各電力レベルを検出した総時間）／測定期間内の測定ポイントの総数（総測定時間、測定継続期間））で表される。一例をあげると、測定時間１００ｍｓにおいて、第１の電力レベル（Ｌｖ．１）を検出した総時間が１ｍｓであれば、第１の電力レベルに対応する割合は、１／１００（または１％）を示す値（または値に対応するビット列）またはビット値が算出される。各電力レベルについて同様に計算される。すべての電力レベルに対応する割合を足すと１（または１００％）に対応する値またはビット値が算出されるように、各電力レベルに対応する割合を算出してもよい。ただし、すべての電力レベルに対応する割合を足しても１または１００％にならない場合もある。ビット値は、ヒストグラムを構成するビットの総数に基づいて決定される。例えば、８ビットであれば、０〜２５５まで設定され、各値に、割合（または％）が対応付けられてもよい。
【０２０２】
また、報告される測定結果は、閾値以上の各電力レベルの測定ポイントの数であってもよい。
【０２０３】
また、報告される測定結果は、電力レベルが検出された測定ポイントを示すビット列であってもよい。図５を用いて説明すると、測定期間内に１２の測定ポイントが存在する。例えば、レベル４を検出した測定ポイントを示す場合、“００１００００１００００”のようなビット列が測定結果としてセットされてもよい。なお、各電力レベルに対応するビット列が測定結果に含まれてもよい。また、そのビット列は、電力レベルではなく、閾値（所定のＲＳＳＩ値）以上または以下（未満）のＲＳＳＩ値が検出された測定ポイントを示してもよい。例えば、図５を用いて説明すると、第１の閾値以上の測定ポイントを示す場合、“１１１０１１０１１１１１”のようなビット列が測定結果としてセットされてもよい。
【０２０４】
なお、測定期間内において測定された各電力レベルの割合は、テーブルおよび／またはインデックスで管理されてもよい。例えば、レベル１からレベル４における第１の割合（例えば、３：３：４：２）に対応するインデックス（例えば、インデックス１）が規定されてもよい。
【０２０５】
なお、これらの測定結果は、基地局装置によって、端末装置周辺の隠れ端末を認識するために用いられてもよい。つまり、これらの測定結果は、基地局装置によって認識されない端末を検出するために用いられてもよい。なお、隠れ端末とは、基地局装置による干渉電力／雑音電力の測定やＣＣＡチェック、および／または、端末装置からのＣＳＩ報告によって把握できない端末のことである。基地局装置が隠れ端末を把握しないでスケジュールを行なうと、隠れ端末から送信された信号が端末装置への干渉や雑音になり、通信効率を劣化させる原因になる。基地局装置による測定結果と端末装置による測定結果を照合することによって、基地局装置は隠れ端末を把握することができる。なお、隠れ端末には、アクセスポイントや基地局装置、その他の端末装置などが含まれてもよい。
【０２０６】
次に、本実施形態に係る測定オブジェクト設定に含まれるＲＳＳＩに関する設定について説明する。
【０２０７】
測定オブジェクトは、ＥＵＴＲＡに関する測定を行なう、周波数、リソースおよびタイミングを示すために設定される。
【０２０８】
端末装置は、測定オブジェクト設定に、ＲＳＳＩに関する設定が含まれる場合、その設定によって指示されるリソースを用いてＲＳＳＩを測定してもよい。そのリソースは、測定ポイントを示すリソースであってもよい。
【０２０９】
ＲＳＳＩに関する設定には、ＣＳＩ−ＩＭに用いられるリソースの設定が含まれてもよい。つまり、ＲＳＳＩに関する設定には、ゼロ電力のＣＳＩ−ＲＳリソースに関する設定が含まれてもよい。基地局装置は、設定したＣＳＩ−ＩＭに用いられるゼロ電力ＣＳＩ−ＲＳリソースにおいて、下りリンク信号（例えば、ＣＳＩ−ＲＳ）を送信しない。端末装置は、設定されたＣＳＩ−ＩＭのリソースにおいて、干渉電力／雑音電力またはＲＳＳＩを測定する。なお、パラメータとして、周波数リソースの設定（周波数方向のリソースの設定）やサブフレームオフセットおよび測定周期、または、測定に用いられるサブフレームのパターン（時間方向のリソースの設定）などがある。これらのＣＳＩ−ＩＭリソースはリスト化されてよい。ＣＳＩ−ＩＭリソースに関する設定とＲＳＳＩ測定に関するＩＤ（例えば、ＣＳＩ−ＩＭ設定ＩＤ）が紐付けられてもよい。
【０２１０】
ＲＳＳＩ測定に用いられるＣＳＩ−ＩＭのリソースの設定および／またはリストが、測定ＤＳ設定に含まれる場合には、ＣＳＩ−ＩＭリソースは、ＤＳオケージョン継続期間内の一部またはすべてのサブフレームにマップされてもよい。
【０２１１】
なお、１サブフレーム内に複数のＣＳＩ−ＩＭリソースがマップされる場合、各リソースのＲＳＳＩ値を用いて線形平均されてもよい。また、１サブフレーム内に複数のＣＳＩ−ＩＭリソースがマップされる場合、リソースがマップされるシンボルが異なれば、各リソースのＲＳＳＩ値を線形平均しなくてもよい。その分、測定ポイントの数が増加するとみなされてもよい。
【０２１２】
また、ＲＳＳＩに関する設定には、ＲＳＳＩに関する測定が行なわれるシンボルおよび／またはサブフレームを示すパラメータ（シンボルパターンまたはサブフレームパターン）が含まれてもよい。なお、シンボルを示すパラメータとサブフレームを示すパラメータは独立に設定されてもよい。２つのパラメータに基づいて、どのサブフレームのどのシンボルにおいて、ＲＳＳＩに関する測定を行なうのかが示されてもよい。シンボルを示すパラメータのみの場合は、すべてのサブフレームのそのシンボルにおいて、ＲＳＳＩ測定を行なってもよい。サブフレームを示すパラメータのみの場合は、そのサブフレームのすべてのシンボルにおいて、ＲＳＳＩ測定を行なってもよい。なお、ＲＳＳＩに関する測定サブフレームパターンは、同じ測定オブジェクト設定に含まれる隣接セルに対する測定サブフレームパターンとは、個別に設定され、且つ、異なるパターンになることが好ましい。つまり、ＲＳＳＩに関する測定サブフレームパターンと隣接セルに対する測定サブフレームパターン間で、重複するサブフレームがないことが好ましい。
【０２１３】
また、ＲＳＳＩに関する設定が、ＰＣｅｌｌと同じ周波数の測定オブジェクト設定に含まれる場合には、ＲＳＳＩに関する測定サブフレームパターンは、ＰＣｅｌｌに対する測定サブフレームパターンと個別に設定され、且つ、異なるパターンになることが好ましい。つまり、ＲＳＳＩに関する測定サブフレームパターンとＰＣｅｌｌに対する測定サブフレームパターン間で、重複するサブフレームがないことが好ましい。
【０２１４】
また、ＲＳＳＩに関する測定サブフレームパターンは、測定期間と対応付けられてもよい。例えば、測定期間が４０ｍｓ（４０サブフレーム）であれば、ＲＳＳＩに関する測定サブフレームパターンは、４０ビットで表されてもよい。また、測定期間が８０ｍｓ（８０サブフレーム）であれば、ＲＳＳＩに関する測定サブフレームパターンは、８０ビットで表されてもよい。つまり、測定期間に応じて、測定サブフレームパターンに用いられるビット数（ビット列の長さ）も決定されてもよい。また、測定サブフレームパターンに用いられるビット数（ビット列の長さ）に応じて、測定期間の長さが決定されてもよい。
【０２１５】
また、ＲＳＳＩに関する測定サブフレームパターンと測定期間が個別に設定される場合、測定期間は測定サブフレームパターンに用いられるサブフレームの総数の整数倍になることが好ましい。例えば、測定サブフレームパターンに用いられるサブフレームの総数が１０サブフレームであれば（つまり、測定サブフレームパターンが１０ビットのビット列で表現されるとすれば）、測定期間は１０×ｎ（ｎは整数）であることが好ましい。測定期間内で、同じパターンが繰り返される。
【０２１６】
なお、ＲＳＳＩに関する測定サブフレームパターンを例に挙げて説明したが、測定シンボルパターンも同様に設定されてもよい。
【０２１７】
なお、ＲＳＳＩに関する設定は、ＲＳＳＩ測定に用いられるリソースの設定を含んでもよい。そのリソースの設定には、測定サブフレーム（または測定シンボル）および測定周期を示すパラメータや時間・周波数リソースを特定するために用いられるパラメータ（そのリソースがマッピングされるリソースエレメントを特定するためのパラメータ）が含まれてもよい。
【０２１８】
また、ＲＳＳＩに関する設定は、ＤＳが送信されないリソースにおいて測定するか否かを示すパラメータが含まれてもよい。端末装置は、そのパラメータにおいて、測定することが示された場合、ＤＳ送信されないリソース（ＯＦＤＭシンボルまたはサブフレーム）でＲＳＳＩを測定する。測定するサブフレームまたはＯＦＤＭシンボルが決定している場合は、それらを示すパラメータがＲＳＳＩに関する設定としてセットされてもよい。また、ＤＳオケージョン内でＤＳがマップされないサブフレームを測定サブフレームとみなしてもよい。
【０２１９】
また、ＲＳＳＩに関する設定が測定ＤＳ設定に含まれる場合、端末装置は、一部またはすべてのサブフレームにおいて、ＤＳがマップされないリソースを用いてＲＳＳＩを測定してもよい。例えば、測定リソースおよび測定ポイントはＤＳオケージョン内のすべてのＯＦＤＭシンボルの特定のリソースであってもよい。ＤＳオケージョンが６サブフレーム（ＮＣＰ）で構成され、すべてのサブフレームのすべてのＯＦＤＭシンボルが測定ポイントである場合、端末装置は、合計６×１４＝８４ポイントのそれぞれにおいてＲＳＳＩを測定し、ＲＳＳＩのレベルに対応するヒストグラムを生成してもよい。端末装置は、各ポイントにおけるＲＳＳＩの測定結果をレベル分けし、対応するヒストグラムを生成してもよい。
【０２２０】
また、ＲＳＳＩに関する設定は、ゼロ電力のＣＲＳのリソースを示すパラメータが含まれてもよい。例えば、自セルで用いないＣＲＳのリソースを示すパラメータや自セルで用いるＣＲＳ以外のリソースを測定することを示すパラメータなどが含まれてもよい。リソースを示すパラメータとしては、周波数方向のオフセットを示すパラメータとサブフレームパターンなどが含まれてもよい。
【０２２１】
また、ＲＳＳＩに関する設定は、ゼロ電力のＵＥＲＳのリソースを示すパラメータが含まれてもよい。例えば、自セルで用いないＵＥＲＳのリソースを示すパラメータや自セルで用いるＵＥＲＳ以外のリソースを測定することを示すパラメータなどが含まれてもよい。リソースを示すパラメータとしては、周波数方向のオフセットを示すパラメータとサブフレームパターンなどが含まれてもよい。
【０２２２】
また、ＲＳＳＩに関する設定は、ゼロ電力のＰＲＳのリソースを示すパラメータが含まれてもよい。例えば、自セルで用いないＰＲＳのリソースを示すパラメータや自セルで用いるＰＲＳ以外のリソースを測定することを示すパラメータなどが含まれてもよい。リソースを示すパラメータとしては、周波数方向のオフセットを示すパラメータとサブフレームパターンなどが含まれてもよい。
【０２２３】
また、ＲＳＳＩに関する設定は、ゼロ電力の（または特定の）ＯＦＤＭシンボルまたはサブフレームを示すパラメータが含まれてもよい。例えば、ゼロ電力のＯＦＤＭシンボルまたはサブフレームを示すパラメータなどが含まれてもよい。そのパラメータは、サブフレームパターンのようにビット列で示されてもよい。
【０２２４】
また、ＲＳＳＩに関する設定は、ガードタイム／ガードピリオドを測定するか否かを示すパラメータが含まれてもよい。ＲＳＳＩに関する設定は、特定のガードタイム／ガードピリオドを示すパラメータが含まれてもよい。ＤＬ送信（ＤＬバースト）とＵＬ送信（ＵＬバースト）の境の数シンボル（１以上のシンボル）がガードタイム／ガードピリオドとして設定されてもよい。なお、端末装置は、ＲＳＳＩ測定のパラメータとして規定されたガードタイム／ガードピリオドにおいて、ＲＲＣ接続している基地局装置（セル）から下りリンク信号が送信されることを期待しない。つまり、ガードタイム／ガードピリオドにおいて、測定されるＲＳＳＩは、他のノードや他セルからの干渉電力や雑音電力である。このガードタイム／ガードピリオドにおいて、基地局装置と端末装置は、同時にＲＳＳＩまたはＣＣＡまたは電力の測定を行なってもよい。
【０２２５】
また、ＲＳＳＩに関する設定は、ガードバンドを測定するか否かを示すパラメータが含まれてもよい。例えば、測定サブフレームを制限するためのパラメータが含まれてもよい。
【０２２６】
図５より、ＲＳＳＩに関する設定は、測定ポイントに用いられるリソースの設定であってもよい。例えば、測定ポイントにおいて用いられる周波数方向のリソース（例えば、周波数オフセット、サブキャリアオフセット、リソースエレメントオフセットなど）と時間方向のリソース（例えば、サブフレームオフセットおよび周期、シンボルオフセットなど）をそれぞれ示すパラメータが含まれてもよい。
【０２２７】
測定オブジェクト設定に含まれるキャリア周波数が、所定の周波数または所定のオペレーティングバンドに属している場合、端末装置は、測定報告される（または、ヒストグラムを生成するための）ＲＳＳＩを測定してもよい。
【０２２８】
ＲＳＳＩに関する設定は、１つの測定オブジェクト設定に複数セットされてもよい。つまり、ＲＳＳＩに関する設定は、リスト化されてもよい。ＲＳＳＩに関する設定のリストには、各ＲＳＳＩに関する設定に対応するＩＤが含まれてもよい。つまり、設定とＩＤが対応関係にあってもよい。
【０２２９】
また、ＲＳＳＩに関する設定は、ヒストグラムに関する設定と称されてもよい。ＲＳＳＩに関する設定には、ＲＳＳＩの測定に用いられるパラメータだけでなく、ヒストグラムを生成するために用いられるパラメータが含まれてもよい。また、ＲＳＳＩに関する設定は、図５のような、ＲＳＳＩの測定ポイントを示すパラメータが含まれてもよい。つまり、測定ポイントを示す周波数リソースや測定タイミングを設定するためのパラメータが含まれてもよい。
【０２３０】
また、ＲＳＳＩに関する設定は、ヒストグラムを生成するために用いる測定期間が含まれてもよい。図５の記載の測定期間に相当する。測定期間と測定リソースに基づいて、測定ポイントの総数が決定されてもよい。
【０２３１】
なお、ＲＳＳＩに関する設定は、測定オブジェクト設定に含まれなくてもよい。例えば、測定オブジェクト設定に含まれるキャリア周波数（キャリア周波数によって設定される周波数）が、ＬＡＡのオペレーティングバンドに属する場合、端末装置は、所定の測定リソースを用いて、ＲＳＳＩを測定し、必要に応じて、測定したＲＳＳＩをレベル分けし、ヒストグラムを生成してもよい。基地局装置は、設定したキャリア周波数に応じて、測定オブジェクト設定に関連する報告設定に基づいて、測定報告される測定結果が、ＲＳＲＱに対する測定結果なのか、ＲＳＳＩに基づく測定結果（例えば、ＲＳＳＩレベルに対応するヒストグラム）なのか判別できてもよい。
【０２３２】
例えば、端末装置は、ＲＳＳＩに関する設定を含む測定オブジェクト設定に関連する報告設定に、定期報告（periodical）が設定された場合にのみ、ＲＳＳＩに関するヒストグラムを生成してもよい。報告するヒストグラムは、すべてのレベルに対応しなくてもよい。つまり、特定のレベルに対応するヒストグラムのみを報告してもよい。どのレベルのヒストグラムを報告するかは、報告設定に含まれるパラメータに基づいて決定されてもよい。なお、この定期報告は、ＲＳＳＩに関する測定を行なうために、新たに設定されてもよい。つまり、ＲＳＳＩに関する定期報告として設定されてもよい。例えば、定期報告に対する目的は、最も強いセルを報告することやＣＧＩ（Cell Global Identifier）を報告することでなくてもよい。また、定期報告に対する目的は、ヒストグラムを報告することやＲＳＳＩに関する測定結果を報告することなどであってもよい。
【０２３３】
ＲＳＳＩに関する設定に、ヒストグラムを生成するための測定期間が含まれるとすれば、測定期間内の各ＯＦＤＭシンボルにおいてＲＳＳＩを測定し、その結果をレベル分けし、レベル毎のヒストグラムを生成してもよい。
【０２３４】
測定設定に、ヒストグラムを生成するための測定期間が含まれるとすれば、所定のキャリア周波数を含む測定オブジェクトにおいてのみ、ヒストグラム生成のためのＲＳＳＩを測定してもよい。つまり、ヒストグラム生成のためのＲＳＳＩを測定するか否かは、キャリア周波数に基づいて決定されてもよい。
【０２３５】
なお、ヒストグラム生成のためのパラメータと記載したが、レベルに対応する測定ポイントのビット列を生成するためのパラメータであってもよい。
【０２３６】
端末装置は、測定オブジェクト設定にＲＳＳＩに関する設定が含まれるか否か、および、関連する報告設定にＲＳＳＩに関する測定結果を報告することが示されるか否かに応じて、ＲＳＲＱに対するＲＳＳＩのみを測定するのか、さらに、ヒストグラムなどの隠れ端末を検出するために用いられるＲＳＳＩを測定するのかを決定してもよい。さらに、端末装置は、測定オブジェクト設定に測定ＤＳ設定が含まれるか否かに応じて、ＣＳＩ−ＲＳＲＰに対するＲＳＲＱを測定するのか決定してもよい。
【０２３７】
次に、本実施形態に係る測定手順について説明する。
【０２３８】
すべての測定に対して、端末装置は、報告基準の評価に対して（つまり、報告設定におけるイベントに対して）または測定報告に対して、測定結果を用いる前に、測定された結果に対して第３層フィルタリングを適用する。つまり、端末装置は、すべての測定に対して、物理量設定に基づくフィルタ係数を用いて測定結果のフィルタリングを行なう。
【０２３９】
端末装置は、測定設定がある（つまり、測定設定に含まれるパラメータがセットされた）場合、各サービングセルに対するＲＳＲＰおよび／またはＲＳＲＱ測定を行なう。
【０２４０】
端末装置は、ＰＣｅｌｌに対してＰＣｅｌｌに対する測定サブフレームパターンが設定されているとすれば、ＰＣｅｌｌに対する測定サブフレームパターンに基づいて測定するサブフレームを制限してもよい。端末装置は、この測定サブフレームパターンが設定されていなければ、毎サブフレームにおいて、ＰＣｅｌｌに対するＲＳＲＰおよび／またはＲＳＲＱ測定を行なう。なお、これらのＲＳＲＰおよび／またはＲＳＲＱ測定に用いられる測定リソースはＣＲＳ（ＣＲＳのためのリソース）である。
【０２４１】
端末装置は、端末装置がＣＲＳに基づくＤＳ測定を行なうとすれば、且つ、測定ＤＳ設定が、ＳＣｅｌｌ（つまり、測定報告が行なわれるＳＣｅｌｌ）の周波数に対応する測定オブジェクト内に、設定されているとすれば、不活性化状態の各ＳＣｅｌｌに対して、測定ＤＳ設定に関連するＤＭＴＣを適用する。つまり、端末装置は、ＤＭＴＣに基づいて、ＤＭＴＣを含む測定オブジェクトに設定された周波数における、不活性化状態の各ＳＣｅｌｌに対して、ＣＲＳに基づくＤＳ測定を行なう。
【０２４２】
可変測定設定内の測定ＩＤリストに含まれた各測定ＩＤに対して、関連する報告設定に対する目的にＣＧＩ（Cell Global Indicator）を報告することがセットされているとすれば、且つ、ハンドオーバに対するシステムインフォメーションリクエストが関連する報告設定に設定されているとすれば、必要な自律ギャップを用いて、関連する測定オブジェクトで示された周波数およびＲＡＴにおいて、対応する測定を行なう。それ以外の場合、必要な自律ギャップまたは有効なアイドルピリオドを用いて、関連する測定オブジェクトで示された周波数およびＲＡＴにおいて、対応する測定を行なう。
【０２４３】
なお、可変測定設定は、イントラ周波数、インター周波数、および、インターＲＡＴモビリティに関連する測定をカバーする、端末装置によって行なわれる測定の累積設定を含んでいる。
【０２４４】
第１の条件または第２の条件を満たすと、端末装置は、関連する測定オブジェクトで示された周波数において、ＣＳＩ−ＲＳリソースの対応する測定を行なう。なお、そのＣＳＩ−ＲＳリソースは、関連する測定オブジェクトの測定ＤＳ設定に基づくＤＭＴＣが適用されている。
【０２４５】
また、第１の条件または第２の条件を満たし、且つ、第３の条件を満たすと、端末装置は、関連する測定オブジェクトで示された周波数において、隣接セルの対応する測定を行なう。端末装置は、プライマリ周波数における隣接セルに対しては、関連する測定オブジェクトで設定されたとすれば、隣接セルに対する測定サブフレームパターンに基づいて制限された測定サブフレームにおいて測定を行なう。また、関連する測定オブジェクトにおける測定ＤＳ設定に関連したＤＭＴＣを適用してもよい。
【０２４６】
なお、第１の条件は、測定ギャップ設定がセットされた場合であり、第２の条件は、端末装置が関連した測定を行なうための測定ギャップを必要としない場合であり、第３の条件は、関連する報告設定に測定したＣＲＳに関する測定結果を報告することが含まれる場合である。第２の条件には、さらに、条件Ａ〜Ｃのいずれかが含まれる。条件Ａは、ＰＣｅｌｌ品質閾値（s-Measure）が設定されていない場合である。条件Ｂは、ＰＣｅｌｌ品質閾値が設定され、且つ、第３層フィルタリング後のＰＣｅｌｌのＲＳＲＰがこの閾値より低い場合である。条件Ｃは、測定ＤＳ設定が関連する測定オブジェクトに設定され、且つ、端末装置がＣＳＩ−ＲＳに基づくＤＳ測定をサポートし、且つ、関連する報告設定のイベントＩＤがＣＳＩ−ＲＳに関するイベントにセットされる場合、または、ＣＳＩ−ＲＳの測定結果の最大値を報告することが示された場合である。それ以外では、関連する測定オブジェクトに示された周波数およびＲＡＴにおける隣接セルの対応する測定を行なう。プライマリ周波数の隣接セルに対して、関連する測定オブジェクトに設定されるとすれば、隣接セルに対する測定サブフレームパターンに基づいて制限された測定サブフレームにおいて測定が行なわれる。
【０２４７】
また、端末装置は、ＲＳＳＩに関する測定を行なうとすれば、且つ、ＲＳＳＩに関する設定が、ＳＣｅｌｌの周波数に対応する周波数が測定オブジェクト内に設定されていたとすれば、活性化状態および／または不活性化状態の各ＳＣｅｌｌに対して、そのＲＳＳＩに関する設定に関連した測定リソースを用いてＲＳＳＩ測定を行なう。例えば、測定リソースは、測定サブフレームパターンおよび／または測定シンボルパターンに基づいて決定されてもよいし、測定オブジェクト設定に含まれる関連する設定に基づいて決定されてもよい。
【０２４８】
また、端末装置は、ＲＳＳＩに関する測定を行なうとすれば、且つ、ＳＣｅｌｌの周波数に対応する周波数が測定オブジェクト内に設定され、且つ、その周波数が所定の周波数であれば（また、所定のオペレーティングバンドに属するとすれば）、活性化状態および／または不活性化状態の各ＳＣｅｌｌに対して、関連する測定リソースを用いてＲＳＳＩ測定を行なう。
【０２４９】
なお、測定したＲＳＳＩの結果が、ＲＳＲＱの測定結果に用いられないとすれば、端末装置は、それらのＲＳＳＩの測定結果を用いて、測定期間内のＲＳＳＩのレベル毎の専有時間（占有率、割合）を示すヒストグラムを生成してもよい。
【０２５０】
次に、本実施形態に係る測定報告手順について説明する。
【０２５１】
測定報告は、端末装置からネットワーク（基地局装置、ＥＵＴＲＡＮ）に測定結果を伝送することを目的とする。
【０２５２】
測定報告手順がトリガされた測定ＩＤに対して、端末装置は測定報告メッセージに測定結果をセットする。
【０２５３】
測定報告メッセージには、測定報告をトリガした測定ＩＤがセットされる。
【０２５４】
測定報告メッセージには、ＰＣｅｌｌの測定結果がセットされる。
【０２５５】
測定報告メッセージには、ＳＣｅｌｌに対する測定結果内に設定された各ＳＣｅｌｌに対して含まれるサービング周波数の測定結果のリストがセットされてもよい。
【０２５６】
測定報告をトリガした測定ＩＤに関連する報告設定が隣接に対する測定結果の追加報告を含むとすれば、測定報告をトリガした測定ＩＤに対応する周波数以外の、測定ＩＤリストにおいて参照された測定オブジェクトＩＤに対する各サービング周波数に対して、隣接セルのベストな測定結果に含まれるサービング周波数の測定結果のリストをセットする。そのリストには、関連するサービング周波数において、ＲＳＲＰに基づいて、ベストなサービングセルの測定結果に対する物理セルＩＤと物理量を含んでいる。
【０２５７】
報告するための、少なくとも１つの、適切な隣接セルがあるとすれば、端末装置は、最大報告セル数まで、測定結果がベストな隣接セルを含む、隣接セルに対する測定結果をセットする。なお、トリガタイプがイベントにセットされているとすれば、ベストな隣接セルには、測定ＩＤに対する可変測定報告リスト内に規定されるトリガされたセルのリストに含まれるセルを含んでもよい。
【０２５８】
最後の定期報告から、または、測定が開始またはリセットされてから、新しい測定結果が適用される、適切なセルを含んでもよい。
【０２５９】
報告するための、少なくとも１つの、適切なＣＳＩ−ＲＳリソースがあるとすれば、端末装置は、最大報告セル数まで、測定結果がベストなＣＳＩ−ＲＳリソースを含む、ＣＳＩ−ＲＳに関する測定結果のリストをセットする。なお、トリガタイプがイベントにセットされているとすれば、ベストなＣＳＩ−ＲＳリソースには、測定ＩＤに対する可変測定報告リスト内に規定されるトリガされたＣＳＩ−ＲＳのリストに含まれるＣＳＩ−ＲＳリソースを含んでもよい。
【０２６０】
最後の定期報告から、または、測定が開始またはリセットされてから、新しい測定結果が適用される、適切なＣＳＩ−ＲＳリソースを含んでもよい。
【０２６１】
ＣＳＩ−ＲＳに関する測定結果のリストに含まれる各ＣＳＩ−ＲＳリソースに対して、測定ＣＳＩ−ＲＳＩＤが含まれてもよい。また、測定ＩＤに対する報告設定に関連する第３層フィルタリング後の測定結果を含んでもよい。
【０２６２】
端末装置は、ＣＳＩ−ＲＳに関するトリガ物理量が減少する順に（つまり、ベストなＣＳＩ−ＲＳが最初に含まれているとすれば）、関連する報告設定内の報告物理量で示された物理量を含む、ＣＳＩ−ＲＳＲＰの測定結果を測定報告メッセージにセットしてもよい。
【０２６３】
ＣＲＳの測定結果を報告することが、関連する報告設定に含まれ、このＣＳＩ−ＲＳリソースの物理セルＩＤによって示されたセルがサービングセルではないとすれば、端末装置は、このＣＳＩ−ＲＳリソースの物理セルＩＤによって示されたセルと物理セルＩＤを含む、隣接セルに対する測定結果をセットしてもよい。また、端末装置は、関連するセルのＲＳＲＰを含むＲＳＲＰの測定結果を測定報告メッセージにセットしてもよい。つまり、この測定結果は、関連するセルのセルＩＤとセットになって報告される。
【０２６４】
ＲＳＳＩに関する測定結果を報告することが、関連する報告設定に含まれるとすれば（つまり、ＲＳＳＩに関する測定結果を報告することを示すパラメータが報告設定に設定されるとすれば）、端末装置は、物理セルＩＤと、関連する物理セルＩＤによって示されたセルのＲＳＳＩに関する測定結果を測定報告メッセージにセットしてもよい。
【０２６５】
ＲＳＳＩに関する測定結果を報告することが、関連する報告設定に含まれるとすれば（つまり、ＲＳＳＩに関する測定結果を報告することを示すパラメータが報告設定に設定されるとすれば）、且つ、ＣＳＩ−ＩＭリソースに基づいてＲＳＳＩが測定されるとすれば、端末装置は、関連するＣＳＩ−ＩＭ設定ＩＤによって示されたリソースとＣＳＩ−ＩＭ設定ＩＤを含む、ＲＳＳＩに関する測定結果を測定報告メッセージにセットしてもよい。つまり、測定結果は、関連するＣＳＩ−ＩＭリソースの設定ＩＤとセットになって報告されてもよい。
【０２６６】
ＲＳＳＩに基づくに関連する測定結果を報告することが、関連する報告設定に含まれるとすれば（つまり、ＲＳＳＩに基づくヒストグラムに関する測定結果を報告することを示すパラメータが報告設定に設定されるとすれば）、端末装置は、関連するＲＳＳＩに関する設定に紐付けられたＩＤとＲＳＳＩに基づくヒストグラムに関する測定結果を測定報告メッセージにセットしてもよい。
【０２６７】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【０２６８】
端末装置は電源を入れた直後など（例えば、起動時）、いずれのネットワークとも非接続状態である。このような非接続状態をアイドルモード（ＲＲＣアイドル）と称する。アイドルモードの端末装置は通信を行なうために、いずれかのネットワークと接続する必要がある。つまり、端末装置は、接続モード（ＲＲＣ接続）になる必要がある。ここで、ネットワークは、ネットワークに属する基地局装置やアクセスポイント、ネットワークサーバ、モデムなどを含んでもよい。
【０２６９】
そこで、アイドルモードの端末装置は、通信を行なうために、ＰＬＭＮ（Public Land Mobile Network）選択、セル選択／再選択、位置登録、ＣＳＧ（Closed Subscriber Group）セルの手動選択などを行なう必要がある。
【０２７０】
端末装置が電源を入れられた時、ＰＬＭＮは非アクセス層（ＮＡＳ）によって選択される。選択されたＰＬＭＮに対して、関連する無線アクセス技術（ＲＡＴ）がセットされる。ＮＡＳは、利用可能であれば、アクセス層（ＡＳ）がセル選択／再選択に使用するのに、相当するＰＬＭＮのリストを提供する。
【０２７１】
セル選択において、端末装置は、選択されたＰＬＭＮの適切なセルを探索し、利用可能なサービスが提供されるセル（サービングセル）を選択する。さらに、端末装置はその制御チャネルに周波数を合わせる。このような選択を“セルにキャンプする”と称する。
【０２７２】
端末装置は、必要であれば、ＮＡＳ登録手順を用いて、選択されたＰＬＭＮが登録されたＰＬＭＮとなる位置登録成功の結果として、選択されたセルのトラッキングエリアにおける、その存在（選択されたセルに関する情報やトラッキングエリアに関する情報）を登録する。
【０２７３】
端末装置は、より適切なセルを見つけた場合、セル再選択基準に応じて、そのセルを再選択し、キャンプする。新しいセルが端末装置登録した少なくとも１つのトラッキングエリアに属していないとすれば、新しいセルに対する位置登録が行なわれる。
【０２７４】
必要であれば、端末装置は、一定時間毎により優先度の高いＰＬＭＮを探索し、他のＰＬＭＮがＮＡＳによって選択されたとすれば、適切なセルを探索する。
【０２７５】
利用可能なＣＳＧの探索が手動ＣＳＧ選択をサポートするためにＮＡＳによってトリガされるかもしれない。
【０２７６】
端末装置は登録されたＰＬＭＮのカバレッジの範囲から外れたとすれば、新しいＰＬＭＮを自動で選択する（自動モード）か、どのＰＬＭＮが利用可能であるかを手動で選択する（手動モード）かのいずれかをユーザが設定できるようにしてもよい。ただし、登録を必要としないサービスを受ける場合には、端末装置は、このような登録を行なわなくてもよい。
【０２７７】
アイドルモードの端末装置がセルをキャンプする目的として以下の（Ａ１）〜（Ａ５）がある。
【０２７８】
（Ａ１）端末装置に、ＰＬＭＮ（またはＥＵＴＲＡＮ）からのシステムインフォメーションを受信させることができる。
【０２７９】
（Ａ２）登録された時、端末装置がＲＲＣ接続を確立しようとすれば、キャンプされたセルの制御チャネルを用いてネットワークに初期アクセスを行なう。
【０２８０】
（Ａ３）ＰＬＭＮが登録した端末装置に対する呼び出しを受信したとすれば、ＰＬＭＮは端末装置がキャンプされたトラッキングエリアのセット（つまり、キャンプセル）が分かる。それから、ＰＬＭＮはトラッキングエリアのこのセットにおけるすべてのセルの制御チャネルで端末装置に対する“ページングメッセージ”を送信することができる。それから端末装置は、登録したトラッキングエリアの１つのセルの制御チャネルに周波数を合わせるのでそのページングメッセージを受信し、その制御チャネルに対して応答することができる。
【０２８１】
（Ａ４）端末装置に、ＥＴＷＳ（Earthquake and Tsunami Warning System）とＣＭＡＳ（Commercial Mobile Alter System）通知を受信させることができる。
【０２８２】
（Ａ５）端末装置に、ＭＢＭＳ（Multimedia Broadcast-Multicast Service）を受信させることができる。
【０２８３】
端末装置がキャンプする適切なセルを見つけることができなかったとすれば、もしくは、位置登録が失敗したとすれば、ＰＬＭＮ識別子に係らず、セルにキャンプしようとし、“制限されたサービス”状態に入る。ここで制限されたサービスとは、条件を満たすセルにおける緊急通話やＥＴＷＳ、ＣＭＡＳなどである。それに対して、ノーマルサービスは、適切なセルにおける公共利用に対して行なわれる。また、オペレータ特有のサービスなどもある。
【０２８４】
ＮＡＳが、ＰＳＭ（Power Saving Mode）が開始することを指示する時、アクセス層（ＡＳ）設定は維持され、すべての作動しているタイマーは作動し続けるが、端末装置はアイドルモードタスク（例えば、ＰＬＭＮ選択やセル選択／再選択など）を行なう必要はない。端末装置がＰＳＭで、あるタイマーが満了したら、ＰＳＭが終了したときの最後の処理を行なうか、直ちに対応する処理を行なうかは端末装置の実装次第である。ＮＡＳがＰＳＭの終了を指示した時、端末装置はすべてのアイドルモードタスクを行なう。
【０２８５】
端末装置は、セルの中を通信エリアとみなして動作する。端末装置が、あるセルから別のセルへ移動するときは、非接続時（ＲＲＣアイドル、アイドルモード、非通信中）はセル選択／再選択手順、接続時（ＲＲＣ接続、接続モード、通信中）はハンドオーバ手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【０２８６】
ＰＬＭＮ選択において、端末装置では、ＮＡＳからの要求、または、自発的に、ＮＡＳへ利用可能なＰＬＭＮを報告する。ＰＬＭＮ選択中は、優先順位におけるＰＬＭＮ識別子のリストに基づいて、自動または手動のいずれかで特定のＰＬＭＮが選択されるかもしれない。ＰＬＭＮ識別子のリストにおける各ＰＬＭＮは‘ＰＬＭＮ識別子’で識別される。報知チャネルにおけるシステムインフォメーションにおいて、端末装置は、あるセルにおける１つまたは複数の‘ＰＬＭＮ識別子’を受信することができる。ＮＡＳによって行なわれたＰＬＭＮ選択の結果は選択したＰＬＭＮの識別子である。
【０２８７】
ＮＡＳの要求に基づいて、ＡＳは利用可能なＰＬＭＮの探索を行ない、それらをＮＡＳへ報告する。
【０２８８】
ＥＵＴＲＡの場合、端末装置は、利用可能なＰＬＭＮを見つけるために、端末装置の機能情報に応じたＥＵＴＲＡオペレーティングバンド内のすべてのＲＦチャネルをスキャンする。各キャリア（コンポーネントキャリア）において、端末装置は最も強いセルを探索し、そのセルが属しているＰＬＭＮを見つけるために、そのシステムインフォメーションを読み取る。端末装置は、その最も強いセルにおいて、１つまたはいくつかのＰＬＭＮ識別子を読み取ることができるとすれば、各発見されたＰＬＭＮはより質の高いＰＬＭＮとしてＮＡＳへ報告される。なお、より質の高いＰＬＭＮの基準は、ＥＵＴＲＡセルに対して測定されたＲＳＲＰの値が所定の値（例えば、−１１０ｄＢｍ）以上であることである。なお、最も強いセルとは、例えば、ＲＳＲＰやＲＳＲＱなどの測定値が最もよい（最も高い）値を示すセルのことである。つまり、最も強いセルとは、その端末装置における通信に対して最適なセルのことである。
【０２８９】
発見されたＰＬＭＮが、基準は満たしていないが、読み取れるとすれば、ＲＳＲＰの値とともにＰＬＭＮ識別子はＮＡＳへ報告される。ＮＡＳへ報告された測定値は１つのセルで発見された各ＰＬＭＮに対して同じである。
【０２９０】
ＰＬＭＮの探索は、ＮＡＳの要求によって止められるかもしれない。端末装置は、保持していた情報（例えば、受信測定制御情報要素からのキャリア周波数やセルパラメータに関する情報など）を用いることによってＰＬＭＮ探索を最適化するかもしれない。
【０２９１】
端末装置は、ＰＬＭＮを選択するとすぐに、キャンプするためのＰＬＭＮの適切なセルを選択するためにセル選択手順が行なわれる。
【０２９２】
ＰＬＭＮ選択の一部として、ＣＳＧ−ＩＤがＮＡＳによって提供されたとすれば、端末装置は、キャンプするために、提供されたＣＳＧ−ＩＤに属する、許容可能なセルまたは適切なセルを探索する。端末装置が提供されたＣＳＧ−ＩＤのセルにキャンプできない時、ＡＳはＮＡＳにその情報を提供する。
【０２９３】
セル選択／再選択において、端末装置は、セル選択／再選択に対する測定を行なう。
【０２９４】
ＮＡＳは、例えば、選択されたＰＬＭＮに関連するＲＡＴを指示することによって、または、禁止登録エリアのリストや相当するＰＬＭＮのリストを保持することによって、セル選択が行なわれたＲＡＴを制御することができる。端末装置は、アイドルモード測定およびセル選択基準に基づいて適切なセルを選択する。
【０２９５】
セル選択処理を加速するために、いくつかのＲＡＴに対して保持した情報は端末装置において利用されるかもしれない。
【０２９６】
セルにキャンプされた場合、端末装置はセル再選択基準に応じて、よりよいセルを探索する。よりよいセルが発見されたとすれば、そのセルが選択される。セルの変更はＲＡＴの変更を意味することもある。ここで、よりよいセルとは、通信するのにより適したセルのことである。例えば、よりよいセルとは、通信品質がよりよい（例えば、セル間で比較したときにＲＳＲＰやＲＳＲＱの測定値が好結果である）セルのことである。
【０２９７】
セル選択／再選択が受信したＮＡＳに関するシステム情報において変更されたとすれば、ＮＡＳは情報を提供される。
【０２９８】
ノーマルサービスにおいて、端末装置は適切なセルにキャンプし、そのセルの制御チャネルに波長を合わせる。そうすることによって、端末装置は、ＰＬＭＮからのシステムインフォメーションを受信することができる。また、端末装置は、ＰＬＭＮから、トラッキングエリア情報などの登録エリア情報を受信することができる。また、端末装置は、他のＡＳとＮＡＳ情報を受信することができる。登録したとすれば、ＰＬＭＮからページングおよび通知メッセージを受信することができる。また、端末装置は、接続モードへの遷移を開始することができる。
【０２９９】
端末装置は、２つのセル選択手順のうちの１つを用いる。初期セル選択は、ＲＦチャネルがＥＵＴＲＡキャリアであるという予備知識（保持情報）を必要としない。端末装置は、適切なセルを見つけるために端末装置の機能情報に応じたＥＵＴＲＡオペレーティングバンドにおけるすべてのＲＦチャネルをスキャンする。各キャリア周波数において、端末装置は最も強いセルに対する探索だけ必要である。適切なセルが発見されるとすぐに、このセルが選択される。
【０３００】
保持情報セル選択は、予め受信した測定制御情報要素から、または、予め検出されたセルからの、保持された、キャリア周波数の情報と任意でさらにセルパラメータに関する情報を必要とする。端末装置は適切なセルを見つけるとすぐに、そのセルを選択する。適切なセルが見つからないとすれば、初期セル選択手順が開始される。
【０３０１】
標準セル選択に加え、ＣＳＧの手動選択が上位層からの要求に応じて端末装置によってサポートされる。
【０３０２】
異なるＥＵＴＲＡＮ周波数もしくはＲＡＴ間周波数の明確な優先事項がシステムインフォメーション（例えば、ＲＲＣ接続解放メッセージ）で、もしくは、ＲＡＴ間セルの（再）選択でもう一方のＲＡＴから引き継ぐことによって、端末装置に提供されるかもしれない。システムインフォメーションの場合、ＥＵＴＲＡＮ周波数もしくはＲＡＴ間周波数は優先事項を提供することなしにリスト化される。
【０３０３】
専用シグナリングで優先事項が提供されたとすれば、端末装置は、システムインフォメーションで提供された優先事項をすべて無視する。端末装置がいずれかのセルにキャンプされた状態であるならば、端末装置は、現在のセル（現在接続しているセル）からのシステムインフォメーションによって提供された優先事項を適用するだけである。そして、特に規定がなければ、端末装置は、専用シグナリングやＲＲＣ接続削除メッセージによって提供された優先事項を保持する。
【０３０４】
アイドルモードの端末装置は、ＰＳＳ／ＳＳＳから、セルの時間・周波数の同期を行ない、ＰＳＳ／ＳＳＳを復号することによってそのセルのセルＩＤを取得することができる。そのセルＩＤからＣＲＳの周波数位置を推定し、ＲＳＲＰ／ＲＳＲＱ測定を行なうことができる。
【０３０５】
なお、ＥＵＴＲＡＮ測定には、接続モードの端末装置によって行なわれる測定がある。端末装置は、適切な測定ギャップにおいてＥＵＴＲＡＮ測定を行ない、ＥＵＴＲＡＮ測定をしたセルに同期している。ＥＵＴＲＡＮ測定は、イントラ周波数ＲＳＲＰ／ＲＳＲＱ、インター周波数ＲＳＲＰ／ＲＳＲＱ、端末装置の受信送信の時間差、端末装置のポジショニングに用いられる参照信号時間差（ＲＳＴＤ）、ＲＡＴ間（ＥＵＴＲＡＮ−ＧＥＲＡＮ／ＵＴＲＡＮ）測定、システム間（ＥＵＴＲＡＮ−非３ＧＰＰ  ＲＡＴ）測定などがある。ＥＵＴＲＡＮ測定は、物理層測定として定義されている。ＥＵＴＲＡＮ測定は、モビリティをサポートするために用いられる。
【０３０６】
アイドルモードおよび接続モードの端末装置は、セルサーチを行なうことによって、セルとの時間および周波数同期を捕捉し、そのセルのＰＣＩを検出する。ＥＵＴＲＡセルサーチは、６リソースブロック以上に対応する拡張可能な送信帯域幅をサポートする。
【０３０７】
セルサーチを行なうために、下りリンクにおいて、ＰＳＳ／ＳＳＳが送信される。つまり、端末装置は、ＰＳＳ／ＳＳＳを用いてセルサーチを行なう。端末装置は、アンテナポート０〜３とサービングセルのＰＳＳ／ＳＳＳがドップラーシフトおよび平均遅延に対してＱＣＬ（Quasi Co-Location）されたと仮定する。
【０３０８】
周辺セルサーチは初期セルサーチとして同じ下りリンク信号に基づいている。
【０３０９】
ＲＳＲＰ測定は、ＣＲＳまたは設定されたＤＳ（Discovery Signal）のＣＳＩ−ＲＳに基づいて行なわれる。
【０３１０】
通常のキャンプ状態である端末装置が現在の周波数に対する以外の個別の優先事項を有する時、端末装置は、現在の周波数をより優先度の低い周波数である（つまり、８つのネットワーク設定値よりも低い）とみなす。
【０３１１】
端末装置が適切なＣＳＧセルにキャンプしている間、現在の周波数に割り当てられた何か他の優先値に係らず、端末装置は常に現在の周波数を最も優先度の高い周波数である（つまり、８つのネットワーク設定値よりも高い）とみなす。
【０３１２】
端末装置がＲＲＣ接続状態に入る時、または、専用の優先事項の任意の有効性時間に関するタイマー（Ｔ３２０）が満了する時、または、ＰＬＭＮ選択がＮＡＳによる要求に応じて行なわれる時、端末装置は、専用シグナリングによって提供された優先事項を削除する。
【０３１３】
端末装置は、システムインフォメーションで与えられた、および、端末装置が提供された優先度を有するＥＵＴＲＡＮ周波数もしくはＲＡＴ間周波数に対して、セル再選択推定を行なうだけである。
【０３１４】
端末装置は、セル再選択の候補として、ブラックリスト化されたセルを考慮しない。
【０３１５】
端末装置は、専用シグナリングによって提供された優先事項および継続有効性時間を引き継ぐ。
【０３１６】
端末装置が手動のＣＳＧ選択をサポートしている場合、ＮＡＳの要求に応じて、ＡＳは利用可能なＣＳＧを見つけるために、その機能情報に応じたＥＵＴＲＡオペレーティングバンド内のすべてのＲＦチャネルをスキャンする。各キャリアにおいて、端末装置は、少なくとも最も強いセルを探索し、そのシステムインフォメーションを読み取り、ＮＡＳにＰＬＭＮと“ＨＮＢ（Home Node B）ネーム”（報知されるとすれば）とともに利用可能なＣＳＧ−ＩＤを報告する。
【０３１７】
ＮＡＳがＣＳＧを選択し、ＡＳにこの選択を提供したとすれば、端末装置は、キャンプするために選択されたＣＳＧに属する条件を満たすセルまたは適切なセルを探索する。
【０３１８】
標準セル再選択に加え、端末装置は、ＰＬＭＮ識別子に関連した少なくとも１つのＣＳＧ−ＩＤが端末装置のＣＳＧホワイトリストに含まれている時に、少なくとも以前訪れた（アクセスしたことがある）ＣＳＧメンバーセルを検出するために、特性要求条件に応じて非サービング周波数、ＲＡＴ間周波数における自律探索機能を用いてもよい。セルを探索するために、端末装置はさらにサービング周波数における自律探索機能を用いてもよい。端末装置のＣＳＧホワイトリストが空になっているとすれば、端末装置はＣＳＧセルに対する自律探索機能を無効にする。ここで、端末装置の実装毎の自律探索機能はＣＳＧメンバーセルを探索するための時間と場所を決定する。
【０３１９】
端末装置は、異なる周波数において、１つ以上の適切なＣＳＧセルを検出するとすれば、その関連したＣＳＧセルがその周波数において最も順位の高いセルであるとすれば、端末装置が現在キャンプしているセルの周波数優先度に係らず、検出したセルの１つを再選択する。
【０３２０】
端末装置は、同じ周波数において適切なＣＳＧセルを検出すると、標準セル再選択ルールに基づいて、このセルを再選択する。
【０３２１】
端末装置は、他のＲＡＴにおいて、１つ以上のＣＳＧセルを検出すると、端末装置は特定のルールに基づいて、それらのうちの１つを再選択する。
【０３２２】
適切なＣＳＧセルにキャンプしている間、端末装置は標準セル再選択を適用する。
【０３２３】
非サービング周波数において適切なＣＳＧセルを探索するために、端末装置は自律探索機能を用いるかもしれない。端末装置は、非サービング周波数においてＣＳＧセルを検出すると、端末装置はそれがその周波数における最も順位の高いセルであるとすれば、検出したＣＳＧセルを再選択するかもしれない。
【０３２４】
端末装置は、他のＲＡＴにおいて１つ以上のＣＳＧセルを検出すると、特定のルールに基づいて許可されているとすれば、端末装置は、それらのうちの１つを再選択するかもしれない。
【０３２５】
標準セル再選択ルールに加え、端末装置は、ＣＳＧ−ＩＤと関連するＰＬＭＮ識別子が特性要求条件に応じたＣＳＧホワイトリストにある少なくとも以前訪れたハイブリッドセルを検出するために自律探索機能を用いる。端末装置は、ハイブリッドセルのＣＳＧ−ＩＤと関連するＰＬＭＮ識別子がＣＳＧホワイトリストにあるとすれば、検出したハイブリッドセルをＣＳＧセルとして扱い、それ以外は標準セルとして扱う。
【０３２６】
正常なキャンプ状態である時、端末装置は、以下のタスク（Ｂ１）〜（Ｂ４）を行なう。
【０３２７】
（Ｂ１）端末装置は、システムインフォメーションで送信された情報に応じて、そのセルの指示されたページングチャネルを選択し、モニタする。
【０３２８】
（Ｂ２）端末装置は、関連するシステムインフォメーションをモニタする。
【０３２９】
（Ｂ３）端末装置は、セル再選択推定手順に対して必要な測定を行なう。
【０３３０】
（Ｂ４）端末装置は、端末装置内部のトリガおよび／またはセル再選択推定手順に対して用いられたＢＣＣＨ（Broadcast Control Channel）の情報が変更された時、セル再選択推定手順を実行する。
【０３３１】
接続モードからアイドルモードへ遷移すると、端末装置は、リダイレクトしたキャリアに関する情報（redirectedCarrierInfo）がＲＲＣ接続解放メッセージに含まれているとすれば、その情報に応じて適切なセルへキャンプしようと試みる。端末装置は、適切なセルを見つけることができなければ、指示されたＲＡＴのいずれかの適切なセルにキャンプすることを許可される。ＲＲＣ接続解放メッセージがリダイレクトしたキャリアに関する情報を含んでいないとすれば、端末装置は、ＥＵＴＲＡキャリアにおいて適切なセルを選択しようと試みる。適切なセルが見つけられなければ、端末装置は、キャンプするための適切なセルを見つけるために、保持情報セル選択手順を用いてセル選択を開始する。
【０３３２】
端末装置がいずれかのセルにキャンプした状態から接続モードに移行した後、アイドルモードに再調整されると、端末装置は、リダイレクトしたキャリアに関する情報がＲＲＣ接続解放メッセージに含まれているとすれば、リダイレクトしたキャリアに関する情報に応じて許容可能なセルにキャンプしようと試みる。ＲＲＣ接続解放メッセージがリダイレクトしたキャリアに関する情報を含んでいないとすれば、端末装置は、ＥＵＴＲＡキャリアにおいて許容可能なセルを選択しようと試みる。許容可能なセルを見つけられなければ、端末装置はいずれかのセル選択状態において、いずれかのＰＬＭＮの許容可能なセルを探索し続ける。いずれかのセル選択状態において、いずれかのセルにキャンプしていない端末装置は、許容可能なセルを見つけるまでこの状態を継続する。
【０３３３】
いずれかのセルにキャンプした状態であれば、端末装置は、以下のタスク（Ｃ１）〜（Ｃ６）を行なう。
【０３３４】
（Ｃ１）端末装置は、システムインフォメーションで送信された情報に応じて、そのセルの指示されたページングチャネルを選択し、モニタする。
【０３３５】
（Ｃ２）端末装置は、関連するシステムインフォメーションをモニタする。
【０３３６】
（Ｃ３）端末装置は、セル再選択推定手順に対して必要な測定を行なう。
【０３３７】
（Ｃ４）端末装置は、端末装置内部のトリガおよび／またはセル再選択推定手順に対して用いられたＢＣＣＨ（Broadcast Control Channel）の情報が変更された時、セル再選択推定手順を実行する。
【０３３８】
（Ｃ５）端末装置は、定期的に端末装置によってサポートされたすべてのＲＡＴのすべての周波数を試みて適切なセルを見つける。適切なセルが見つかれば、端末装置は正常にキャンプした状態に移行する。
【０３３９】
（Ｃ６）端末装置が音声サービスをサポートし、現在のセルがシステムインフォメーションで指示された緊急通話をサポートしていないとすれば、且つ、適切なセルが見つからなければ、端末装置は、現在のセルからのシステムインフォメーションで提供された優先事項に係らず、サポートされたＲＡＴの許容可能なセルに対してセル選択／再選択を行なう。
【０３４０】
端末装置は、ＩＭＳ（IP Multimedia Subsystem）緊急通話を開始できないセルへのキャンプを防ぐために周波数内のＥＵＴＲＡＮセルへ再選択を行なわないことを許可する。
【０３４１】
端末装置は、ＰＬＭＮ選択およびセル選択を行なった後、セルにキャンプすることによって、端末装置の状態（ＲＲＣアイドル（アイドルモード）、ＲＲＣ接続（接続モード））に係らず、ＭＩＢやＳＩＢ１などのシステムインフォメーションやページング情報を受信できるようになる。ランダムアクセスを行なうことによって、ＲＲＣ接続要求を送信することができる。
【０３４２】
アイドルモードの端末装置におけるランダムアクセス手順は、上位層（Ｌ２／Ｌ３）がランダムアクセスプリアンブル送信を指示する。物理層（Ｌ１）はその指示に基づいてランダムアクセスプリアンブルを送信する。Ｌ１において、ＡＣＫであれば、つまり、基地局装置からランダムアクセスレスポンスを受信する。Ｌ２／Ｌ３がＬ１からその指示を受けたとすれば、Ｌ２／Ｌ３はＲＲＣ接続要求を送信することをＬ１へ指示する。端末装置は、基地局装置（キャンプしているセル、ＥＵＴＲＡＮ、ＰＬＭＮ）に対してＲＲＣ接続要求（ＲＲＣ接続要求に関連するＲＲＣメッセージがマップされたＵＬ−ＳＣＨに対応するＰＵＳＣＨ）を送信する。基地局装置は、それを受信すると、ＲＲＣ接続セットアップ（ＲＲＣ接続セットアップに関連するＲＲＣメッセージがマップされたＤＬ−ＳＣＨに関連するＰＤＣＣＨおよびＰＤＳＣＨ）を端末装置に送信する。端末装置は、Ｌ２／Ｌ３でＲＲＣ接続セットアップを受信すると、接続モードに入る。端末装置のＬ２／Ｌ３は、ＲＲＣ接続セットアップ完了の送信をＬ１に指示すると、その手順は終了する。Ｌ１は、基地局装置に、ＲＲＣ接続セットアップ完了（ＲＲＣ接続セットアップ完了に関連するＲＲＣメッセージがマップされたＵＬ−ＳＣＨに対応するＰＵＳＣＨ）を送信する。
【０３４３】
アイドルモードの端末装置は、電力消費を低減するために、ＤＲＸ（Discontinuous Reception）を用いてページングメッセージの受信を行なってもよい。ここで、ＰＯ（Paging Occasion）はページングメッセージにアドレスするＰＤＣＣＨが送信されたＰ−ＲＮＴＩがあるサブフレームである。ＰＦ（Paging Frame）は１つまたは複数のＰＯを含む無線フレームである。ＤＲＸが用いられている時、端末装置は、ＤＲＸサイクル毎に１つのＰＯをモニタする必要がある。ＰＯとＰＦは、システムインフォメーションで提供されるＤＲＸパラメータを用いて決定される。ＤＲＸパラメータの値がシステムインフォメーションにおいて変更されている時は、端末装置において保持されたＤＲＸパラメータは局所的に更新される。端末装置がＩＭＳＩ（International Mobile Subscriber Identity）を持っていないとすれば、ＵＳＩＭ（Universal Subscriber Identity Module）のない緊急通話を行なう時、端末装置はＰＦにおいてデフォルト識別子（ＵＥ＿ＩＤ＝０）とｉ＿ｓを用いる。つまり、ＰＣＨ（ページング情報）は、所定の無線フレームの所定のサブフレームにおけるＰＤＣＣＨを用いて通知される。
【０３４４】
セルにキャンプしている端末装置は、ＰＳＳ／ＳＳＳから時間周波数同期を捕捉し、ＰＣＩを取得する。それからその端末装置は、ＰＢＣＨからＭＩＢを検出し、キャリア周波数および下りリンク送信帯域幅、ＳＦＮ、ＰＨＩＣＨ設定などを取得する。端末装置は、ＭＩＢを取得することによって、下りリンク送信帯域幅全体にマップされたＰＤＣＣＨをモニタすることができる。端末装置は、受信したＰＤＣＣＨがＳＩ−ＲＮＴＩでスクランブルされたＣＲＣを伴う場合には、そのＰＤＣＣＨに対応するＰＤＳＣＨからＳＩＢ１などのＳＩメッセージを取得する。これらのＳＩメッセージを取得することによって、物理チャネル／物理信号の設定に関する情報やセル選択に関する情報などを取得することができる。さらに端末装置は、受信したＰＤＣＣＨがＰ−ＲＮＴＩでスクランブルされたＣＲＣを伴う場合には、そのＰＤＣＣＨに対応するＰＤＳＣＨからＰＣＨを検出し、ページング情報を取得することができる。端末装置は、アイドルモードから接続モードに遷移する場合には、ランダムアクセス手順による初期アクセスを行なう。初期アクセスを行なうによって、基地局装置は、端末装置の情報を取得することができる。初期アクセスが完了すると、端末装置と基地局装置はＲＲＣ接続確立を行なうことができる。ＲＲＣ接続が確立すれば、端末装置は、接続モードに遷移する。また、端末装置は、ＰＤＣＣＨをモニタできるようになると、ＰＤＣＣＨを用いて、定期的に、同期内にあるか同期外れになっているか確認する。同期外れと判断した場合には、端末装置は上位層へその旨を通知する。上位層は、その通知を受けて、そのセルに対してＲＬＦ（Radio Link Failure）が発生したと判断する。
【０３４５】
端末装置と基地局装置は、キャリア・アグリゲーションによって複数の異なる周波数バンド（周波数帯）の周波数（コンポーネントキャリア、または、周波数帯域）を集約（アグリゲート）して一つの周波数（周波数帯域）のように扱う技術を適用してもよい。コンポーネントキャリアには、上りリンク（上りリンクセル）に対応する上りリンクコンポーネントキャリアと、下りリンク（下りリンクセル）に対応する下りリンクコンポーネントキャリアとがある。本発明の各実施形態において、周波数と周波数帯域は同義的に使用され得る。
【０３４６】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、すべてまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【０３４７】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【０３４８】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【０３４９】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、ＰＣｅｌｌと称される。また、ＰＣｅｌｌ以外のコンポーネントキャリアから構成されるセルは、ＳＣｅｌｌと称される。端末装置は、ＰＣｅｌｌでページングメッセージの受信、報知情報の更新の検出、初期アクセス手順、セキュリティ情報の設定などを行なう一方、ＳＣｅｌｌではこれらを行なわなくてもよい。
【０３５０】
ＰＣｅｌｌは活性化（Activation）および不活性化（Deactivation）の制御の対象外であるが（つまり必ず活性化しているとみなされる）、ＳＣｅｌｌは活性化および不活性化という状態（state）を持ち、これらの状態の変更は、基地局装置から明示的に指定されるほか、コンポーネントキャリア毎に端末装置に設定されるタイマーに基づいて状態が変更される。ＰＣｅｌｌとＳＣｅｌｌとを合わせてサービングセル（在圏セル）と称する。
【０３５１】
なお、キャリア・アグリゲーションは、複数のコンポーネントキャリア（周波数帯域）を用いた複数のセルによる通信であり、セル・アグリゲーションとも称される。なお、端末装置は、周波数毎に中継局装置（またはリピーター）を介して基地局装置と無線接続（ＲＲＣ接続）されてもよい。すなわち、本実施形態の基地局装置は、中継局装置に置き換えられてもよい。
【０３５２】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルはサービングセルであり、その他の通信に使用されないセルは周辺セルと称される。
【０３５３】
言い換えると、キャリア・アグリゲーションにおいて、設定された複数のサービングセルは、１つのＰＣｅｌｌと１つまたは複数のＳＣｅｌｌとを含む。
【０３５４】
ＰＣｅｌｌは、初期コネクション確立手順（RRC Connection establishment procedure）が行なわれたサービングセル、コネクション再確立手順（RRC Connection reestablishment procedure）を開始したサービングセル、または、ハンドオーバ手順においてＰＣｅｌｌと指示されたセルである。ＰＣｅｌｌは、プライマリ周波数でオペレーションする。コネクションが（再）確立された時点、または、その後に、ＳＣｅｌｌが設定されてもよい。ＳＣｅｌｌは、セカンダリ周波数でオペレーションする。なお、コネクションは、ＲＲＣコネクションと称されてもよい。ＣＡをサポートしている端末装置に対して、１つのＰＣｅｌｌと１つ以上のＳＣｅｌｌで集約されてもよい。
【０３５５】
端末装置は、１つよりも多いサービングセルが設定されるか、セカンダリセルグループが設定されるとすれば、各サービングセルに対して、少なくとも所定の数のトランスポートブロックに対して、トランスポートブロックのコードブロックのデコーディング失敗に応じて、少なくとも所定の範囲に相当する受信したソフトチャネルビットを保持する。
【０３５６】
ＬＡＡ端末は、２つ以上の無線アクセス技術（ＲＡＴ）に対応する機能をサポートしてもよい。
【０３５７】
ＬＡＡ端末は、２つ以上のオペレーティングバンドをサポートする。つまり、ＬＡＡ端末は、キャリア・アグリゲーションに関する機能をサポートしている。
【０３５８】
また、ＬＡＡ端末は、ＴＤＤ（Time Division Duplex）やＨＤ−ＦＤＤ（Half Duplex Frequency Division Duplex）をサポートしてもよい。また、ＬＡＡ端末は、ＦＤ−ＦＤＤ（Full Duplex FDD）をサポートしてもよい。ＬＡＡ端末は、どのデュプレックスモード／フレーム構造タイプをサポートしているかを、機能情報などの上位層シグナリングを介して示してもよい。
【０３５９】
また、ＬＡＡ端末は、カテゴリーＸ（Ｘは所定の値）のＬＴＥ端末であってもよい。つまり、ＬＡＡ端末は、１つのＴＴＩ（Transmission Time Interval）で送信／受信可能なトランスポートブロックの最大ビット数が拡張されてもよい。ＬＴＥでは、１ＴＴＩは１サブフレームに相当する。
【０３６０】
なお、本発明の各実施形態において、ＴＴＩとサブフレームは同義であってもよい。
【０３６１】
また、ＬＡＡ端末は、複数のデュプレックスモード／フレーム構造タイプをサポートしてもよい。
【０３６２】
フレーム構造タイプ１は、ＦＤ−ＦＤＤとＨＤ−ＦＤＤの両方に対して適用できる。ＦＤＤでは、各１０ｍｓ間隔で、下りリンク送信と上りリンク送信のそれぞれに対して１０サブフレームずつ利用できる。また、上りリンク送信と下りリンク送信は、周波数領域で分けられる。ＨＤ−ＦＤＤオペレーションにおいて、端末装置は、同時に送信と受信はできないが、ＦＤ−ＦＤＤオペレーションにおいてはその制限がない。
【０３６３】
周波数ホッピングや使用周波数が変更された際の、再チューニング時間（チューニングに必要な時間（サブフレーム数またはシンボル数））は上位層シグナリングによって設定されてもよい。
【０３６４】
例えば、ＬＡＡ端末において、サポートする下りリンク送信モード（ＰＤＳＣＨ送信モード）の数は削減されてもよい。つまり、基地局装置は、ＬＡＡ端末から機能情報として、下りリンク送信モードの数、または、そのＬＡＡ端末がサポートしている下りリンク送信モードが示された場合には、その機能情報に基づいて、下りリンク送信モードを設定する。なお、ＬＡＡ端末は、自身がサポートしてない下りリンク送信モードに対するパラメータが設定された場合、その設定を無視してもよい。つまり、ＬＡＡ端末は、サポートしていない下りリンク送信モードに対する処理を行なわなくてもよい。ここで、下りリンク送信モードは、設定された下りリンク送信モードやＲＮＴＩの種類、ＤＣＩフォーマット、サーチスペースに基づいて、ＰＤＣＣＨ／ＥＰＤＣＣＨに対応するＰＤＳＣＨの送信方式を示すために用いられる。端末装置は、それらの情報に基づいて、ＰＤＳＣＨが、アンテナポート０で送信されるのか、送信ダイバーシティで送信されるのか、複数のアンテナポートで送信されるのか、などが分かる。端末装置は、それらの情報に基づいて、受信処理を適切に行なうことができる。同じ種類のＤＣＩフォーマットからＰＤＳＣＨのリソース割り当てに関するＤＣＩを検出しても、下りリンク送信モードやＲＮＴＩの種類が異なる場合には、そのＰＤＳＣＨは、同じ送信方式で送信されるとは限らない。
【０３６５】
端末装置が、ＰＵＣＣＨとＰＵＳＣＨの同時送信に関する機能をサポートしている場合、且つ、ＰＵＳＣＨの繰り返し送信および／またはＰＵＣＣＨの繰り返し送信に関する機能をサポートしている場合には、ＰＵＳＣＨの送信が生じたタイミングまたはＰＵＣＣＨの送信が生じたタイミングにおいて、ＰＵＣＣＨとＰＵＳＣＨは、所定の回数、繰り返し送信が行なわれてもよい。つまり、同じタイミング（つまり、同じサブフレーム）でＰＵＣＣＨとＰＵＳＣＨの同時送信を行なう。
【０３６６】
このような場合において、ＰＵＣＣＨには、ＣＳＩレポートやＨＡＲＱ−ＡＣＫ、ＳＲが含まれてもよい。
【０３６７】
ＰＣｅｌｌでは、すべての信号が送受信可能であるが、ＳＣｅｌｌでは、送受信できない信号があってもよい。例えば、ＰＵＣＣＨは、ＰＣｅｌｌでのみ送信される。また、ＰＲＡＣＨは、セル間で、複数のＴＡＧ（Timing Advance Group）が設定されない限り、ＰＣｅｌｌでのみ送信される。また、ＰＢＣＨは、ＰＣｅｌｌでのみ送信される。また、ＭＩＢ（Master Information Block）は、ＰＣｅｌｌでのみ送信される。しかし、端末装置に、ＳＣｅｌｌでＰＵＣＣＨやＭＩＢを送信する機能がサポートされている場合には、基地局装置は、その端末装置に対して、ＰＵＣＣＨやＭＩＢをＳＣｅｌｌ（ＳＣｅｌｌに対応する周波数）で送信することを指示してもよい。つまり、端末装置がその機能をサポートしている場合には、基地局装置は、その端末装置に対して、ＰＵＣＣＨやＭＩＢをＳＣｅｌｌで送信するためのパラメータを設定してもよい。
【０３６８】
ＰＣｅｌｌでは、ＲＬＦ（Radio Link Failure）が検出される。ＳＣｅｌｌでは、ＲＬＦが検出される条件が整ってもＲＬＦが検出されたと認識しない。ＰＣｅｌｌの下位層において、ＲＬＦの条件を満たした場合、ＰＣｅｌｌの下位層は、ＰＣｅｌｌの上位層へＲＬＦの条件が満たされたことを通知する。ＰＣｅｌｌでは、ＳＰＳ（Semi-Persistent Scheduling）やＤＲＸ（Discontinuous Transmission）を行なってもよい。ＳＣｅｌｌでは、ＰＣｅｌｌと同じＤＲＸを行なってもよい。ＳＣｅｌｌにおいて、ＭＡＣの設定に関する情報／パラメータは、基本的に、同じセルグループのＰＣｅｌｌと共有している。一部のパラメータ（例えば、ｓＴＡＧ−Ｉｄ）は、ＳＣｅｌｌ毎に設定されてもよい。一部のタイマーやカウンタが、ＰＣｅｌｌに対してのみ適用されてもよい。ＳＣｅｌｌに対してのみ、適用されるタイマーやカウンタが設定されてもよい。
【０３６９】
図３は、本実施形態に係る基地局装置２のブロック構成の一例を示す概略図である。基地局装置２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（チャネル状態測定部および／またはＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ信号受信部５０９は、受信信号やＣＣＡ、干渉雑音電力の測定部も兼ねている。
【０３７０】
図４は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。
【０３７１】
図３と図４のそれぞれにおいて、上位層は、ＭＡＣ（Medium Access Control）層やＲＬＣ（Radio Link Control）層、ＰＤＣＰ（Packet Data Convergence Protocol）層、ＲＲＣ（Radio Resource Control）層を含んでもよい。
【０３７２】
ＲＬＣ層は、上位層へＴＭ（Transparent Mode）データ伝送、ＵＭ（Unacknowledged Mode）データ伝送、上位層のＰＤＵ（Packet Data Unit）の伝送が成功したことを示すインディケーションを含むＡＭ（Acknowledged Mode）データ伝送を行なう。また、下位層へはデータ伝送と、送信機会において送信されたＲＬＣ  ＰＤＵの全サイズとともに、送信機会の通知を行なう。
【０３７３】
ＲＬＣ層は、上位層ＰＤＵの伝送に関する機能、（ＡＭデータ伝送に対してだけ）ＡＲＱ（Automatic Repeat reQuest）を介したエラー補正に関する機能、（ＵＭとＡＭデータ伝送に対してだけ）ＲＬＣ  ＳＤＵ（Service Data Unit）の結合／分割／再構築に関する機能、（ＡＭデータ伝送に対して）ＲＬＣデータＰＤＵの再分割に関する機能、（ＡＭデータ伝送に対してだけ）ＲＬＣデータＰＤＵの並び替えに関する機能、（ＵＭとＡＭデータ伝送に対してだけ）重複検出に関する機能、（ＵＭとＡＭデータ伝送に対してだけ）ＲＬＣ  ＳＤＵの破棄に関する機能、ＲＬＣの再確立に関する機能、（ＡＭデータ伝送に対してだけ）プロトコルエラー検出に関する機能をサポートしている。
【０３７４】
まず、図３および図４を用いて、下りリンクデータの送受信の流れについて説明する。基地局装置２において、制御部５０２は、下りリンクにおける変調方式および符号化率などを示すＭＣＳ（Modulation and Coding Scheme）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロック、ＤＬ−ＳＣＨデータ、ＤＬ−ＳＣＨトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Phase Shift Keying）変調やＱＡＭ（Quadrature Amplitude Modulation）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Radio Resource Control）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置は、それぞれ個別の下りリンクサブフレームを送信する。
【０３７５】
端末装置１では、受信アンテナ６０１を介して、ＯＦＤＭ信号受信部６０２においてＯＦＤＭ信号が受信され、ＯＦＤＭ復調処理が施される。
【０３７６】
下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとして復号し、予め付加されているＣＲＣ（Cyclic Redundancy Check）ビットを確認する（ブラインド復号）。すなわち、下りリンクサブフレーム処理部６０３は、ＰＤＣＣＨやＥＰＤＣＣＨをモニタリングする。ＣＲＣビットが予め基地局装置から割り当てられたＩＤ（Ｃ−ＲＮＴＩ（Cell-Radio Network Temporary Identifier）、ＳＰＳ−Ｃ−ＲＮＴＩ（Semi-Persistent Scheduling-C-RNTI）など１つの端末に対して１つ割り当てられる端末固有識別子（UEID）、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。
【０３７７】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームからＤＬＲＳを取り出す。
【０３７８】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部６０５では、トランスポートブロックが正しく検出できたか否かを判定し、判定結果は制御部６０６に送られる。
【０３７９】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３などレイヤ毎に用意されてもよい。なお、情報／データをフラッシュするとは、情報やデータが格納されたバッファをフラッシュすることを含む。
【０３８０】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨが生成される。上りリンクサブフレーム生成部６０９では、上位層６０７から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。
【０３８１】
受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、ＰＵＣＣＨがマッピングされたＲＢを抽出し、上りリンク制御情報抽出部５１１においてＰＵＣＣＨに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱなど）の制御に用いられる。
【０３８２】
基地局装置は、パワーヘッドルームレポートから、端末装置が設定した最大出力電力ＰＣＭＡＸを想定し、端末装置から受信した物理上りリンクチャネルに基づいて、各物理上りリンクチャネルに対する電力の上限値を想定する。基地局装置は、それらの想定に基づいて、物理上りリンクチャネルに対する送信電力制御コマンドの値を決定し、下りリンク制御情報フォーマットを伴うＰＤＣＣＨを用いて、端末装置に送信する。そうすることによって、端末装置から送信される物理上りリンクチャネルの送信電力の電力調整が行なわれる。
【０３８３】
基地局装置は、端末装置に対してＰＤＣＣＨ（ＥＰＤＣＣＨ）／ＰＤＳＣＨを送信する場合、ＰＢＣＨのリソースに割り当てないようにＰＤＣＣＨ／ＰＤＳＣＨのリソース割り当てを行なう。
【０３８４】
ＰＤＳＣＨは、端末装置に対するＳＩＢ／ＲＡＲ／ページング／ユニキャストのそれぞれに関するメッセージ／情報を伝送するために用いられてもよい。
【０３８５】
ＰＵＳＣＨに対する周波数ホッピングは、グラントの種類に応じて個別に設定されてもよい。例えば、ダイナミックスケジュールグラント、セミパーシステントグラント、ＲＡＲグラントのそれぞれに対応するＰＵＳＣＨの周波数ホッピングに用いられるパラメータの値は個別に設定されてもよい。それらのパラメータは、上りリンクグラントで示されなくてもよい。また、それらのパラメータは、システムインフォメーションを含む上位層シグナリングを介して設定されてもよい。
【０３８６】
上述した種々のパラメータは物理チャネル毎に設定されてもよい。また、上述した種々のパラメータは端末装置毎に設定されてもよい。また、上述したパラメータは端末装置間で共通に設定されてもよい。ここで、上述した種々のパラメータはシステムインフォメーションを用いて設定されてもよい。また、上述した種々のパラメータは上位層シグナリング（ＲＲＣシグナリング、ＭＡＣ  ＣＥ）を用いて設定されてもよい。また、上述した種々のパラメータはＰＤＣＣＨ／ＥＰＤＣＣＨを用いて設定されてもよい。上述した種々のパラメータはブロードキャストインフォメーションとして設定されてもよい。また、上述した種々のパラメータはユニキャストインフォメーションとして設定されてもよい。
【０３８７】
なお、上述した実施形態では、各ＰＵＳＣＨ送信に要求される電力値は、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドに基づく値などに基づいて算出されるものとして説明した。また、各ＰＵＣＣＨ送信に要求される電力値は、上位層により設定されるパラメータ、下りリンクパスロス、そのＰＵＣＣＨで送信されるＵＣＩによって決まる調整値、ＰＵＣＣＨフォーマットによって決まる調整値、そのＰＵＣＣＨの送信に用いられるアンテナポート数によって決まる調整値、ＴＰＣコマンドに基づく値などに基づいて算出されるものとして説明した。しかしながら、これに限るものではない。要求される電力値に対して上限値を設け、上記パラメータに基づく値と上限値（例えば、サービングセルｃにおける最大出力電力値であるＰＣＭＡＸ，ｃ）との間の最小値を、要求される電力値として用いることもできる。
【０３８８】
本発明に関わる基地局装置および端末装置で動作するプログラムは、本発明に関わる上記実施形態の機能を実現するように、ＣＰＵ（Central Processing Unit）等を制御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行なわれる。
【０３８９】
なお、上述した実施形態における端末装置および／または基地局装置の一部をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０３９０】
なお、「コンピュータシステム」とは、端末装置または基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３９１】
さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０３９２】
また、上述した実施形態における基地局装置は、複数の装置から構成される集合体（装置グループ）として実現することもできる。装置グループを構成する装置の各々は、上述した実施形態に関わる基地局装置の各機能または各機能ブロックの一部、または、全部を備えてもよい。装置グループとして、基地局装置の一通りの各機能または各機能ブロックを有していればよい。また、上述した実施形態に関わる端末装置は、集合体としての基地局装置と通信することも可能である。
【０３９３】
また、上述した実施形態における基地局装置は、ＥＵＴＲＡＮ（Evolved Universal Terrestrial Radio Access Network）であってもよい。また、上述した実施形態における基地局装置２は、ｅＮｏｄｅＢに対する上位ノードの機能の一部または全部を有してもよい。
【０３９４】
また、上述した実施形態における端末装置、基地局装置の一部、または、全部を典型的には集積回路であるＬＳＩとして実現してもよいし、チップセットとして実現してもよい。端末装置、基地局装置の各機能ブロックは個別にチップ化してもよいし、一部、又は全部を集積してチップ化してもよい。また、集積回路化の手法はＬＳＩに限らず専用回路、または、汎用プロセッサで実現してもよい。また、半導体技術の進歩によりＬＳＩに代替する集積回路化の技術が出現した場合、当該技術による集積回路を用いることも可能である。
【０３９５】
また、上述した実施形態では、端末装置もしくは通信装置の一例としてセルラー移動局装置（携帯電話、携帯端末）を記載したが、本願発明は、これに限定されるものではなく、屋内外に設置される据え置き型、または非可動型の電子機器、たとえば、ＡＶ機器、キッチン機器（例えば、冷蔵庫や電子レンジなど）、掃除・洗濯機器、空調機器、オフィス機器、自動販売機、カーナビゲーションなどの車載搭載機、その他生活機器などの端末装置もしくは通信装置にも適用出来る。
【０３９６】
以上のことから、本発明は、以下の特徴を有する。
【０３９７】
（１）本発明の一様態による端末装置は、基地局装置と通信する端末装置であって、上位層の信号を用いて、少なくともＲＳＳＩ（Received Signal Strength Indicator）に関する設定を含む測定オブジェクト設定を受信する受信部と、前記測定オブジェクト設定に関連する報告設定において、少なくともＲＳＲＱ（Reference Signal Received Quality）を報告することが示されたとすれば、対応する第１の測定サブフレームパターンに基づいて、ＣＲＳ（Cell specific Reference Signal）のアンテナポート０の参照シンボルを含むＯＦＤＭ（Orthogonal Frequency Division Multiplexing）シンボルから第１のＲＳＳＩを測定し、前記第１のＲＳＳＩを用いてＲＳＲＱを算出する受信部を備え、前記受信部は、前記ＲＳＳＩに関する設定に含まれる、第２の測定サブフレームパターンに基づいて、第２のＲＳＳＩを測定するサブフレームと測定期間を特定し、前記第２のＲＳＳＩを測定するサブフレームのそれぞれにおいて前記第２のＲＳＳＩを測定し、前記測定期間に含まれる前記第２のＲＳＳＩを測定するサブフレームのそれぞれにおいて測定した前記第２のＲＳＳＩを用いてヒストグラムを生成する。
【０３９８】
（２）本発明の一様態による端末装置は、上記の端末装置であって、前記ＲＳＳＩに関する設定は、少なくとも１つのＣＳＩ−ＩＭ（Channel State Information - Interference Measurement）リソースに関する設定を含む。
【０３９９】
（３）本発明の一様態による端末装置は、上記の端末装置であって、前記測定オブジェクト設定に、前記ＣＳＩ−ＩＭリソースに関する第１の設定と第２の設定が含まれる場合、前記第１の設定と前記第２の設定はリスト化され、前記第１の設定と前記第２の設定のそれぞれに対して、対応するＩＤ（Identity）が含まれ、前記受信部は、前記第１の設定に基づくリソースと前記第２の設定に基づくリソースのそれぞれにおいて、前記第２のＲＳＳＩを測定し、条件に基づいて、前記第１の設定に基づくリソースに対する測定結果と前記第２の設定に基づくリソースに対する測定結果の両方またはいずれか一方を、対応するＩＤとともに報告する。
【０４００】
（４）本発明の一様態による基地局装置は、端末装置と通信する基地局装置であって、測定オブジェクト設定に対してＲＳＳＩに関する設定をセットし、前記測定オブジェクト設定に関連する第１の報告設定に対してＲＳＲＱ（Reference Signal Received Quality）の測定結果を報告することを示すパラメータをセットし、前記測定オブジェクト設定に関連する第２の報告設定に対してＲＳＳＩ（Received Signal Strength Indicator）に関する測定結果を報告することを示すパラメータをセットし、上位層の信号を用いて、送信する送信部と、前記第１の報告設定に対応する測定結果と前記第２の報告設定に対応する測定結果を受信する受信部と、備える。
【０４０１】
（５）本発明の一様態による方法は、基地局装置と通信する端末装置における方法であって、上位層の信号を用いて、少なくともＲＳＳＩ（Received Signal Strength Indicator）に関する設定を含む測定オブジェクト設定を受信するステップと、前記測定オブジェクト設定に関連する報告設定において、少なくともＲＳＲＱ（Reference Signal Received Quality）を報告することが示されたとすれば、対応する第１の測定サブフレームパターンに基づいて、ＣＲＳ（Cell specific Reference Signal）のアンテナポート０の参照シンボルを含むＯＦＤＭ（Orthogonal Frequency Division Multiplexing）シンボルから第１のＲＳＳＩを測定するステップと、前記第１のＲＳＳＩを用いてＲＳＲＱを算出するステップと、前記ＲＳＳＩに関する設定に含まれる、第２の測定サブフレームパターンに基づいて、第２のＲＳＳＩを測定するサブフレームと測定期間を特定するステップと、前記第２のＲＳＳＩを測定するサブフレームのそれぞれにおいて前記第２のＲＳＳＩを測定するステップと、前記測定期間に含まれる前記第２のＲＳＳＩを測定するサブフレームのそれぞれにおいて測定した前記第２のＲＳＳＩを用いてヒストグラムを生成するステップと、を有する。
【０４０２】
（６）本発明の一様態による方法は、端末装置と通信する基地局装置における方法であって、測定オブジェクト設定に対してＲＳＳＩに関する設定をセットするステップと、前記測定オブジェクト設定に関連する第１の報告設定に対してＲＳＲＱ（Reference Signal Received Quality）の測定結果を報告することを示すパラメータをセットするステップと、前記測定オブジェクト設定に関連する第２の報告設定に対してＲＳＳＩ（Received Signal Strength Indicator）に関する測定結果を報告することを示すパラメータをセットし、上位層の信号を用いて、送信するステップと、前記第１の報告設定に対応する測定結果と前記第２の報告設定に対応する測定結果を受信するステップと、を有する。
【０４０３】
（７）本発明の一様態による端末装置は、基地局装置と通信する端末装置であって、測定オブジェクト設定に含まれるキャリア周波数が所定のオペレーティングバンドに属しているとすれば、且つ、報告設定において、測定結果として、少なくともＲＳＲＱ（Reference Signal Received Quality）を報告することが示され、且つ、定期報告が設定されたとすれば、第１のＲＳＳＩ（Received Signal Strength Indicator）と第２のＲＳＳＩを測定する受信部を備え、前記第１のＲＳＳＩは、指示されたサブフレームのすべてのＯＦＤＭ（Orthogonal Frequency Division Multiplexing）シンボルから測定され、前記第２のＲＳＳＩは、前記指示されたサブフレーム以外のサブフレームのＯＦＤＭシンボルから測定され、前記第１のＲＳＳＩは、ＣＲＳに関するＲＳＲＱを規定するために用いられ、前記第２のＲＳＳＩは、ＲＳＳＩのヒストグラムを生成するために用いられる。
【０４０４】
（８）本発明の一様態による端末装置は、上記の端末装置であって、前記測定オブジェクト設定に、測定ＤＳ（Discovery Signal）設定が含まれる場合、前記第２のＲＳＳＩは、前記測定ＤＳ設定に基づくＤＳオケージョンを構成するサブフレーム以外のサブフレームのＯＦＤＭシンボルから測定される。
【０４０５】
（９）本発明の一様態による端末装置は、上記の端末装置であって、前記ヒストグラムは、前記報告間隔に基づく測定期間内に測定されたＲＳＳＩのレベル毎の専有時間（時間領域の割合）を示す。
【０４０６】
（１０）本発明の一様態による端末装置は、上記の端末装置であって、前記第２のＲＳＳＩは、ＯＦＤＭシンボルのそれぞれにおいて、測定される。
【０４０７】
（１１）本発明の一様態による端末装置は、上記の端末装置であって、前記第２のＲＳＳＩの測定に用いられるリソースは、ＰＳＳ（Primary Synchronization Signal）／ＳＳＳ（Secondary Synchronization Signal）に用いられる帯域幅の中心の６リソースブロックのうち、送信に用いられないリソースである。
【０４０８】
（１２）本発明の一様態による端末装置は、上記の端末装置であって、前記第２のＲＳＳＩの測定に用いられるリソースは、ガードバンドに含まれるリソースである。
【０４０９】
（１３）本発明の一様態による基地局装置は、端末装置と通信する基地局装置であって、所定のオペレーティングバンドに属するように設定したキャリア周波数を含む測定オブジェクト設定と、ＲＳＲＱ（Reference Signal Received Quality）の測定結果を報告することを示す報告設定を上位層の信号を用いて、送信する送信部と、前記所定のオペレーティングバンドが第１のオペレーティングバンドであれば、ＲＳＲＱに対する測定結果を受信し、前記所定のオペレーティングバンドが第２のオペレーティングバンドであれば、ＲＳＳＩ（Received Signal Strength Indicator）の各レベルに対応するヒストグラムを受信する受信部と、を備える。
【０４１０】
（１４）本発明の一様態による方法は、基地局装置と通信する端末装置における方法であって、測定オブジェクト設定に含まれるキャリア周波数が所定のオペレーティングバンドに属しているとすれば、且つ、報告設定において、測定結果として、少なくともＲＳＲＱ（Reference Signal Received Quality）を報告することが示され、且つ、定期報告が設定されたとすれば、第１のＲＳＳＩ（Received Signal Strength Indicator）と第２のＲＳＳＩを測定するステップを有し、前記第１のＲＳＳＩは、指示されたサブフレームのすべてのＯＦＤＭシンボルから測定され、且つ、ＣＲＳに関するＲＳＲＱを規定するために用いられ、前記第２のＲＳＳＩは、前記指示されたサブフレーム以外のサブフレームのＯＦＤＭシンボルから測定され、且つ、ＲＳＳＩのヒストグラムを生成するために用いられる。
【０４１１】
（１５）本発明の一様態による方法は、端末装置と通信する基地局装置における方法であって、所定のオペレーティングバンドに属するように設定したキャリア周波数を含む測定オブジェクト設定と、ＲＳＲＱ（Reference Signal Received Quality）の測定結果を報告することを示す報告設定を上位層の信号を用いて、送信するステップと、前記所定のオペレーティングバンドが第１のオペレーティングバンドであれば、ＲＳＲＱに対する測定結果を受信するステップと、前記所定のオペレーティングバンドが第２のオペレーティングバンドであれば、ＲＳＳＩ（Received Signal Strength Indicator）の各レベルに対応するヒストグラムを受信するステップと、を有する。
【０４１２】
（１６）本発明の一様態による端末装置は、基地局装置と通信する端末装置であって、測定オブジェクト設定に、ＲＳＳＩ（Received Signal Strength Indicator）のヒストグラムに関する第１の設定が含まれる場合、前記第１の設定に基づいて、ＲＳＳＩを測定するリソースと、ヒストグラムを生成するために用いられるリソースの総数を決定する受信部を備え、前記受信部は、各リソースにおけるＲＳＳＩを測定値に基づいてレベル分けし、各レベルにおけるヒストグラムを生成する。
【０４１３】
（１７）本発明の一様態による端末装置は、上記の端末装置であって、前記リソースは、ＣＳＩ−ＩＭ（Channel State Information - Interference Measurement）に関する、リソース設定およびサブフレーム設定に基づく。
【０４１４】
（１８）本発明の一様態による端末装置は、上記の端末装置であって、前記リソースは、ＤＳ（Discovery Signal）オケージョン内においてＤＳが送信されないＯＦＤＭ（Orthogonal Frequency Division Multiplexing）シンボルである。
【０４１５】
（１９）本発明の一様態による端末装置は、上記の端末装置であって、前記リソースは、特定のサブフレームに含まれるガードバンドのリソースエレメントである。
【０４１６】
（２０）本発明の一様態による端末装置は、上記の端末装置であって、前記リソースは、ＰＳＳ（Primary Synchronization Signal）／ＳＳＳ（Secondary Synchronization Signal）に割り当てられたリソースにおいて、前記ＰＳＳ／ＳＳＳが送信されないリソースである。
【０４１７】
（２１）本発明の一様態による基地局装置は、端末装置と通信する基地局装置であって、ＲＳＳＩ（Received Signal Strength Indicator）のヒストグラムに関する第１の設定を含む測定オブジェクト設定を、上位層の信号を用いて、送信する送信部を備え、前記第１の設定には、少なくとも測定期間が含まれる。
【０４１８】
（２２）本発明の一様態による基地局装置は、上記の基地局装置であって、前記送信部は、前記ヒストグラムを報告することを指示するパラメータを含む報告設定を、上位層の信号を用いて、送信する。
【０４１９】
（２３）本発明の一様態による方法は、基地局装置と通信する端末装置における方法であって、測定オブジェクト設定に、ＲＳＳＩ（Received Signal Strength Indicator）のヒストグラムに関する第１の設定が含まれる場合、前記第１の設定に基づいて、ＲＳＳＩを測定するリソースと、ヒストグラムを生成するために用いられるリソースの総数を決定するステップと、前記受信部は、各リソースにおけるＲＳＳＩを測定値に基づいてレベル分けし、各レベルにおけるヒストグラムを生成するステップと、を有する。
【０４２０】
（２４）本発明の一様態による方法は、端末装置と通信する基地局装置における方法であって、ＲＳＳＩ（Received Signal Strength Indicator）のヒストグラムに関する第１の設定を含む測定オブジェクト設定を、上位層の信号を用いて、送信するステップと、前記第１の設定に、少なくとも測定期間を含むステップと、を有する。
【０４２１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０４２２】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１、６１２  ＳＣ−ＦＤＭＡ信号送信部
６１３、６１４  送信アンテナ
【図１】
2018148249.tif 000003
【図２】
2018148249.tif 000004
【図３】
2018148249.tif 000005
【図４】
2018148249.tif 000006
【図５】
2018148249.tif 000007